(57)【特許請求の範囲】
【請求項１】
利用者が製氷動作の停止ができる自動製氷装置と、複数の製氷皿と、取外し可能な区画壁もしくは変位可能な区画壁により、前記複数の製氷皿のそれぞれに対応した複数の貯氷領域を形成する貯氷容器とを備え、前記複数の製氷皿のうちの特定の製氷皿に対応する貯氷領域に氷が落ちてくることがない場合に、前記氷が落ちてくることがない貯氷領域を他の冷凍貯蔵物の収納に利用することが可能な貯氷領域を備えた冷蔵庫。
【請求項２】
前記複数の製氷皿のそれぞれに対応して個別に設けられた複数の操作部とを備え、前記操作部に対して所定の操作をすると前記操作部に対応した前記製氷皿による製氷が強制的に停止される請求項１に記載の冷蔵庫。
【請求項３】
前記複数の製氷皿のうちで製氷を強制的に停止させたい製氷皿を選択する切り換えスイッチとを備え、前記切り換えスイッチを操作して停止させたい製氷皿を選択すると選択された前記製氷皿による製氷が強制的に停止される請求項１または２に記載の冷蔵庫。
【請求項４】
回動動作の途中の時点で、製氷を強制的に停止するための操作がなされた製氷皿は、前記製氷皿の開口部が上になる初期位置に戻って停止することを特徴とした請求項１から３のいずれか一項記載の冷蔵庫。
【請求項５】
取外し可能な区画壁もしくは変位可能な区画壁により、複数の製氷皿のそれぞれに対応した複数の貯氷領域を形成する状態と、一つの貯氷領域を形成する状態とに変化する貯氷容器を備えた請求項１から４のいずれか一項に記載の冷蔵庫。
【請求項６】
複数の製氷皿で製氷された氷を貯氷する貯氷容器と、前記貯氷容器内の所定の複数の取付位置に取外し可能に取付けられ複数の製氷皿に対応して前記貯氷容器内を複数の貯氷領域に区画する区画壁と、前記製氷皿の真下になる取付位置に前記区画壁を取付けたときに真下に前記区画壁が取付けられた製氷皿による製氷を強制的に停止させる製氷停止手段とを備えた請求項１から５のいずれか一項に記載の冷蔵庫。
【請求項７】
複数の製氷皿で製氷された氷を貯氷する貯氷容器と、前記貯氷容器内に複数の製氷皿の並ぶ方向にスライド移動可能に設けられ前記貯氷容器内を複数の貯氷領域に区画する区画壁と、前記製氷皿の真下になる位置に前記区画壁を位置させたときに真下に前記区画壁が位置している製氷皿による製氷を強制的に停止させる製氷停止手段とを備えた請求項１から６のいずれか一項に記載の冷蔵庫。
【請求項８】
複数の製氷皿で製氷された氷を貯氷する貯氷容器と、複数の製氷皿に対応して前記貯氷容器内を複数の貯氷領域に区画する区画壁とを備え、前記区画壁は、下端が前記貯氷容器の固定部に前記区画壁の下辺を回動軸として回動自在に固定されると共に、前記区画壁が前記貯氷容器の底面に対して垂直に立った状態と前記貯氷容器の底面に対して平行に倒れた状態で前記貯氷容器に保持される請求項１から４のいずれか一項記載の冷蔵庫。
【請求項９】
複数の製氷皿をもつ自動製氷装置と、前記複数の製氷皿のそれぞれに対応して取付け取外し可能に配設される複数の貯氷容器と、各貯氷容器の配設状態を感知する貯氷容器感知手段とを備え、前記複数の貯氷容器の内のいずれかの貯氷容器が取外された場合に、前記貯氷容器感知手段が働いて、前記複数の製氷皿の内の対応する貯氷容器がなくなった製氷皿による製氷が強制的に停止される請求項１から４のいずれか一項記載の冷蔵庫。
【請求項１０】
複数の製氷皿で製氷された氷を貯氷する貯氷容器を備え、前記貯氷容器は前記複数の製氷皿の並ぶ方向の寸法を伸縮できるように構成されている請求項１から４のいずれか一項記載の冷蔵庫。
【請求項１１】
貯氷容器に複数の製氷皿に対応して複数の貯氷領域が形成され、複数の貯氷領域のうち一方の端の貯氷領域を無くすことができるように構成されている請求項１０記載の冷蔵庫。
【請求項１２】
複数の製氷皿をもつ自動製氷装置は、引出し式扉と共に前方に引出される冷凍容器を有する冷凍室の左右どちらか片側に寄せて配置され、前記複数の製氷皿の下方には前記複数の製氷皿に対応して前記冷凍容器内を貯氷領域と他の冷凍貯蔵物の収納領域とに仕切る仕切り壁を兼ねる複数の貯氷容器が取付け取外し可能に前記冷凍容器内に配設され、前記複数の製氷皿は、製氷が強制的に停止されない製氷皿もしくは前記複数の製氷皿のうち製氷が強制的に停止されない可能性が比較的高い製氷皿が前記冷凍室の側面に近接して位置し、前記複数の製氷皿のうち製氷が強制的に停止される可能性が最も高い製氷皿が前記冷凍容器における他の冷凍貯蔵物の収納領域に近接して位置する請求項１から４のいずれか一項記載の冷蔵庫。
【請求項１３】
複数の製氷皿をもつ自動製氷装置は、引出し式扉と共に前方に引出される冷凍容器を有する冷凍室の左右どちらか片側に寄せて配置され、前記複数の製氷皿の下方には前記冷凍容器内を貯氷領域と他の冷凍貯蔵物の収納領域とに仕切る仕切壁を兼ねる貯氷容器が前記冷凍容器内に配設され、前記複数の製氷皿は、製氷が強制的に停止されない製氷皿もしくは前記複数の製氷皿のうち製氷が強制的に停止されない可能性が比較的高い製氷皿が前記冷凍室の側面に近接して位置し、前記複数の製氷皿のうち製氷が強制的に停止される可能性が最も高い製氷皿が前記冷凍容器における他の冷凍貯蔵物の収納領域に近接して位置し、前記貯氷容器における前記仕切壁として機能する側壁が前記冷凍室の左右方向に移動可能に構成されている請求項１から４のいずれか一項記載の冷蔵庫。
【請求項１４】
貯氷容器に複数の製氷皿に対応して複数の貯氷領域が形成され、複数の貯氷領域のうち他の冷凍貯蔵物の収納領域に近接する貯氷領域を無くすことができるように構成されている請求項１３記載の冷蔵庫。
【発明の詳細な説明】
【０００１】
【発明が属する技術分野】
本発明は、複数の製氷皿を有する自動製氷装置を備えた冷蔵庫に関するものである。
【０００２】
【従来の技術】
近年、冷蔵庫の製氷機能は、より短時間で大量の氷ができること、また、使用用途に応じた形状の違う氷が求められてきている。
【０００３】
従来の冷蔵庫に搭載される自動製氷装置としては、２つの製氷皿に給水して製氷し、製氷後それぞれの製氷皿を回動させて脱氷させるものがある（特開平６−２４１６２７号公報参照）。
【０００４】
以下、図３８、図３９を参照しながら、上記従来の自動製氷装置について説明する。
【０００５】
図３８は、従来の自動製氷装置を示す斜視図である。図３９従来の自動製氷装置の駆動部を示す正面図である。
【０００６】
図３８、図３９において、１００は駆動部である。１０１，１０２は注水された水を製氷する製氷皿であり、それぞれ一端を駆動部１００の駆動軸１０３，１０４に連結されている。１０５，１０６は駆動軸１０３，１０４へ回転力を伝達するゼネバ歯車であり、１０７はゼネバ歯車１０５，１０６を駆動するピン１０８を有する駆動歯車である。駆動歯車１０７は減速歯車列（図示せず）に連繋され、減速歯車列はモータ（図示せず）の回転を減速伝達する。
【０００７】
以上のように構成された自動製氷装置について、以下その動作を説明する。
【０００８】
製氷皿１０１，１０２に注水された水が凍結し製氷が完了すると、モータが始動しその回転を減速歯車列が駆動歯車１０７へ伝達する。駆動歯車１０７が回転するとピン１０８がゼネバ歯車１０５（又は１０６）と連結されて回転が伝達され駆動軸１０３（又は１０４）が回動し、製氷皿１０１（又は１０２）を回動させて脱氷することとなる。
【０００９】
なお、ゼネバ歯車１０５と駆動軸１０３との間にはモータの回転方向に関係無く駆動軸１０３を一定方向に回転させる機構が設置されており、駆動軸１０３は製氷皿１０１を一方向にしか回転させない。
【００１０】
同様に、ゼネバ歯車１０６と駆動軸１０４との間にはモータの回転方向に関係無く駆動軸１０３を一定方向に回転させる機構が設置されており、駆動軸１０４は製氷皿１０２を一方向にしか回転させない。
【００１１】
【発明が解決しようとする課題】
しかしながら、上記従来の自動製氷装置は、２つの製氷皿１０１，１０２で同形状の氷を製氷し、共用の貯氷容器に貯氷するものであり、氷の使用量が少ない（貯えておくべき氷の量が少ない）時期や、２つの製氷皿１０１，１０２のうち一方で通常用途の氷を製氷し他方で特殊用途の氷を製氷できるようにした場合に、２つの製氷皿１０１，１０２のどちらか片方の製氷動作を停止させることができなかった。
【００１２】
そこで、本発明は、複数の製氷皿を有する自動製氷装置を備えた冷蔵庫において、複数の製氷皿のうち利用者が製氷動作の停止を望む方の製氷皿での製氷動作を簡単に停止できるようにすることを目的とする。
【００１３】
また、上記従来の自動製氷装置は、大きさが変わらない一つの貯氷領域を有する貯氷容器を使っていたため、２つの製氷皿１０１，１０２のうち一方で通常用途の氷を製氷し他方で特殊用途の氷を製氷できるようにした場合に、貯氷容器内で２種類の氷が混ざってしまうという問題があった。また、その問題を解決するため貯氷容器内を２つの製氷皿１０１，１０２に対応して貯氷容器内を２つに仕切ると、２種類の氷の貯氷したい量が異なる場合や、１種類の氷のみ貯氷する場合に、仕切りにより２つの貯氷領域が定められているために、不足する貯氷領域や無駄に使われる貯氷領域ができ、貯氷容器の貯氷領域を有効利用できなかいという問題があった。
【００１４】
そこで、本発明は、複数の製氷皿を有する自動製氷装置を備えた冷蔵庫において、自動製氷装置の使い方に合わせて、貯氷容器の貯氷領域を有効利用できるようにすることを目的とする。
【００１５】
また、上記従来の自動製氷装置は、大きさが変わらない一つの貯氷領域を有する貯氷容器を使っていたため、氷の使用量が少ない（貯えておくべき氷の量が少ない）時期に、余った貯氷領域を他の冷凍貯蔵物の収納に利用することが困難であった。
【００１６】
そこで、本発明は、複数の製氷皿を有する自動製氷装置を備えた冷蔵庫において、状況に応じて貯氷に使っていた領域を、他の冷凍貯蔵物の収納に利用できるようにすることを目的とする。
【００１７】
【課題を解決するための手段】
本発明の請求項１に記載の冷蔵庫の発明は、  利用者が製氷動作の停止ができる自動製氷装置と、複数の製氷皿と、取外し可能な区画壁もしくは変位可能な区画壁により、前記複数の製氷皿のそれぞれに対応した複数の貯氷領域を形成する貯氷容器とを備え、前記複数の製氷皿のうちの特定の製氷皿に対応する貯氷領域に氷が落ちてくることがない場合に、前記氷が落ちてくることがない貯氷領域を他の冷凍貯蔵物の収納に利用することが可能な貯氷領域を備えたものであり、利用者は氷が落ちてくることがない貯氷領域を他の冷凍貯蔵物の収納に利用することができ、使い勝手がよいという作用を有する。
【００１９】
したがって、特定の製氷皿に対応する貯氷領域（または、特定の製氷皿に対応する独立した貯氷容器）を、他の冷凍貯蔵物の収納容器として、他の冷凍貯蔵物の収納に利用することができるという作用を有する。
【００２０】
また、単純に、通常用途の氷と特殊用途の氷とを別々の製氷皿で製氷させ、特殊用途の氷を製氷する製氷皿を強制停止可能な特定の製氷皿に設定してある場合で、特殊用途の氷を使わず（貯えておく必要がなく）、通常用途の氷を多く貯えておきたい場合に、操作部に対して所定の操作をすることにより、特殊用途の氷の貯氷領域（または、貯氷容器）を、通常用途の氷の貯氷に利用することができるという作用を有する。
【００２１】
このとき、取外し可能な仕切りにより一つの貯氷容器が複数の製氷皿に応じた複数の貯氷領域に区画されているのであれば、仕切りを取外すことにより、一つの貯氷容器全体に通常用途の氷を貯氷することができる。
【００２２】
また、複数の製氷皿に応じて複数の独立した取外し可能な貯氷容器がある場合は、通常用途の氷で満杯になった貯氷容器を空の貯氷容器と入れ替えることにより、複数の貯氷容器に通常用途の氷を貯氷することができ、その他の場合でも、満杯の氷を移し替えることにより、特殊用途の氷の貯氷領域（または、貯氷容器）を、通常用途の氷の貯氷に利用することができる
本発明の請求項２に記載の冷蔵庫の発明は、複数の製氷皿をもつ自動製氷装置と、前記複数の製氷皿のそれぞれに対応して個別に設けられた複数の操作部とを備え、前記操作部に対して所定の操作をすると前記操作部に対応した前記製氷皿による製氷が強制的に停止されるものであり、複数の操作部の内のいずれかの操作部に対して所定の操作をすると、複数の製氷皿の内の操作した操作部に対応した製氷皿による製氷が強制的に停止される。
【００２３】
請求項２に記載の発明は、請求項１に記載の発明における操作部を複数に増やして、製氷を強制的に停止できる製氷皿を、請求項１に記載の発明の１つから操作部の数と同数の複数に増やせるようにしたものであり、複数の製氷皿のうち利用者が製氷動作の停止を望む方の製氷皿での製氷動作を、利用者が簡単に停止できるという作用を有する。
【００２４】
例えば、複数の製氷皿に応じて複数の貯氷領域が形成された貯氷容器の場合は貯氷容器における使用者が希望する貯氷領域に、複数の製氷皿に応じて複数の独立した貯氷容器がある場合は使用者が希望する独立した貯氷容器に、他の冷凍貯蔵物を収納したい場合に、他の冷凍貯蔵物を収納するために貯氷を止めたい貯氷領域（または、貯氷容器）に対応する（製氷を止めたい製氷皿に対応する）操作部に対して所定の操作をすると、複数の製氷皿のうちの操作した操作部に対応した製氷皿による製氷が強制的に停止され、複数の貯氷領域（または、独立した貯氷容器）のうちの操作した操作部に対応した貯氷領域（または、独立した貯氷容器）に他の冷凍貯蔵物を収納しても、その冷凍貯蔵物の上に氷が落ちてくることはない。
【００２５】
したがって、同形状の氷を複数の製氷皿で製氷する場合で、氷の使用量が少ない（貯えておくべき氷の量が少ない）時や、形状大きさの異なる複数種類の氷を複数の製氷皿を使って製氷する（製氷する氷の形状大きさを製氷皿毎に変える）ようにしてある場合で、全種類の氷を使わない（貯えておく必要がない）時などに、貯氷を止めたい貯氷領域（または、貯氷容器）に対応する（製氷を止めたい製氷皿に対応する）操作部に対して所定の操作をすることにより、特定の製氷皿に対応する貯氷領域（または、特定の製氷皿に対応する独立した貯氷容器）を、他の冷凍貯蔵物の収納容器として、他の冷凍貯蔵物の収納に利用することができるという作用を有する。
【００２６】
また、単純に、形状大きさの異なる複数種類の氷を複数の製氷皿を使って製氷する（製氷する氷の形状大きさを製氷皿毎に変える）ようにしてある場合で、使わない（貯えておく必要がない）種類の氷の製氷を止めて、その分、使用する種類の氷の貯氷量を増やしたい場合に、製氷を止めたい氷（製氷皿）に対応する操作部に対して所定の操作をすることにより、使わない（貯えておく必要がない）種類の氷のための貯氷領域（または、貯氷容器）に、使用する種類の氷を入れて使用する種類の氷の貯氷量を増やすことができるという作用を有する。
【００２７】
なお、複数の操作部は、操作部を操作することにより前回操作された別の操作部の操作が自動的に解除されるようにして、複数の製氷皿のうちのいずれか一つの製氷皿を選択するものとしても構わないが、前回操作された別の操作部の操作が自動的に解除されないようにして、複数の製氷皿を両方を選択できるようにした方が、使い勝手がよい。
【００２８】
本発明の請求項３に記載の冷蔵庫の発明は、複数の製氷皿をもつ自動製氷装置と、前記複数の製氷皿のうちで製氷を強制的に停止させたい製氷皿を選択する切り換えスイッチとを備え、前記切り換えスイッチを操作して停止させたい製氷皿を選択すると選択された前記製氷皿による製氷が強制的に停止されるものであり、切り換えスイッチを操作して複数の製氷皿のうちの停止させたい製氷皿を選択すると、複数の製氷皿のうちの選択された製氷皿による製氷が強制的に停止される。
【００２９】
請求項３に記載の発明は、請求項２に記載の発明において複数の操作部で行っていた操作を、一つの切り換えスイッチの操作で行えるようにしたものであり、複数の製氷皿のうち利用者が製氷動作の停止を望む方の製氷皿での製氷動作を、利用者が簡単に停止できるという作用を有する。
【００３０】
例えば、複数の製氷皿に応じて複数の貯氷領域が形成された貯氷容器の場合は貯氷容器における使用者が希望する貯氷領域に、複数の製氷皿に応じて複数の独立した貯氷容器がある場合は使用者が希望する独立した貯氷容器に、他の冷凍貯蔵物を収納したい場合に、切り換えスイッチを操作して、他の冷凍貯蔵物を収納するために貯氷を止めたい貯氷領域（または、貯氷容器）に対応する製氷皿（製氷を止めたい製氷皿）を選択すると、複数の製氷皿のうちの選択された製氷皿による製氷が強制的に停止され、複数の貯氷領域（または、独立した貯氷容器）のうちの選択された製氷皿に対応した貯氷領域（または、独立した貯氷容器）に他の冷凍貯蔵物を収納しても、その冷凍貯蔵物の上に氷が落ちてくることはない。
【００３１】
したがって、同形状の氷を複数の製氷皿で製氷する場合で、氷の使用量が少ない（貯えておくべき氷の量が少ない）時や、形状大きさの異なる複数種類の氷を複数の製氷皿を使って製氷する（製氷する氷の形状大きさを製氷皿毎に変える）ようにしてある場合で、全種類の氷を使わない（貯えておく必要がない）時などに、切り換えスイッチを操作して、貯氷を止めたい貯氷領域（または、貯氷容器）に対応する製氷皿（製氷を止めたい製氷皿）を選択することにより、特定の製氷皿に対応する貯氷領域（または、特定の製氷皿に対応する独立した貯氷容器）を、他の冷凍貯蔵物の収納容器として、他の冷凍貯蔵物の収納に利用することができるという作用を有する。
【００３２】
また、単純に、形状大きさの異なる複数種類の氷を複数の製氷皿を使って製氷する（製氷する氷の形状大きさを製氷皿毎に変える）ようにしてある場合で、使わない（貯えておく必要がない）種類の氷の製氷を止めて、その分、使用する種類の氷の貯氷量を増やしたい場合に、切り換えスイッチを操作して、貯氷を止めたい貯氷領域（または、貯氷容器）に対応する製氷皿（製氷を止めたい製氷皿）を選択することにより、使わない（貯えておく必要がない）種類の氷のための貯氷領域（または、貯氷容器）に、使用する種類の氷を入れて使用する種類の氷の貯氷量を増やすことができるという作用を有する。
【００３３】
なお、切り換えスイッチとしては、ダイヤル式のスイッチを採用でき、複数の製氷皿のうちのいずれか一つの選択だけでなく、複数の製氷皿の全ての製氷皿の製氷動作の停止や、複数の製氷皿の全ての製氷皿で製氷動作の実行、自動製氷装置が３つ以上の製氷皿を有する場合であれば、さらに、２つ以上の複数の製氷皿の同時選択を選択できるようなものが望ましい。
【００３４】
本発明の請求項４に記載の冷蔵庫の発明は、請求項１から３のいずれか一項記載の発明において、回動動作の途中の時点で、製氷を強制的に停止するための操作がなされた製氷皿は、前記製氷皿の開口部が上になる初期位置に戻って停止するものであり、脱氷動作に入った製氷皿に対して、製氷を強制的に停止するための操作がなされた場合は、脱氷動作を終了して初期位置まで戻って製氷動作を停止する。
【００３５】
そのため、脱氷動作の途中で製氷皿が停止してしまうことで駆動部分に高負荷の回転力が加わり続けることもなく、また脱氷のため製氷皿がひねられた状態で長時間停止してしまうことで製氷皿が変形してしまう虞もなく、自動製氷装置の品質（信頼性）を長期に亘って維持できるという作用を有する。
【００３６】
なお、製氷動作を停止された製氷皿については、脱氷して空の状態で初期位置で停止しているのか、氷または水が入った状態で初期位置で停止しているのかを自動製氷装置において記憶させ、再び製氷動作を行うようになった時に、その記憶内容をもとに次の動作に入るものとする。
【００３７】
本発明の請求項５に記載の冷蔵庫の発明は、請求項１から４のいずれか一項記載の発明に加えて、取外し可能な区画壁もしくは変位可能な区画壁により、複数の製氷皿のそれぞれに対応した複数の貯氷領域を形成する状態と、一つの貯氷領域を形成する状態とに変化する貯氷容器を備えたものであり、取外し可能な区画壁の取付け取外し、または、変位可能な区画壁の移動により、貯氷容器を複数の製氷皿のそれぞれに対応した複数の貯氷領域を形成する状態と、一つの貯氷領域を形成する状態とに変化させることができるので、自動製氷装置の使い方に合わせて、貯氷容器の貯氷領域を有効利用できるという作用を有する。
【００３８】
例えば、形状大きさの異なる複数種類の氷を複数の製氷皿を使って製氷する（製氷する氷の形状大きさを製氷皿毎に変える）ようにしてある場合などで、複数の製氷皿のそれぞれに対応した複数の貯氷領域が必要な時は、取外し可能な区画壁を所定の位置に取付けることにより、または、変位可能な区画壁を所定の位置に位置させることにより、複数の製氷皿のそれぞれに対応した複数の貯氷領域を形成する貯氷容器とすることができ、１種類の氷を多く貯えておきたい場合や、複数種類の氷が混ざっても構わないからとにかく氷を多く貯えておきたい場合などで、大きい一つの貯氷領域が必要な時は、取外し可能な区画壁を取外すか貯氷容器の端に寄せて固定することにより、または、変位可能な区画壁を貯氷容器の端に寄せることにより、一つの貯氷領域を形成する貯氷容器とすることができるという作用を有する。
【００３９】
本発明の請求項６に記載の冷蔵庫の発明は、複数の製氷皿で製氷された氷を貯氷する貯氷容器と、前記貯氷容器内の所定の複数の取付位置に取外し可能に取付けられ複数の製氷皿に対応して前記貯氷容器内を複数の貯氷領域に区画する区画壁と、前記製氷皿の真下になる取付位置に前記区画壁を取付けたときに真下に前記区画壁が取付けられた製氷皿による製氷を強制的に停止させる製氷停止手段とを備えたものであり、区画壁を取付けることができる複数の取付位置を適切に設定しておき、必要に応じて、取外し可能な区画壁を取付け取外し付替えを行うことにより、貯氷領域の数の増減（最小は１から最大は複数の製氷皿と同数までの増減）、各貯氷領域の大きさ（複数の製氷皿が並ぶ方向の幅）の調節ができるので、自動製氷装置の使い方に合わせて、貯氷容器の貯氷領域を有効利用できるという作用を有する。
【００４０】
なお、取外した区画壁を、貯氷容器における邪魔にならない箇所（例えば、貯氷容器の端）に固定できるようにしておけば、取外した区画壁の紛失を防止できる。
【００４１】
また、製氷皿の真下に区画壁を取付けた場合は、その区画壁の真上に位置する製氷皿による製氷が停止するので、区画壁の上に製氷皿から脱氷された氷が落下することがなく、落下する氷により区画壁が破損する虞がないという作用を有する。
【００４２】
また、複数の製氷皿のうちの特定の製氷皿による製氷を停止させると共に、その特定の製氷皿に隣接する製氷皿の貯氷領域を拡大したい場合は、製氷を停止させたい製氷皿の貯氷領域とそれに隣接し領域を拡大したい貯氷領域とを区画する区画壁を、停止させたい製氷皿の真下に付け替えるという簡単な作業だけで、特定の製氷皿による製氷を停止させ、その特定の製氷皿に隣接する製氷皿の貯氷領域を拡大することができるという作用を有する。
【００４３】
本発明の請求項７に記載の冷蔵庫の発明は、複数の製氷皿で製氷された氷を貯氷する貯氷容器と、前記貯氷容器内に複数の製氷皿の並ぶ方向にスライド移動可能に設けられ前記貯氷容器内を複数の貯氷領域に区画する区画壁と、前記製氷皿の真下になる位置に前記区画壁を位置させたときに真下に前記区画壁が位置している製氷皿による製氷を強制的に停止させる製氷停止手段とを備えたものであり、不要な数の区画壁を他の区画壁や貯氷容器の側壁に重ねることにより、貯氷領域の数の増減（最小は１から最大は複数の製氷皿と同数までの増減）でき、また、区画壁をスライド移動させることにより、各貯氷領域の大きさ（複数の製氷皿が並ぶ方向の幅）の調節ができるので、自動製氷装置の使い方に合わせて、貯氷容器の貯氷領域を有効利用できるという作用を有する。
【００４４】
また、製氷皿の真下に区画壁を配置させた場合は、その区画壁の真上に位置する製氷皿による製氷が停止するので、区画壁の上に製氷皿から脱氷された氷が落下することがなく、落下する氷により区画壁が破損する虞がないという作用を有する。
【００４５】
また、複数の製氷皿のうちの特定の製氷皿による製氷を停止させると共に、その特定の製氷皿に隣接する製氷皿の貯氷領域を拡大したい場合は、製氷を停止させたい製氷皿の貯氷領域とそれに隣接し領域を拡大したい貯氷領域とを区画する区画壁を、停止させたい製氷皿の真下にスライド移動させるという簡単な作業だけで、特定の製氷皿による製氷を停止させ、その特定の製氷皿に隣接する製氷皿の貯氷領域を拡大することができるという作用を有する。
【００４６】
本発明の請求項８に記載の冷蔵庫の発明は、請求項１から４のいずれか一項記載の発明に加えて、複数の製氷皿で製氷された氷を貯氷する貯氷容器と、複数の製氷皿に対応して前記貯氷容器内を複数の貯氷領域に区画する区画壁とを備え、前記区画壁は、下端が前記貯氷容器の固定部に前記区画壁の下辺を回動軸として回動自在に固定されると共に、前記区画壁が前記貯氷容器の底面に対して垂直に立った状態と前記貯氷容器の底面に対して平行に倒れた状態で前記貯氷容器に保持されるものである。
【００４７】
上記構成において、貯氷容器内の区画が必要な場合は区画壁を貯氷容器の底面に対して垂直に立たせることにより、区画壁として機能させて、例えば、製氷皿毎に異なる種類の氷を製氷している場合に適した、複数の製氷皿に対応した複数の貯氷領域を形成することができ、貯氷容器内の区画が不要な場合は区画壁を貯氷容器の底面に対して平行に倒して区画壁を貯氷容器の底面に重ねることにより、区画壁として機能せず、しかも区画壁が貯氷の邪魔にならないようにでき、例えば、同じ種類の氷を多量に貯氷する場合に適した、一つの大きな貯氷領域を形成することができ、自動製氷装置の使い方に合わせて、貯氷容器の貯氷領域を有効利用できるという作用を有する。また、切り換えのための区画壁の操作が簡単で、区画壁が貯氷容器に回動可能に固定されているので、外した区画壁の置き場所に困ることも、区画壁を紛失する虞も、区画壁の位置がずれてしまう虞もないという作用を有する。
【００４８】
本発明の請求項９に記載の冷蔵庫の発明は、複数の製氷皿をもつ自動製氷装置と、前記複数の製氷皿のそれぞれに対応して取付け取外し可能に配設される複数の貯氷容器と、各貯氷容器の配設状態を感知する貯氷容器感知手段とを備え、前記複数の貯氷容器の内のいずれかの貯氷容器が取外された場合に、前記貯氷容器感知手段が働いて、前記複数の製氷皿の内の対応する貯氷容器がなくなった製氷皿による製氷が強制的に停止されるものである。
【００４９】
上記構成において、貯氷容器を取外すと、貯氷容器が取外されたことを貯氷容器感知手段で感知して、取外された貯氷容器に対応する製氷皿の製氷動作が停止する。したがって、複数の製氷皿のうち利用者が製氷動作の停止を望む方の製氷皿での製氷動作を、利用者が簡単に停止できるという作用を有する。
【００５０】
また、取外された貯氷容器は、冷蔵庫の外で使ったり、冷蔵庫の他の貯蔵物の容器として利用できる。また、貯氷容器を取外すことにより空いたスペースには貯氷容器感知手段によって誤感知されない貯蔵物収納容器を使って氷以外の冷凍食品を収納する（貯氷容器が別の収納容器内に配置される構造であれば、空いたスペースに直接、冷凍食品を収納する）ことができ、その冷凍食品などの冷凍貯蔵物の上に製氷皿から氷が落下してくることはない。したがって、自動製氷装置の使い方に合わせて、貯氷容器の貯氷領域を有効利用できるという作用を有する。
【００５１】
また、取外していた貯氷容器を元の位置に戻すと、貯氷容器が取付けられたことを貯氷容器感知手段で感知して、貯氷容器が戻された貯氷容器に対応する製氷皿が製氷動作を再開する。したがって、停止していた製氷皿による製氷が必要になった時には、利用者が、貯氷容器を元の位置に戻すという簡単な作業で、停止していた製氷皿による製氷動作を再開させることができるという作用を有する。
【００５２】
本発明の請求項１０に記載の冷蔵庫の発明は、請求項１から４のいずれか一項記載の発明に加えて、複数の製氷皿で製氷された氷を貯氷する貯氷容器を備え、前記貯氷容器は前記複数の製氷皿の並ぶ方向の寸法を伸縮できるように構成されているものであり、必要に応じて貯氷容器全体または伸縮する側の製氷皿に対応する貯氷領域の貯氷容量を増減できるという作用を有する。
【００５３】
また、貯蔵容器が冷凍室の片側に寄せて配置され、冷凍室の残りの空間が冷凍食品などの他の冷凍貯蔵物の収納に使われる構造になっている場合は、貯氷容器の伸縮により冷凍貯蔵物の収納空間を増減でき、冷凍貯蔵物の収納空間を拡げたいときは貯氷容器（伸縮する側の製氷皿に対応する貯氷領域）を小さく縮めることにより冷凍貯蔵物の収納空間を拡げ、冷凍貯蔵物の収納空間は小さくても構わないから貯氷容器全体の貯氷量または伸縮する側の製氷皿に対応する貯氷領域を増やしたいときは貯氷容器を大きく伸ばすことにより冷凍貯蔵物の収納空間を小さくして貯氷容器の貯氷量を増やすことができるという作用を有する。
【００５４】
なお、貯蔵容器の伸縮する側の製氷皿は、他の製氷皿と同じ種類の氷を製氷する製氷皿とするか、他の製氷皿と種類の異なる利用者や季節等によって使用量が変動しやすい特殊用途の氷にしておけば、実用的である。
【００５５】
また、貯蔵容器の伸縮する側の製氷皿を、操作により製氷を強制的に停止するようにしておけば、貯氷容器を小さく縮めた場合に、製氷皿から脱氷された氷が貯氷容器の外に落下することを防止できる。
【００５６】
本発明の請求項１１に記載の冷蔵庫の発明は、請求項１０記載の発明において、貯氷容器に複数の製氷皿に対応して複数の貯氷領域が形成され、複数の貯氷領域のうち一方の端の貯氷領域を無くすことができるように構成されているものであり、必要に応じて貯氷容器の一方の端の貯氷領域を無くすことができるという作用を有する。
【００５７】
また、貯蔵容器が冷凍室の片側に寄せて配置され、冷凍室の残りの空間が冷凍食品などの他の冷凍貯蔵物の収納に使われる構造になっている場合で、冷凍貯蔵物の収納空間を大きく拡げたいときは、貯氷容器を小さく縮めて貯氷容器の一方の端の貯氷領域を無くすことにより冷凍貯蔵物の収納空間を大きく拡げることができるという作用を有する。
【００５８】
本発明の請求項１２に記載の冷蔵庫の発明は、請求項１から４のいずれか一項記載の発明において、複数の製氷皿をもつ自動製氷装置は、引出し式扉と共に前方に引出される冷凍容器を有する冷凍室の左右どちらか片側に寄せて配置され、前記複数の製氷皿の下方には前記複数の製氷皿に対応して前記冷凍容器内を貯氷領域と他の冷凍貯蔵物の収納領域とに仕切る仕切り壁を兼ねる複数の貯氷容器が取付け取外し可能に前記冷凍容器内に配設され、前記複数の製氷皿は、製氷が強制的に停止されない製氷皿もしくは前記複数の製氷皿のうち製氷が強制的に停止されない可能性が比較的高い製氷皿が前記冷凍室の側面に近接して位置し、前記複数の製氷皿のうち製氷が強制的に停止される可能性が最も高い製氷皿が前記冷凍容器における他の冷凍貯蔵物の収納領域に近接して位置するものである。
【００５９】
上記構成において、冷凍容器における他の冷凍貯蔵物の収納領域に近接して位置する製氷皿の製氷動作を、操作により強制的に停止させると、その製氷皿に対応した貯氷容器を他の冷凍貯蔵物の収納に利用できるだけでなく、その製氷皿に対応した貯氷容器を取外して、取外した貯氷容器の分だけ他の冷凍貯蔵物の収納領域を広くすることができる。したがって、自動製氷装置の使い方に合わせて、貯氷容器の貯氷領域を有効利用できるという作用を有する。
【００６０】
また、複数の製氷皿は、製氷が強制的に停止されない製氷皿もしくは複数の製氷皿のうち製氷が強制的に停止されない可能性が比較的高い製氷皿を冷凍室の側面に近接して位置させ、複数の製氷皿のうち製氷が強制的に停止される可能性が最も高い製氷皿を冷凍容器における他の冷凍貯蔵物の収納領域に近接して位置させたので、氷を多く貯えておく必要がない時や、貯えておく必要がない種類の氷を製氷する製氷皿がある時で、一部の製氷皿の製氷を停止させる場合に、他の冷凍貯蔵物の収納領域に近接する製氷皿を停止させることになる可能性が高く、そのため、停止させた製氷皿の氷を貯氷する貯氷容器を取外した場合に、取外した貯氷容器の分だけ他の冷凍貯蔵物の収納領域が広くなる可能性が高く、実用的である。
【００６１】
本発明の請求項１３に記載の冷蔵庫の発明は、請求項１から４のいずれか一項記載の発明において、複数の製氷皿をもつ自動製氷装置は、引出し式扉と共に前方に引出される冷凍容器を有する冷凍室の左右どちらか片側に寄せて配置され、前記複数の製氷皿の下方には前記冷凍容器内を貯氷領域と他の冷凍貯蔵物の収納領域とに仕切る仕切壁を兼ねる貯氷容器が前記冷凍容器内に配設され、前記複数の製氷皿は、製氷が強制的に停止されない製氷皿もしくは前記複数の製氷皿のうち製氷が強制的に停止されない可能性が比較的高い製氷皿が前記冷凍室の側面に近接して位置し、前記複数の製氷皿のうち製氷が強制的に停止される可能性が最も高い製氷皿が前記冷凍容器における他の冷凍貯蔵物の収納領域に近接して位置し、前記貯氷容器における前記仕切壁として機能する側壁が前記冷凍室の左右方向に移動可能に構成されているものである。
【００６２】
上記構成において、冷凍容器における他の冷凍貯蔵物の収納領域に近接して位置する製氷皿による氷を通常より多く貯えたい場合は、貯氷容器における仕切壁として機能する側壁を貯氷容器が大きくなる方向に移動させることにより、冷凍容器の他の冷凍貯蔵物の収納領域を全て貯氷領域にしてしまう場合を上限として、その製氷皿による氷を通常より多く貯えることができる。
【００６３】
また、冷凍容器における他の冷凍貯蔵物の収納領域に近接して位置する製氷皿による氷の貯氷量を通常より少なくしたい場合は、貯氷容器における仕切壁として機能する側壁を貯氷容器が小さくなる方向に移動させることにより、その製氷皿による氷の貯氷量を通常より少なくでき、貯氷容器における仕切壁として機能する側壁を移動した分だけ他の冷凍貯蔵物の収納領域を広くすることができる。したがって、自動製氷装置の使い方に合わせて、貯氷容器の貯氷領域を有効利用できるという作用を有する。
【００６４】
この時、冷凍容器における他の冷凍貯蔵物の収納領域に近接して位置する製氷皿による氷の製氷を、操作により停止させた場合は、停止させた製氷皿の隣の停止させていない製氷皿から脱氷された氷が貯氷容器の外に落ちないように、貯氷容器における仕切壁として機能する側壁の位置を調節する必要があり、冷凍容器における他の冷凍貯蔵物の収納領域に近接して位置する製氷皿による氷の製氷を続ける場合は、その製氷皿から脱氷された氷が貯氷容器の外に落ちないように、貯氷容器における仕切壁として機能する側壁の位置を調節する必要がある。
【００６５】
また、複数の製氷皿は、製氷が強制的に停止されない製氷皿もしくは複数の製氷皿のうち製氷が強制的に停止されない可能性が比較的高い製氷皿を冷凍室の側面に近接して位置させ、複数の製氷皿のうち製氷が強制的に停止される可能性が最も高い製氷皿を冷凍容器における他の冷凍貯蔵物の収納領域に近接して位置させたので、氷を多く貯えておく必要がない時や、貯えておく必要がない種類の氷を製氷する製氷皿がある時で、一部の製氷皿の製氷を停止させる場合に、他の冷凍貯蔵物の収納領域に近接する製氷皿を停止させることになる可能性が高く、そのため、停止させた製氷皿の氷を貯氷する貯氷領域を無くすか小さくして、その分他の冷凍貯蔵物の収納領域を広くできる可能性が高く、実用的である。
【００６６】
本発明の請求項１４に記載の冷蔵庫の発明は、請求項１３記載の発明において、貯氷容器に複数の製氷皿に対応して複数の貯氷領域が形成され、複数の貯氷領域のうち他の冷凍貯蔵物の収納領域に近接する貯氷領域を無くすことができるように構成されているものであり、必要に応じて、複数の貯氷領域のうち他の冷凍貯蔵物の収納領域に近接する貯氷領域を無くし、その分だけ冷凍貯蔵物の収納空間を拡げることができるという作用を有する。
【００６７】
なお、貯氷容器を小さく縮めることにより氷を貯めるための領域が無くなる貯氷領域に対応する製氷皿は、他の製氷皿と同じ種類の氷を製氷する製氷皿とするか、他の製氷皿と種類の異なる利用者や季節等によって使用量が変動しやすい特殊用途の氷にしておけば、実用的である。
【００６８】
また、貯氷容器を小さく縮めることにより氷を貯めるための領域が無くなる貯氷領域に対応する製氷皿を、操作により製氷を強制的に停止するようにしておけば、貯氷容器を小さく縮めた場合に、製氷皿から脱氷された氷が貯氷容器の外に落下することを防止できる。
【００６９】
【発明の実施の形態】
以下、本発明による冷蔵庫の実施の形態について、図面を参照しながら説明する。なお、先に説明した実施の形態のものと同一構成については、同一符号を付して詳細な説明を省略する。
【００７０】
（実施の形態１）
図１は本発明の実施の形態１による冷蔵庫の自動製氷装置の構成を示すブロック図、図２は同実施の形態による冷蔵庫の冷凍室部分を切り欠いた正面図、図３は同実施の形態による冷蔵庫の自動製氷装置の構成を示す概略図、図４は同実施の形態による冷蔵庫の自動製氷装置の動作を示すフローチャート、図５は同実施の形態による冷蔵庫において第２製氷皿を停止させる操作をしたときの動作を示すフローチャート、図６は同実施の形態による冷蔵庫において第２製氷皿の停止を解除する操作をしたときの動作を示すフローチャートである。
【００７１】
図において、１は冷蔵庫であり、上段に冷蔵室２、中段に野菜室３、下段に冷凍室４が、それぞれ形成された断熱箱体からなる冷蔵庫本体５と、冷蔵室２と野菜室３と冷凍室４の前面開口部をそれぞれ開閉する右または左開きの冷蔵室扉６、引き出し式の野菜室扉７、引き出し式の冷凍室扉とから構成されている。
【００７２】
冷凍室４には、冷凍室扉と共に引き出される上下２段の冷凍容器８，９が設けられている。上段の冷凍容器８内の左端には第１貯氷領域１０ａ（左側（外側）の貯氷領域）、第２貯氷領域１０ｂ（右側（内側）の貯氷領域）と区画壁１０ｃとを有する貯氷容器１０が配置され、各貯氷領域１０ａ，１０ｂの上方には、対応する貯氷領域１０ａ，１０ｂに氷を落下させる２つの第１製氷皿１１ａ、第２製氷皿１１ｂと各製氷皿１１ａ，１１ｂを回動駆動する駆動装置１２が配置されている。
【００７３】
左側の第１製氷皿１１ａと右側の第２製氷皿１１ｂは、可塑性樹脂のポリプロピレンで成形されており、氷形状を決定する複数の氷室と、氷室を一括固定する氷室枠と、氷室枠の長手方向中心軸の端部に形成された回転軸とを有する。
【００７４】
この氷室は、回動軸を中心に第１、第２製氷皿１１ａ，１１ｂの長手方向の両端部を互いに逆方向に回動させる力を加えて、第１、第２製氷皿１１ａ，１１ｂを捻ると、氷室内の氷に氷室の開口部方向に押し出す力が働くように、氷室の側面は上方に向かうにしたがって外側に傾斜している。
【００７５】
なお、左側（冷凍室４の左側壁に近接する側）の第１製氷皿１１ａは、通常用途に使用する大きさ形の氷を製氷するものであり、右側（上段の冷凍容器８の氷以外の冷凍貯蔵物の収納領域８ａに隣接する側）の第２製氷皿１１ｂは、特殊用途に使用する氷、例えば、小さい氷を製氷するものである。
【００７６】
また、第１製氷皿１１ａと第２製氷皿１１ｂの下面には、それぞれ温度センサーからなり、氷室内の水（氷）の温度を間接検知する第１温度検知手段１３ａ、第２温度検知手段１３ｂが取り付けられている。
【００７７】
駆動装置１２は、第１製氷皿１１ａ、第２製氷皿１１ｂの各々の回転軸を保持し必要に応じて第１製氷皿１１ａ、第２製氷皿１１ｂを図中矢印方向（外向き）に反転させて脱氷させるものであり、駆動装置１２の内部には駆動源たるモータと、モータの回転を第１製氷皿１１ａ、第２製氷皿１１ｂに減速伝達する複数の減速歯車等が配置されている。
【００７８】
１４ａ，１４ｂは、それぞれ、一端（固定端）が駆動装置１２の左右両側面に回動自在に支持され駆動装置１２（減速歯車に形成されたのカムと、バネなどの付勢手段の働き）により上下に回動駆動され、第１製氷皿１１ａ、第２製氷皿１１ｂが脱氷動作を行う前に、他端（自由端）が貯氷容器１０内への進入動作（バネなどの付勢手段による付勢力による動作）と、貯氷容器１０内からの退出動作（カムによる動作）を行い、貯氷容器１０内へ進入（降下）したときの他端の進入深さ（回動角度）を基に各貯氷領域１０ａ，１０ｂの貯氷量を判断するための第１検氷レバー、第２検氷レバーである。
【００７９】
１５は、第１製氷皿１１ａ、第２製氷皿１１ｂへ供給する水を貯えておくための取り外し可能な給水タンクであり、給水タンク１５の蓋１５ａには給水パイプ１５ｂが取り付けられており、給水パイプ１５ｂの出口側を冷蔵室２の奥面側にして、冷蔵室２内の所定位置に配置される。
【００８０】
１６は、給水タンク１５内の水を第１製氷皿１１ａ、第２製氷皿１１ｂへ供給するためのギアポンプからなる給水ポンプであり、冷蔵室２に設けられ、給水タンク１５が所定位置に配置された時に給水タンク１５の給水パイプ１５ｂの出口端が給水ポンプ１６の吸入口に接続されるようになっている。
【００８１】
１７は、１つの入口と２つの出口を有する流路切換弁であり、冷蔵室２に設けられ、入口が給水ポンプ１６の出口に接続され、一方の出口が第１製氷皿１１ａへ水を導く第１パイプ１８ａに接続され、他方の出口が第２製氷皿１１ｂへ水を導く第２パイプ１８ｂに接続され、給水ポンプ１６から出た水の流路を第１製氷皿１１ａ側か、もしくは第２製氷皿１１ｂ側に切り換える。
【００８２】
１９は、冷蔵室扉６の表面に設けられた自動製氷装置の制御を外部から操作する操作部であり、第２製氷皿１１ｂの製氷を強制停止させる第２製氷皿停止ボタン２０を備えている。第２製氷皿停止ボタン２０は、第２製氷皿１１ｂが製氷動作を行っている時に押すと、第２製氷皿１１ｂの製氷を強制停止させ、第２製氷皿１１ｂの製氷を強制停止させている時に押すと、製氷の強制停止が解除され、第２製氷皿１１ｂの製氷動作が再開する。
【００８３】
ここで、第２製氷皿１１ｂが製氷動作を行っているか強制停止されているかが、操作部１９を見るだけで分かるように、表示手段に状態表示を行うか、もしくは、表示ランプの点灯、消灯に連動するようにしている。
【００８４】
２１ａは、第１製氷皿１１ａと第１検氷レバー１４ａとを回動駆動する第１製氷皿駆動手段であり、２１ｂは、第２製氷皿１１ｂと第２検氷レバー１４ｂとを回動駆動する第２製氷皿駆動手段である。第１製氷皿駆動手段２１ａと第２製氷皿駆動手段２１ｂは、駆動装置１２の内部のモータと、モータの回転を第１製氷皿１１ａ、第２製氷皿１１ｂに減速伝達する複数の減速歯車と、カム歯車などから構成される。
【００８５】
モータは、第１製氷皿１１ａと第２製氷皿１１ｂで、別々に専用のモータを設けた方が、並行して独立した動作を行えるので、特に第１製氷皿１１ａで製氷する氷と第２製氷皿１１ｂで製氷する氷が異なる場合に、好ましい。
【００８６】
また、第１製氷皿１１ａと第２製氷皿１１ｂとを一つのモータで動作させる場合は、モータの動力が選択的にどちらか一方の製氷皿に伝達されるような機構を設ける。
【００８７】
２２ａ，２２ｂは、それぞれ、第１貯氷量検知手段、第２貯氷量検知手段である。第１貯氷量検知手段２２ａは、押しボタンの押圧時と押圧解除時とで出力信号が異なる第１製氷皿１１ａ用の押しボタンスイッチと、第１検氷レバー１４ａが貯氷容器１０の第１貯氷領域１０ａ内への進入動作をした時に、そのスイッチの押しボタンを押圧する押圧機構と、第１検氷レバー１４ａが第１貯氷領域１０ａ内へ所定深さ以上進入した場合に押圧機構による押しボタンの押圧を阻止する押圧阻止機構とからなる。
【００８８】
同様に、第２貯氷量検知手段２２ｂは、押しボタンの押圧時と押圧解除時とで出力信号が異なる第２製氷皿１１ｂ用の押しボタンスイッチと、第２検氷レバー１４ｂが貯氷容器１０の第２貯氷領域１０ｂ内への進入動作をした時に、そのスイッチの押しボタンを押圧する押圧機構と、第２検氷レバー１４ｂが第２貯氷領域１０ｂ内へ所定深さ以上進入した場合に押圧機構による押しボタンの押圧を阻止する押圧阻止機構とからなる。
【００８９】
２３ａ，２３ｂは、それぞれ、第１製氷皿位置検知手段、第２製氷皿位置検知手段であり、第１製氷皿位置検知手段２３ａは、押しボタンの押圧時と押圧解除時とで出力信号が異なる第１製氷皿１１ａ用の押しボタンスイッチ（第１貯氷量検知手段２２ａのスイッチと兼用）と、第１製氷皿１１ａが最大回動位置に達した時と初期位置（水平位置）に戻った時に、そのスイッチの押しボタンを押圧する押圧機構と、スイッチの出力信号が変化した時点からの時間を計測するタイマー手段とからなる。
【００９０】
同様に、第２製氷皿位置検知手段２３ｂは、押しボタンの押圧時と押圧解除時とで出力信号が異なる第２製氷皿１１ｂ用の押しボタンスイッチ（第２貯氷量検知手段２２ｂのスイッチと兼用）と、第２製氷皿１１ｂが最大回動位置に達した時と初期位置（水平位置）に戻った時に、そのスイッチの押しボタンを押圧する押圧機構と、スイッチの出力信号が変化した時点からの時間を計測するタイマー手段とからなる。
【００９１】
２４は、第１、第２製氷皿１１ａ，１１ｂの製氷動作を制御する製氷制御手段であり、第１、第２温度検知手段１３ａ，１３ｂと、第１、第２貯氷量検知手段２２ａ，２２ｂと、第１、第２製氷皿位置検知手段２３ａ，２３ｂと、第２製氷皿停止ボタン２０とからの信号を基に、給水ポンプ１６と、流路切換弁１７と、第１、第２製氷皿駆動手段２１ａ，２１ｂとを制御する。
【００９２】
本実施の形態の冷蔵庫の自動製氷装置は、図１に示された各構成要素（第１、第２温度検知手段１３ａ，１３ｂと第１、第２貯氷量検知手段２２ａ，２２ｂと第１、第２製氷皿位置検知手段２３ａ，２３ｂと第２製氷皿停止ボタン２０と給水ポンプ１６と流路切換弁１７と第１、第２製氷皿駆動手段２１ａ，２１ｂと第１、第２検氷レバー１４ａ，１４ｂと第１、第２製氷皿１１ａ，１１ｂと製氷制御手段２４）と、給水タンク１５と、第１、第２パイプ１８ａ，１８ｂと、駆動装置１２と、貯氷容器１０とからなる。
【００９３】
自動製氷装置の製氷部（第１、第２製氷皿１１ａ，１１ｂと第２検氷レバー１４ａ，１４ｂと駆動装置１２と貯氷容器１０）は、冷凍温度帯の室（冷凍室４）に設けられ、給水タンク１５と給水ポンプ１６と流路切換弁１７は冷蔵温度帯の室（冷蔵室２）に設けられる。
【００９４】
以上のように構成された本実施の形態の冷蔵庫について、以下、製氷制御手段２４の制御動作を中心に、製氷動作を、図４のフローチャートを参照しながら説明する。
【００９５】
なお、給水タンク１５内には充分な量の水が入っており、第１製氷皿１１ａと第２製氷皿１１ｂの複数の氷室は空状態で、第２製氷皿停止ボタン２０が押されていない（第２製氷皿１１ｂの製氷停止機能が働いていない）ものとする。また、本実施の形態では、第１製氷皿１１ａと第２製氷皿１１ｂへの給水は、第１製氷皿１１ａを優先させている。
【００９６】
まず、流路切換弁１７が、第１製氷皿１１ａへ水を導く第１パイプ１８ａを選択している（給水ポンプ１６の出口と、第１製氷皿１１ａへ水を導く第１パイプ１８ａとを連通させている）状態で、製氷制御手段２４が、ギアポンプからなる給水ポンプ１６を所定回転数で所定時間駆動する。
【００９７】
このとき、給水ポンプ１６の働きで、給水タンク１５内の水は、給水タンク１５の蓋１５ａに取り付けられた給水パイプ１５ｂの水没側の端部から吸い込まれ、給水ポンプ１６と流路切換弁１７と第１パイプ１８ａとを通って、第１製氷皿１１ａに注がれ、第１製氷皿１１ａの複数の氷室に適量の水が入る（Ｓｔｅｐ１）。なお、この時の給水ポンプ１６の駆動時間は、予め計測しておいた、給水ポンプ１６の駆動により第１製氷皿１１ａの複数の氷室に適量の水を入れるのに必要な時間に設定している。
【００９８】
第１製氷皿１１ａへの定量給水が終了すると、製氷制御手段２４が、流路切換弁１７を制御して、給水ポンプ１６の出口と、第２製氷皿１１ｂへ水を導く第２パイプ１８ｂとが連通するように、流路切換弁１７を切換させた後、給水ポンプ１６を所定回転数で所定時間駆動して、第２製氷皿１１ｂへの定量給水を行う。なお、この時の給水ポンプ１６の駆動時間は、予め計測しておいた、給水ポンプ１６の駆動により第２製氷皿１１ｂの複数の氷室に適量の水を入れるのに必要な時間に設定している。
【００９９】
やがて、第１製氷皿１１ａ（または、第２製氷皿１１ｂ）内の水が周囲の冷気（ファンにより循環する冷凍室４の冷気）により凍結する（Ｓｔｅｐ２）。
【０１００】
そして、第１製氷皿１１ａ（または、第２製氷皿１１ｂ）の温度（氷室の氷の温度）が所定温度にまで低下したことを第１温度検知手段１３ａ（または、第２温度検知手段１３ｂ）により検知する（Ｓｔｅｐ３）と、製氷制御手段２４からの指令により、第１製氷皿駆動手段２１ａ（または、第２製氷皿駆動手段２１ｂ）が第１製氷皿１１ａ（または、第２製氷皿１１ｂ）の回動を開始する（Ｓｔｅｐ４）。このとき、左側に位置する第１製氷皿１１ａは左回り（反時計回り）に回動し、右側に位置する第２製氷皿１１ｂは右回り（時計回り）に回動する。
【０１０１】
第１製氷皿１１ａ（または、第２製氷皿１１ｂ）が回動を開始した後、バネなどの付勢手段により第１製氷皿駆動手段２１ａ（または、第２製氷皿駆動手段２１ｂ）の減速歯車に形成されたカムに押し付けられる第１検氷レバー１４ａ（または、第２検氷レバー１４ｂ）の回転軸の外周突起が、カムの下り傾斜面にさしかかり、第１検氷レバー１４ａ（または、第２検氷レバー１４ｂ）の回転軸の外周突起をカムに押し付ける付勢手段による付勢力で、第１検氷レバー１４ａ（または、第２検氷レバー１４ｂ）の自由端が貯氷容器１０の第１貯氷領域１０ａ（または、第２貯氷領域１０ｂ）内へ進入（降下）していく（Ｓｔｅｐ５）。
【０１０２】
この時、貯氷容器１０の第１貯氷領域１０ａ（または、第２貯氷領域１０ｂ）には所定量以上の氷がないので、第１検氷レバー１４ａ（または、第２検氷レバー１４ｂ）の自由端は、貯氷容器１０の第１貯氷領域１０ａ（または、第２貯氷領域１０ｂ）内へ所定深さ以上進入（Ｓｔｅｐ６をＹｅｓ側に分岐）し、第１貯氷量検知手段２２ａ（第２貯氷量検知手段２２ｂ）において、押圧阻止機構が、第１検氷レバー１４ａ（または、第２検氷レバー１４ｂ）進入（降下）動作時の押圧機構によるスイッチの押しボタンの押圧を阻止するため、第１貯氷量検知手段２２ａ（第２貯氷量検知手段２２ｂ）のスイッチの出力信号は変わらない。
【０１０３】
そして、第１製氷皿１１ａ（または、第２製氷皿１１ｂ）が最大回動位置に向かう方向に回動中で、第１検氷レバー１４ａ（または、第２検氷レバー１４ｂ）の自由端が貯氷容器１０の第１貯氷領域１０ａ（または、第２貯氷領域１０ｂ）内へ進入（降下）しているはずの時間帯に、第１貯氷量検知手段２２ａ（第２貯氷量検知手段２２ｂ）のスイッチの出力信号が変わらなかったことから、製氷制御手段２４は氷不足と判断し（Ｓｔｅｐ７）、第１製氷皿１１ａ（または、第２製氷皿１１ｂ）の回動を続ける。
【０１０４】
その後、第１検氷レバー１４ａ（または、第２検氷レバー１４ｂ）の回転軸の外周突起が、カムの上り傾斜面にさしかかり、付勢手段の付勢力に抗するカムの押圧力で、貯氷容器１０の第１貯氷領域１０ａ（または、第２貯氷領域１０ｂ）内へ進入（降下）していた第１検氷レバー１４ａ（または、第２検氷レバー１４ｂ）の自由端が貯氷容器１０の第１貯氷領域１０ａ（または、第２貯氷領域１０ｂ）内から退出（上昇）する。
【０１０５】
やがて、第１製氷皿１１ａ（または、第２製氷皿１１ｂ）が初期位置から所定角度（１２０〜１５０度）回動すると、第１製氷皿１１ａ（または、第２製氷皿１１ｂ）の反駆動装置側の回動軸から離れた縁がストッパーに当接し脱氷動作に入る（Ｓｔｅｐ８）。
【０１０６】
第１製氷皿１１ａ（または、第２製氷皿１１ｂ）の反駆動装置側の縁がストッパーに当接した後も、第１製氷皿駆動手段２１ａ（または、第２製氷皿駆動手段２１ｂ）による第１製氷皿１１ａ（または、第２製氷皿１１ｂ）の回動は続けられ、第１製氷皿１１ａ（または、第２製氷皿１１ｂ）は捻られて変形し、第１製氷皿１１ａ（または、第２製氷皿１１ｂ）の複数の氷室内の氷は、貯氷容器１０の第１貯氷領域１０ａ（または、第２貯氷領域１０ｂ）内へ第１検氷レバー１４ａ（または、第２検氷レバー１４ｂ）寄りに落下していく。
【０１０７】
そして、第１製氷皿１１ａ（または、第２製氷皿１１ｂ）が最大回動位置に達した時に、第１製氷皿位置検知手段２３ａ（または、第２製氷皿位置検知手段２３ｂ）が信号を出力し（Ｓｔｅｐ９）、製氷制御手段２４は、第１製氷皿位置検知手段２３ａ（または、第２製氷皿位置検知手段２３ｂ）からの信号により、第１製氷皿１１ａ（または、第２製氷皿１１ｂ）が最大回動位置に達したと判断して、第１製氷皿駆動手段２１ａ（または、第２製氷皿駆動手段２１ｂ）のモータを逆方向に回転させて、第１製氷皿駆動手段２１ａ（または、第２製氷皿駆動手段２１ｂ）により第１製氷皿１１ａ（または、第２製氷皿１１ｂ）を逆方向に（初期位置に戻す方向に）回動させる（Ｓｔｅｐ１０）。
【０１０８】
ここで、第１製氷皿１１ａ（または、第２製氷皿１１ｂ）の反駆動装置側の縁がストッパーに当接するときの回動位置から最大回動位置までの回動角度と、最大回動位置の回動角度と、氷室の側面の傾斜角度は、第１製氷皿１１ａ（または、第２製氷皿１１ｂ）の複数の氷室の氷が、全て確実に、第１製氷皿１１ａ（または、第２製氷皿１１ｂ）から落下するように設定してある。
【０１０９】
なお、第１製氷皿１１ａ（または、第２製氷皿１１ｂ）が最大回動位置から初期位置に戻る途中においても、第１検氷レバー１４ａ（または、第２検氷レバー１４ｂ）の自由端が貯氷容器１０の第１貯氷領域１０ａ（または、第２貯氷領域１０ｂ）内に進入（降下）し、退出（退出）する。
【０１１０】
この時、もし、進入（降下）する第１検氷レバー１４ａ（または、第２検氷レバー１４ｂ）の自由端が、氷に当たって、貯氷容器１０の第１貯氷領域１０ａ（または、第２貯氷領域１０ｂ）内へ所定深さ以上進入（降下）できず、第１貯氷量検知手段２２ａ（第２貯氷量検知手段２２ｂ）において、押圧阻止機構が、第１検氷レバー１４ａ（または、第２検氷レバー１４ｂ）進入動作時の押圧機構によるスイッチの押しボタンの押圧を阻止できないため、第１貯氷量検知手段２２ａ（第２貯氷量検知手段２２ｂ）のスイッチの出力信号が変わったとしても、製氷制御手段２４は、無視するように（第１製氷皿１１ａ（または、第２製氷皿１１ｂ）を初期位置から最大回動位置に向かう方向に回動させている時の第１貯氷量検知手段２２ａ（第２貯氷量検知手段２２ｂ）のスイッチの出力信号のみ有効となるように）設定してある。
【０１１１】
やがて、第１製氷皿１１ａ（または、第２製氷皿１１ｂ）が初期位置（水平位置）に戻った時に、第１製氷皿位置検知手段２３ａ（または、第２製氷皿位置検知手段２３ｂ）が信号を出力し（Ｓｔｅｐ１１）、製氷制御手段２４は、第１製氷皿位置検知手段２３ａ（または、第２製氷皿位置検知手段２３ｂ）からの信号により、第１製氷皿１１ａ（または、第２製氷皿１１ｂ）が初期位置に戻ったと判断して、第１製氷皿駆動手段２１ａ（または、第２製氷皿駆動手段２１ｂ）により第１製氷皿１１ａ（または、第２製氷皿１１ｂ）を初期位置で停止させる（Ｓｔｅｐ１２）。そして、Ｓｔｅｐ１に戻って、必要なら流路切換弁１７を切り換えて、脱氷により複数の氷室が空になった第１製氷皿１１ａ（または、第２製氷皿１１ｂ）に対して、給水ポンプ１６により定量給水を行う。
【０１１２】
やがて、Ｓｔｅｐ１からＳｔｅｐ１２までの動作を繰り返していくうちに、貯氷容器１０の第１貯氷領域１０ａ（または、第２貯氷領域１０ｂ）の氷が増えて、Ｓｔｅｐ５で、第１検氷レバー１４ａ（または、第２検氷レバー１４ｂ）の自由端が貯氷容器１０の第１貯氷領域１０ａ（または、第２貯氷領域１０ｂ）内へ進入（降下）した時に、第１貯氷領域１０ａ（または、第２貯氷領域１０ｂ）の氷に当たることより、所定深さ以上進入（降下）できなくなる（Ｓｔｅｐ６をＮｏ側に分岐）。
【０１１３】
その時、第１貯氷量検知手段２２ａ（第２貯氷量検知手段２２ｂ）において、押圧阻止機構が、第１検氷レバー１４ａ（または、第２検氷レバー１４ｂ）進入動作時の押圧機構によるスイッチの押しボタンの押圧を阻止できないため、第１貯氷量検知手段２２ａ（第２貯氷量検知手段２２ｂ）のスイッチの出力信号が変わる（押しボタンが押されることによりスイッチが信号を出力する）。
【０１１４】
そして、第１製氷皿１１ａ（または、第２製氷皿１１ｂ）が最大回動位置に向かう方向に回動中で、第１検氷レバー１４ａ（または、第２検氷レバー１４ｂ）の自由端が貯氷容器１０の第１貯氷領域１０ａ（または、第２貯氷領域１０ｂ）内へ進入（降下）しているはずの時間帯に、第１貯氷量検知手段２２ａ（第２貯氷量検知手段２２ｂ）のスイッチの出力信号が変わった（スイッチが信号を出力した）ことから、製氷制御手段２４は満氷（充分な量の氷が貯えられている）と判断し（Ｓｔｅｐ１３）、第１製氷皿駆動手段２１ａ（または、第２製氷皿駆動手段２１ｂ）のモータを逆方向に回転させて、第１製氷皿駆動手段２１ａ（または、第２製氷皿駆動手段２１ｂ）により第１製氷皿１１ａ（または、第２製氷皿１１ｂ）を逆方向に（初期位置に戻す方向に）回動させる（Ｓｔｅｐ１４）。
【０１１５】
やがて、第１製氷皿１１ａ（または、第２製氷皿１１ｂ）が初期位置（水平位置）に戻った時に、第１製氷皿位置検知手段２３ａ（または、第２製氷皿位置検知手段２３ｂ）が信号を出力し（Ｓｔｅｐ１５）、製氷制御手段２４は、第１製氷皿位置検知手段２３ａ（または、第２製氷皿位置検知手段２３ｂ）からの信号により、第１製氷皿１１ａ（または、第２製氷皿１１ｂ）が初期位置に戻ったと判断して、第１製氷皿駆動手段２１ａ（または、第２製氷皿駆動手段２１ｂ）により第１製氷皿１１ａ（または、第２製氷皿１１ｂ）を初期位置で停止させる（Ｓｔｅｐ１６）。そして、その状態で所定時間（例えば１〜２時間）待機して（Ｓｔｅｐ１７）、Ｓｔｅｐ４に戻り、Ｓｔｅｐ１７の所定時間待機中に、貯氷容器１０の第１貯氷領域１０ａ（または、第２貯氷領域１０ｂ）の氷が不足していないかの確認動作を行う。
【０１１６】
なお、貯氷容器１０の第１貯氷領域１０ａ（または、第２貯氷領域１０ｂ）の氷を使う時には、冷凍室４の冷凍室扉を開閉するので、冷凍室４の冷凍室扉の開閉を検知する冷凍室扉開閉検知手段を設け、Ｓｔｅｐ１７で、所定時間待機している時に、冷凍室４の冷凍室扉の開閉を検知した場合は、所定時間の時間経過を待たずに、Ｓｔｅｐ４に戻って、貯氷容器１０の第１貯氷領域１０ａ（または、第２貯氷領域１０ｂ）の氷が不足していないかの確認動作を行うようにしても構わない。
【０１１７】
なお、第１製氷皿駆動手段２１ａと第２製氷皿駆動手段２１ｂが、それぞれ、第１製氷皿１１ａと第２製氷皿１１ｂを回動させるために、別々に専用のモータを設けている場合は、Ｓｔｅｐ４からＳｔｅｐ１７までの動作を、並行して行う。また、同一のモータで第１製氷皿１１ａと第２製氷皿１１ｂの両方を回動させる場合は、まず優先順位の高い第１製氷皿１１ａを回動駆動し、第１製氷皿１１ａの回動駆動が終了した後に、第２製氷皿１１ｂの回動駆動を行う。
【０１１８】
次に、第２製氷皿１１ｂを使って製氷している状態で第２製氷皿停止ボタンが押された時の動作を、図５のフローチャートを参照しながら説明する。
【０１１９】
まず、第２製氷皿１１ｂを使って製氷している状態で、冷蔵庫１の利用者により冷蔵室扉６の操作部１９の第２製氷皿停止ボタン２０が押される（Ｓｔｅｐ１）と、製氷制御手段２４は、給水ポンプ１６の動作状態、流路切換弁１７の切換状態、第２製氷皿駆動手段２１ｂの動作状態、第２製氷皿位置検知手段２３ｂのスイッチの信号とタイマーの計測時間を基に、第２製氷皿１１ｂ（の製氷動作）の状態を判断する（Ｓｔｅｐ２）。
【０１２０】
Ｓｔｅｐ２の判断の結果、第２製氷皿１１ｂが初期位置で（Ｓｔｅｐ３をＹｅｓ側に分岐）、給水ポンプ１６による給水中であれば（Ｓｔｅｐ４をＹｅｓ側に分岐）、製氷制御手段２４は、給水ポンプ１６による定量給水が終了後、製氷動作を停止する（Ｓｔｅｐ５）。そして、第２製氷皿１１ｂ内に水が入った状態で製氷動作を停止したことを記憶手段に記憶する（Ｓｔｅｐ６）。
【０１２１】
ここで、製氷動作の停止とは、第２製氷皿駆動手段２１ｂによる第２製氷皿１１ｂと第２検氷レバー１４ｂの回動動作の停止と、給水ポンプ１６と流路切換弁１７とによる第２製氷皿１１ｂへの給水動作の停止を意味する。
【０１２２】
Ｓｔｅｐ２の判断の結果、第２製氷皿１１ｂが初期位置になく（Ｓｔｅｐ３をＮｏ側に分岐）、脱氷動作前であれば（Ｓｔｅｐ７をＹｅｓ側に分岐）、第２製氷皿駆動手段２１ｂのモータを逆方向に回転させて、第２製氷皿１１ｂを初期位置に戻す方向に回動させ、第２製氷皿位置検知手段２３ｂの信号を基に、第２製氷皿１１ｂが初期位置に戻ったことを確認して、第２製氷皿１１ｂによる製氷動作を停止する（Ｓｔｅｐ８）。そして、第２製氷皿１１ｂ内に氷が入った状態で製氷動作を停止したことを記憶手段に記憶する（Ｓｔｅｐ６）。
【０１２３】
なお、Ｓｔｅｐ７で、第２製氷皿１１ｂが脱氷動作前（第２製氷皿１１ｂの反駆動装置側の縁が、まだストッパーに当接していない段階）であるかどうかは、第２製氷皿位置検知手段２３ｂのタイマー手段が計測している第２製氷皿１１ｂが初期位置から最大回動位置への回動を開始してからの経過時間を基に判断することができる。
【０１２４】
Ｓｔｅｐ２の判断の結果、第２製氷皿１１ｂが初期位置になく（Ｓｔｅｐ３をＮｏ側に分岐）、脱氷動作中、もしくは脱氷動作後であれば（Ｓｔｅｐ７をＮｏ側に分岐）、第２製氷皿１１ｂが初期位置に戻ってくるのを待ち、第２製氷皿位置検知手段２３ｂの信号を基に、第２製氷皿１１ｂが初期位置に戻ったことを確認して、第２製氷皿１１ｂによる製氷動作を停止する（Ｓｔｅｐ９）。そして、第２製氷皿１１ｂ内に氷または水が入っていない空の状態で製氷動作を停止したことを記憶手段に記憶する（Ｓｔｅｐ１０）。
【０１２５】
Ｓｔｅｐ２の判断の結果、第２製氷皿１１ｂが初期位置で（Ｓｔｅｐ３をＹｅｓ側に分岐）、給水ポンプ１６による給水中でなければ（Ｓｔｅｐ４をＮｏ側に分岐）、直ちに第２製氷皿１１ｂによる製氷動作を停止する（Ｓｔｅｐ１１）。この時、第２製氷皿１１ｂが給水前で空であれば（Ｓｔｅｐ１２をＹｅｓ側に分岐）、第２製氷皿１１ｂ内に氷または水が入っていない空の状態で製氷動作を停止したことを記憶手段に記憶する（Ｓｔｅｐ１０）。もし、第２製氷皿１１ｂが給水後で、第２製氷皿１１ｂは空でなければ（Ｓｔｅｐ１１の後、Ｓｔｅｐ１２をＮｏ側に分岐）、第２製氷皿１１ｂ内に氷が入った状態で製氷動作を停止したことを記憶手段に記憶する（Ｓｔｅｐ６）。
【０１２６】
次に、第２製氷皿１１ｂによる製氷動作を強制的に停止している状態で第２製氷皿停止ボタンが押された時の動作を、図６のフローチャートを参照しながら説明する。
【０１２７】
まず、第２製氷皿１１ｂによる製氷動作を強制的に停止している状態で、冷蔵庫１の利用者により冷蔵室扉６の操作部１９の第２製氷皿停止ボタン２０が押される（Ｓｔｅｐ１）と、製氷制御手段２４は、第２製氷皿１１ｂによる製氷動作を強制的に停止させた時に第２製氷皿１１ｂ内に氷または水が入っていたかどうかを記憶手段の記憶内容を基に判断し（Ｓｔｅｐ２）、第２製氷皿１１ｂ内に氷または水が入っていない空の状態で製氷動作を強制的に停止していたことが分かると（Ｓｔｅｐ３をＮｏ側に分岐）、流路切換弁１７の状態を確認して、流路切換弁１７が第１製氷皿１１ａへ水を導く第１パイプ１８ａ側になっていたならば、第２製氷皿１１ｂへ水を導く第２パイプ１８ｂ側に切り換えて、給水ポンプ１６により第２製氷皿１１ｂに適した量の水を定量給水する（Ｓｔｅｐ４）。
【０１２８】
その後、第２温度検知手段１３ｂにより、第２製氷皿１１ｂの温度（氷室の氷の温度）を検知し（Ｓｔｅｐ５）、第２温度検知手段１３ｂが検知した第２製氷皿１１ｂの温度（氷室の氷の温度）が所定温度（製氷完了温度）に達していなければ（Ｓｔｅｐ６をＮｏ側に分岐して）、所定時間経過後に、再び、第２温度検知手段１３ｂにより第２製氷皿１１ｂの温度（氷室の氷の温度）を検知する（Ｓｔｅｐ５）。
【０１２９】
そして、第２製氷皿１１ｂの温度（氷室の氷の温度）が所定温度（製氷完了温度）に達すると（Ｓｔｅｐ６をＹｅｓ側に分岐して）、製氷制御手段２４からの指令により、第２製氷皿駆動手段２１ｂが第２製氷皿１１ｂの回動を開始し、第２製氷皿１１ｂに対して、図４のフローチャートのＳｔｅｐ４以降の製氷動作を行う（Ｓｔｅｐ７）。
【０１３０】
本実施の形態では、一つの給水ポンプ１６と流路切換弁１７を使って、第１製氷皿１１ａと第２製氷皿１１ｂに給水しているが、図７のブロック図に示すように、第１製氷皿１１ａと第２製氷皿１１ｂのそれぞれに専用の給水ポンプ、第１給水ポンプ１６ａ、第２給水ポンプ１６ｂを設けても構わない。
【０１３１】
この場合は、流路切換弁１７が不要となり、図４のフローチャートのＳｔｅｐ１の製氷皿への定量給水の動作も、第１製氷皿１１ａと第２製氷皿１１ｂとで並行して行うことができる。
【０１３２】
また、本実施の形態では、冷凍室４の上段の冷凍容器８内の左側に貯氷容器１０を配置し、貯氷容器１０の上部に、自動製氷装置の第１、第２製氷皿１１ａ，１１ｂと、第１、第２検氷レバー１４ａ，１４ｂと、それらを駆動する駆動装置１２を設けたが、図８に示すように、冷凍室における自動製氷と貯氷に使っていた部分を貯氷室２５として独立させ、下段の冷凍容器９の部分のみを、引き出し式の冷凍室扉２６により前面開口部が開閉される冷凍室とし、貯氷室２５の右側の貯蔵室を、引き出し式の切換室扉２７により前面開口部が開閉される広範囲の温度調節が可能な切換室としても構わない。
【０１３３】
なお、本実施の形態の製氷制御手段２４は、冷凍室扉（独立した貯氷室がある場合は貯氷室扉）が開いたことを検知すると、冷凍室扉（独立した貯氷室がある場合は貯氷室扉）が閉じるまで、第１、第２製氷皿駆動手段２１ａ，２１ｂによる第１、第２製氷皿１１ａ，１１ｂの回動動作を停止させ、冷凍室扉（独立した貯氷室がある場合は貯氷室扉）が開いている時の第１、第２製氷皿１１ａ，１１ｂからの脱氷を防止するものとする。
【０１３４】
また、本実施の形態では、複数の製氷皿（第１製氷皿１１ａと第２製氷皿１１ｂ）に応じて複数の貯氷領域（第１貯氷領域１０ａと第２貯氷領域１０ｂ）が形成された貯氷容器１０に、第１、第２製氷皿１１ａ，１１ｂで製氷された氷を貯えているが、図９、図１０に示すように、貯氷容器１０の代わりに、複数の製氷皿（第１製氷皿１１ａと第２製氷皿１１ｂ）に応じて複数の独立した貯氷容器（第１貯氷容器２８と第２貯氷容器２９）を使用しても構わない。なお、図９は、冷凍室４の上段の冷凍容器８内に、第１貯氷容器２８と第２貯氷容器２９とを左側につめて配置した状態を示しており、図１０は、貯氷室２５に、第１貯氷容器２８と第２貯氷容器２９とを配置した状態を示している。
【０１３５】
以上のように、本実施の形態の冷蔵庫は、第１、第２製氷皿１１ａ，１１ｂをもつ自動製氷装置と、所定の操作（第２製氷皿停止ボタン２０を押す操作）をすることにより第１、第２製氷皿１１ａ，１１ｂのうちの特定の製氷皿（第２製氷皿１１ｂ）による製氷を強制的に停止させる操作部１９とを備えたものであり、第２製氷皿１１ｂによる製氷動作を行っている場合に、操作部１９の第２製氷皿停止ボタン２０を押す操作をすると、第１、第２製氷皿１１ａ，１１ｂのうちの第２製氷皿１１ｂによる製氷が強制的に停止される。したがって、第１、第２製氷皿１１ａ，１１ｂのうちの第２製氷皿１１ｂでの製氷動作を、利用者が簡単に停止できる。
【０１３６】
例えば、第１、第２製氷皿１１ａ，１１ｂに応じて第１、第２貯氷領域１０ａ，１０ｂが形成された貯氷容器１０を使用する場合は、貯氷容器１０における第２製氷皿１１ｂに対応する第２貯氷領域１０ｂに、他の冷凍貯蔵物を収納したい場合に、操作部１９の第２製氷皿停止ボタン２０を押す操作をすると、第１、第２製氷皿１１ａ，１１ｂのうちの第２製氷皿１１ｂによる製氷が強制的に停止され、第２製氷皿１１ｂに対応する第２貯氷領域１０ｂに他の冷凍貯蔵物を収納しても、その冷凍貯蔵物の上に氷が落ちてくることはない。
【０１３７】
また、第１、第２製氷皿１１ａ，１１ｂに応じて独立した２つの貯氷容器（第１貯氷容器２８と第２貯氷容器２９）を使用する場合は、第２製氷皿１１ｂに対応する独立した第２貯氷容器２９に、他の冷凍貯蔵物を収納したい場合に、操作部１９の第２製氷皿停止ボタン２０を押す操作をすると、第１、第２製氷皿１１ａ，１１ｂのうちの第２製氷皿１１ｂによる製氷が強制的に停止され、第２製氷皿１１ｂに対応する第２貯氷容器２９に他の冷凍貯蔵物を収納しても、その冷凍貯蔵物の上に氷が落ちてくることはない。
【０１３８】
したがって、同形状の氷を第１、第２製氷皿１１ａ，１１ｂで製氷する場合で、氷の使用量が少ない（貯えておくべき氷の量が少ない）時や、通常用途の氷と特殊用途の氷とを別々の第１、第２製氷皿１１ａ，１１ｂで製氷させ、特殊用途の氷を製氷する第２製氷皿１１ｂを強制停止可能な特定の製氷皿に設定してある場合で、特殊用途の氷を使わない（貯えておく必要がない）時などに、操作部１９に対して第２製氷皿停止ボタン２０を押す操作をすることにより、第２製氷皿１１ｂに対応する第２貯氷領域１０ｂ（または、第２貯氷容器２９）を、他の冷凍貯蔵物の収納容器（収納領域）として、他の冷凍貯蔵物の収納に利用することができるという効果がある。
【０１３９】
また、単純に、通常用途の氷と特殊用途の氷とを別々の第１、第２製氷皿１１ａ，１１ｂで製氷させ、特殊用途の氷を製氷する第２製氷皿１１ｂを強制停止可能な特定の製氷皿に設定してある場合で、特殊用途の氷を使わず（貯えておく必要がなく）、通常用途の氷を多く貯えておきたい場合に、操作部１９に対して第２製氷皿停止ボタン２０を押す操作をすることにより、特殊用途の氷の貯氷領域１０ｂを、通常用途の氷の貯氷に利用することができるという効果がある。
【０１４０】
このとき、もし、貯氷容器１０を第１、第２製氷皿１１ａ，１１ｂに応じた第１、第２貯氷領域１０ａ，１０ｂに区画する仕切り（区画壁１０ｃ）が取外し可能であれば、仕切り（区画壁１０ｃ）を取外すことにより、一つの貯氷容器１０全体に通常用途の氷を貯氷することができる。
【０１４１】
また、第１、第２製氷皿１１ａ，１１ｂに応じて複数の独立した取外し可能な第１貯氷容器２８と第２貯氷容器２９がある場合は、通常用途の氷で満杯になった第１貯氷容器２８を空の第２貯氷容器２９と入れ替えることにより、第１貯氷容器２８と第２貯氷容器２９に通常用途の氷を貯氷することができる。
【０１４２】
また、区画壁１０ｃが貯氷容器１０に固定されていて、貯氷容器１０から区画壁１０ｃを取り外せなくても、貯氷容器１０を冷凍室４の上段の冷凍容器８、または貯氷室２５から取り出し可能で、且つ、貯氷容器１０を前後逆に取り付けることが可能であれば、第１貯氷領域１０ａに充分な量の氷が貯えられた時に、貯氷容器１０を冷凍室４の上段の冷凍容器８、または貯氷室２５から取り出して、貯氷容器１０の前後を逆にして、貯氷容器１０を冷凍室４の上段の冷凍容器８、または貯氷室２５に取り付けると、第１、第２貯氷領域１０ａ，１０ｂの左右が逆転し、第１製氷皿１１ａの下に第２貯氷領域１０ｂが位置させることができ、第１、第２貯氷領域１０ａ，１０ｂの両方の貯氷領域に、第１製氷皿１１ａで製氷される通常用途の氷を貯氷することができる。
【０１４３】
また、その他の場合でも、満杯の氷を移し替えることにより、第２製氷皿１１ｂで製氷する特殊用途の氷の貯氷領域１０ｂを、第１製氷皿１１ａで製氷する通常用途の氷の貯氷に利用することができる。
【０１４４】
また、本実施の形態では、回動動作の途中の時点で、製氷を強制的に停止するための第２製氷皿停止ボタン２０を押す操作がなされた第２製氷皿１１ｂは、第２製氷皿１１ｂの複数の氷室の開口部が上になる初期位置に戻って停止するものであり、脱氷動作に入った第２製氷皿１１ｂに対して、製氷を強制的に停止するための第２製氷皿停止ボタン２０を押す操作がなされた場合は、脱氷動作を終了して初期位置まで戻って製氷動作を停止する。
【０１４５】
そのため、脱氷動作の途中で第２製氷皿１１ｂが停止してしまうことで第２製氷皿駆動手段２１ｂの駆動部分に高負荷の回転力が加わり続けることもなく、また脱氷のため第２製氷皿１１ｂがひねられた状態で長時間停止してしまうことで第２製氷皿１１ｂが変形してしまう虞もなく、自動製氷装置の品質（信頼性）を長期に亘って維持できるという効果がある。
【０１４６】
また、本実施の形態の冷蔵庫において、貯氷容器１０の代わりに、図９に示すように、複数の製氷皿（第１製氷皿１１ａと第２製氷皿１１ｂ）に応じて複数の独立した貯氷容器（第１貯氷容器２８と第２貯氷容器２９）を使用する場合は、複数の製氷皿１１ａ，１１ｂをもつ自動製氷装置（の製氷部）は、引出し式扉と共に前方に引出される冷凍容器８，９を有する冷凍室４の左右どちらか片側（左側）に寄せて配置され、複数の製氷皿１１ａ，１１ｂの下方には複数の製氷皿１１ａ，１１ｂに対応して上段の冷凍容器８内を貯氷領域と他の冷凍貯蔵物の収納領域８ａとに仕切る仕切り壁を兼ねる複数の貯氷容器２８，２９が取付け取外し可能に上段の冷凍容器８内に配設され、複数の製氷皿１１ａ，１１ｂは、製氷が強制的に停止されない第１の製氷皿１１ａが冷凍室４の側面に近接して位置し、複数の製氷皿１１ａ，１１ｂのうち製氷が強制的に停止される可能性が高い第２製氷皿１１ｂが上段の冷凍容器８における他の冷凍貯蔵物の収納領域８ａに近接して位置している。
【０１４７】
上記構成において、上段の冷凍容器８における他の冷凍貯蔵物の収納領域８ａに近接して位置する第２製氷皿１１ｂの製氷動作を、第２製氷皿停止ボタン２０のボタンを押す操作により強制的に停止させると、第２製氷皿１１ｂに対応した第２貯氷容器２９を他の冷凍貯蔵物の収納に利用できるだけでなく、第２製氷皿１１ｂに対応した第２貯氷容器２９を取外して、取外した第２貯氷容器２９の分だけ他の冷凍貯蔵物の収納領域８ａを広くすることができる。したがって、自動製氷装置の使い方に合わせて、貯氷容器２８，２９の貯氷領域を有効利用できるという効果がある。
【０１４８】
また、複数の製氷皿１１ａ，１１ｂは、製氷が強制的に停止されない第１製氷皿１１ａを冷凍室４の側面に近接して位置させ、複数の製氷皿１１ａ，１１ｂのうち製氷が強制的に停止される可能性が高い第２製氷皿１１ｂを上段の冷凍容器８における他の冷凍貯蔵物の収納領域８ａに近接して位置させたので、氷を多く貯えておく必要がない時や、貯えておく必要がない種類の氷を製氷する製氷皿がある時で、一部の製氷皿の製氷を停止させる場合に、他の冷凍貯蔵物の収納領域８ａに近接する第２製氷皿１１ｂを停止させることになる可能性が高く、そのため、停止させた第２製氷皿１１ｂの氷を貯氷する第２貯氷容器１１ｂを取外した場合に、取外した第２貯氷容器２９の分だけ他の冷凍貯蔵物の収納領域８ａが広くなる可能性が高く、実用的である。
【０１４９】
（実施の形態２）
次に、本発明の実施の形態２による冷蔵庫について説明するが、実施の形態１と同一構成については同一符号を付してその詳細な説明は、省略する。
【０１５０】
図１１は本発明の実施の形態２による冷蔵庫の冷凍室部分を切り欠いた正面図、図１２は同実施の形態による冷蔵庫の自動製氷装置の構成を示すブロック図、図１３は同実施の形態による冷蔵庫において第１製氷皿を停止させる操作をしたときの動作を示すフローチャート、図１４は同実施の形態による冷蔵庫において第１製氷皿の停止を解除する操作をしたときの動作を示すフローチャートである。
【０１５１】
図において、３０は、冷蔵室扉６の表面に設けられた自動製氷装置の制御を外部から操作する操作部であり、第１製氷皿１１ａの製氷を強制停止させる第１製氷皿停止ボタン３１と、第２製氷皿１１ｂの製氷を強制停止させる第２製氷皿停止ボタン３２とを備えている。
【０１５２】
なお、停止させる製氷皿を間違えないように、第１、第２製氷皿１１ａ，１１ｂのうちの左側に位置する第１製氷皿１１ａの製氷を強制停止させる第１製氷皿停止ボタン３１を操作部３０の左寄りに配置し、右側に位置する第２製氷皿１１ｂの製氷を強制停止させる第２製氷皿停止ボタン３２を操作部３０の右寄りに配置している。
【０１５３】
第１製氷皿停止ボタン３１は、第１製氷皿１１ａが製氷動作を行っている時に押すと、第１製氷皿１１ａの製氷を強制停止させ、第１製氷皿１１ａの製氷を強制停止させている時に押すと、製氷の強制停止が解除され、第１製氷皿１１ａの製氷動作が再開する。同様に、第２製氷皿停止ボタン３２は、第２製氷皿１１ｂが製氷動作を行っている時に押すと、第２製氷皿１１ｂの製氷を強制停止させ、第２製氷皿１１ｂの製氷を強制停止させている時に押すと、製氷の強制停止が解除され、第２製氷皿１１ｂの製氷動作が再開する。
【０１５４】
３３は、第１、第２製氷皿１１ａ，１１ｂの製氷動作を制御する製氷制御手段であり、第１、第２温度検知手段１３ａ，１３ｂと、第１、第２貯氷量検知手段２２ａ，２２ｂと、第１、第２製氷皿位置検知手段２３ａ，２３ｂと、第１製氷皿停止ボタン３１と、第２製氷皿停止ボタン３２とからの信号を基に、給水ポンプ１６と、流路切換弁１７と、第１、第２製氷皿駆動手段２１ａ，２１ｂとを制御する。
【０１５５】
本実施の形態は、実施の形態１の冷蔵庫における、第２製氷皿１１ｂの製氷を強制停止させる第２製氷皿停止ボタン２０を備えた操作部１９を、第１製氷皿１１ａの製氷を強制停止させる第１製氷皿停止ボタン３１と第２製氷皿１１ｂの製氷を強制停止させる第２製氷皿停止ボタン３２とを備えた操作部３０に変え、実施の形態１の冷蔵庫における、第２製氷皿停止ボタン２０が押された時に第２製氷皿１１ｂの製氷動作を強制停止する製氷制御手段２４を、第１製氷皿停止ボタン３１が押された時には第１製氷皿１１ａの製氷動作を強制停止し、第２製氷皿停止ボタン３２が押された時に第２製氷皿１１ｂの製氷動作を強制停止する製氷制御手段３３に変えたものであり、その他の構成は、実施の形態１の冷蔵庫と同じである。
【０１５６】
また、第１製氷皿停止ボタン３１もしくは第２製氷皿停止ボタン３２が操作されていないときの製氷制御手段３３の制御動作を中心とする製氷動作は、実施の形態１の図４のフローチャートに示された製氷制御手段２４の制御動作を中心とする製氷動作と同じである。
【０１５７】
次に、第１製氷皿１１ａを使って製氷している状態で第１製氷皿停止ボタン３１が押された時の動作を、図１３のフローチャートを参照しながら説明する。
【０１５８】
まず、第１製氷皿１１ａを使って製氷している状態で、冷蔵庫１の利用者により冷蔵室扉６の操作部３０の第１製氷皿停止ボタン３１が押される（Ｓｔｅｐ１）と、製氷制御手段３３は、給水ポンプ１６の動作状態、流路切換弁１７の切換状態、第１製氷皿駆動手段２１ａの動作状態、第１製氷皿位置検知手段２３ａのスイッチの信号とタイマーの計測時間を基に、第１製氷皿１１ａ（の製氷動作）の状態を判断する（Ｓｔｅｐ２）。
【０１５９】
Ｓｔｅｐ２の判断の結果、第１製氷皿１１ａが初期位置で（Ｓｔｅｐ３をＹｅｓ側に分岐）、給水ポンプ１６による給水中であれば（Ｓｔｅｐ４をＹｅｓ側に分岐）、製氷制御手段３３は、給水ポンプ１６による定量給水が終了後、製氷動作を停止する（Ｓｔｅｐ５）。そして、第１製氷皿１１ａ内に水が入った状態で製氷動作を停止したことを記憶手段に記憶する（Ｓｔｅｐ６）。
【０１６０】
ここで、製氷動作の停止とは、第１製氷皿駆動手段２１ａによる第１製氷皿１１ａと第１検氷レバー１４ａの回動動作の停止と、給水ポンプ１６と流路切換弁１７とによる第１製氷皿１１ａへの給水動作の停止を意味する。
【０１６１】
Ｓｔｅｐ２の判断の結果、第１製氷皿１１ａが初期位置になく（Ｓｔｅｐ３をＮｏ側に分岐）、脱氷動作前であれば（Ｓｔｅｐ７をＹｅｓ側に分岐）、第１製氷皿駆動手段２１ａのモータを逆方向に回転させて、第１製氷皿１１ａを初期位置に戻す方向に回動させ、第１製氷皿位置検知手段２３ａの信号を基に、第１製氷皿１１ａが初期位置に戻ったことを確認して、第１製氷皿１１ａによる製氷動作を停止する（Ｓｔｅｐ８）。そして、第１製氷皿１１ａ内に氷が入った状態で製氷動作を停止したことを記憶手段に記憶する（Ｓｔｅｐ６）。
【０１６２】
なお、Ｓｔｅｐ７で、第１製氷皿１１ａが脱氷動作前（第１製氷皿１１ａの反駆動装置側の縁が、まだストッパーに当接していない段階）であるかどうかは、第１製氷皿位置検知手段２３ａのタイマー手段が計測している第１製氷皿１１ａが初期位置から最大回動位置への回動を開始してからの経過時間を基に判断することができる。
【０１６３】
Ｓｔｅｐ２の判断の結果、第１製氷皿１１ａが初期位置になく（Ｓｔｅｐ３をＮｏ側に分岐）、脱氷動作中、もしくは脱氷動作後であれば（Ｓｔｅｐ７をＮｏ側に分岐）、第１製氷皿１１ａが初期位置に戻ってくるのを待ち、第１製氷皿位置検知手段２３ａの信号を基に、第１製氷皿１１ａが初期位置に戻ったことを確認して、第１製氷皿１１ａによる製氷動作を停止する（Ｓｔｅｐ９）。そして、第１製氷皿１１ａ内に氷または水が入っていない空の状態で製氷動作を停止したことを記憶手段に記憶する（Ｓｔｅｐ１０）。
【０１６４】
Ｓｔｅｐ２の判断の結果、第１製氷皿１１ａが初期位置で（Ｓｔｅｐ３をＹｅｓ側に分岐）、給水ポンプ１６による給水中でなければ（Ｓｔｅｐ４をＮｏ側に分岐）、直ちに第１製氷皿１１ａによる製氷動作を停止する（Ｓｔｅｐ１１）。この時、第１製氷皿１１ａが給水前で空であれば（Ｓｔｅｐ１２をＹｅｓ側に分岐）、第１製氷皿１１ａ内に氷または水が入っていない空の状態で製氷動作を停止したことを記憶手段に記憶する（Ｓｔｅｐ１０）。もし、第１製氷皿１１ａが給水後で、第１製氷皿１１ａは空でなければ（Ｓｔｅｐ１１の後、Ｓｔｅｐ１２をＮｏ側に分岐）、第１製氷皿１１ａ内に氷が入った状態で製氷動作を停止したことを記憶手段に記憶する（Ｓｔｅｐ６）。
【０１６５】
なお、第２製氷皿１１ｂを使って製氷している状態で第２製氷皿停止ボタン３２が押された時の動作は、上記動作において、「第１」と書いている部分を「第２」に置き換えたものに相当する。
【０１６６】
次に、第１製氷皿１１ａによる製氷動作を強制的に停止している状態で第１製氷皿停止ボタンが押された時の動作を、図１４のフローチャートを参照しながら説明する。
【０１６７】
まず、第１製氷皿１１ａによる製氷動作を強制的に停止している状態で、冷蔵庫１の利用者により冷蔵室扉６の操作部３０の第１製氷皿停止ボタン３１が押される（Ｓｔｅｐ１）と、製氷制御手段３３は、第１製氷皿１１ａによる製氷動作を強制的に停止させた時に第１製氷皿１１ａ内に氷または水が入っていたかどうかを記憶手段の記憶内容を基に判断し（Ｓｔｅｐ２）、第１製氷皿１１ａ内に氷または水が入っていない空の状態で製氷動作を強制的に停止していたことが分かると（Ｓｔｅｐ３をＮｏ側に分岐）、流路切換弁１７の状態を確認して、流路切換弁１７が第１製氷皿１１ａへ水を導く第１パイプ１８ａ側になっていたならば、第１製氷皿１１ａへ水を導く第１パイプ１８ａ側に切り換えて、給水ポンプ１６により第１製氷皿１１ａに適した量の水を定量給水する（Ｓｔｅｐ４）。
【０１６８】
その後、第１温度検知手段１３ａにより、第１製氷皿１１ａの温度（氷室の氷の温度）を検知し（Ｓｔｅｐ５）、第１温度検知手段１３ａが検知した第１製氷皿１１ａの温度（氷室の氷の温度）が所定温度（製氷完了温度）に達していなければ（Ｓｔｅｐ６をＮｏ側に分岐して）、所定時間経過後に、再び、第１温度検知手段１３ａにより第１製氷皿１１ａの温度（氷室の氷の温度）を検知する（Ｓｔｅｐ５）。
【０１６９】
そして、第１製氷皿１１ａの温度（氷室の氷の温度）が所定温度（製氷完了温度）に達すると（Ｓｔｅｐ６をＹｅｓ側に分岐して）、製氷制御手段３３からの指令により、第１製氷皿駆動手段２１ａが第１製氷皿１１ａの回動を開始し、第１製氷皿１１ａに対して、図４のフローチャートのＳｔｅｐ４以降の製氷動作を行う（Ｓｔｅｐ７）。
【０１７０】
なお、第２製氷皿１１ｂによる製氷動作を強制的に停止している状態で第２製氷皿停止ボタン３２が押された時の動作は、上記動作において、「第１」と書いている部分を「第２」に置き換えたものに相当する。
【０１７１】
本実施の形態では、一つの給水ポンプ１６と流路切換弁１７を使って、第１製氷皿１１ａと第２製氷皿１１ｂに給水しているが、図１５のブロック図に示すように、第１製氷皿１１ａと第２製氷皿１１ｂのそれぞれに専用の給水ポンプ、第１給水ポンプ１６ａ、第２給水ポンプ１６ｂを設けても構わない。
【０１７２】
この場合は、流路切換弁１７が不要となり、図４のフローチャートのＳｔｅｐ１の製氷皿への定量給水の動作も、第１製氷皿１１ａと第２製氷皿１１ｂとで並行して行うことができる。
【０１７３】
また、本実施の形態では、冷凍室４の上段の冷凍容器８内の左側に貯氷容器１０を配置し、貯氷容器１０の上部に、自動製氷装置の第１、第２製氷皿１１ａ，１１ｂと、第１、第２検氷レバー１４ａ，１４ｂと、それらを駆動する駆動装置１２を設けたが、図１６に示すように、冷凍室における自動製氷と貯氷に使っていた部分を貯氷室２５として独立させ、下段の冷凍容器９の部分のみを、引き出し式の冷凍室扉２６により前面開口部が開閉される冷凍室とし、貯氷室２５の右側の貯蔵室を、引き出し式の切換室扉２７により前面開口部が開閉される広範囲の温度調節が可能な切換室としても構わない。
【０１７４】
また、本実施の形態では、複数の製氷皿（第１製氷皿１１ａと第２製氷皿１１ｂ）に応じて複数の貯氷領域（第１貯氷領域１０ａと第２貯氷領域１０ｂ）が形成された貯氷容器１０に、第１、第２製氷皿１１ａ，１１ｂで製氷された氷を貯えているが、図９、図１０に示すように、貯氷容器１０の代わりに、複数の製氷皿（第１製氷皿１１ａと第２製氷皿１１ｂ）に応じて複数の独立した貯氷容器（第１貯氷容器２８と第２貯氷容器２９）を使用しても構わない。
【０１７５】
以上のように、本実施の形態の冷蔵庫は、第１、第２製氷皿１１ａ，１１ｂをもつ自動製氷装置と、第１、第２製氷皿１１ａ，１１ｂのそれぞれに対応して個別に設けられた複数の操作部（第１、第２製氷皿停止ボタン３１，３２）とを備え、第１、第２製氷皿停止ボタン３１，３２に対して所定の操作（第１、第２製氷皿停止ボタン３１，３２を押す操作）をすると、第１、第２製氷皿停止ボタン３１，３２に対応した第１、第２製氷皿１１ａ，１１ｂによる製氷が強制的に停止されるものであり、第１、第２製氷皿停止ボタン３１，３２の内のいずれかの製氷皿停止ボタンに対して製氷皿停止ボタンを押す操作をすると、第１、第２製氷皿１１ａ，１１ｂの内の操作した第１、第２製氷皿停止ボタン３１，３２に対応した製氷皿による製氷が強制的に停止される。
【０１７６】
本実施の形態の冷蔵庫は、実施の形態１の冷蔵庫における製氷皿停止ボタンを複数（２つ）に増やして、製氷を強制的に停止できる製氷皿を、実施の形態１の１つから製氷皿停止ボタンの数と同数の複数（２つ）に増やせるようにしたものであり、第１、第２製氷皿１１ａ，１１ｂのうち利用者が製氷動作の停止を望む方の製氷皿での製氷動作を、利用者が簡単に停止できるという効果がある。
【０１７７】
例えば、第１、第２製氷皿１１ａ，１１ｂに応じて第１、第２貯氷領域１０ａ，１０ｂが形成された貯氷容器１０を使用する場合は、冷蔵庫の使用者が、貯氷容器１０における使用者が希望する貯氷領域１０ａ（１０ｂ）に、他の冷凍貯蔵物を収納したい場合に、他の冷凍貯蔵物を収納するために貯氷を止めたい貯氷領域１０ａ（１０ｂ）に対応する（製氷を止めたい製氷皿に対応する）第１製氷皿停止ボタン３１（または、第２製氷皿停止ボタン３２）のボタンを押す操作をすると、第１、第２製氷皿１１ａ，１１ｂのうちのボタンを押した第１製氷皿停止ボタン３１（または、第２製氷皿停止ボタン３２）に対応した製氷皿による製氷が強制的に停止され、第１、第２貯氷領域１０ａ，１０ｂのうちのボタンを押す操作をした方の第１製氷皿停止ボタン３１（または、第２製氷皿停止ボタン３２）に対応した貯氷領域１０ａ（１０ｂ）に他の冷凍貯蔵物を収納しても、その冷凍貯蔵物の上に氷が落ちてくることはない。
【０１７８】
また、第１、第２製氷皿１１ａ，１１ｂに応じて独立した２つの貯氷容器（第１貯氷容器２８と第２貯氷容器２９）を使用する場合は、冷蔵庫の使用者が、第１貯氷容器２８と第２貯氷容器２９のうちの使用者が希望する独立した第１貯氷容器２８（または、第２貯氷容器２９）に、他の冷凍貯蔵物を収納したい場合に、他の冷凍貯蔵物を収納するために貯氷を止めたい第１貯氷容器２８（または、第２貯氷容器２９）に対応する（製氷を止めたい第１製氷皿１１ａ（または、第２製氷皿１１ｂ）に対応する）第１製氷皿停止ボタン３１（または、第２製氷皿停止ボタン３２）に対してボタンを押す操作をすると、第１、第２製氷皿１１ａ，１１ｂのうちのボタンを押した第１製氷皿停止ボタン３１（または、第２製氷皿停止ボタン３２）に対応した第１製氷皿１１ａ（または、第２製氷皿１１ｂ）による製氷が強制的に停止され、複数の独立した第１貯氷容器２８と第２貯氷容器２９のうちのボタンを押した第１製氷皿停止ボタン３１（または、第２製氷皿停止ボタン３２）に対応した第１貯氷容器２８（または、第２貯氷容器２９）に他の冷凍貯蔵物を収納しても、その冷凍貯蔵物の上に氷が落ちてくることはない。
【０１７９】
したがって、同形状の氷を第１、第２製氷皿１１ａ，１１ｂで製氷する場合で、氷の使用量が少ない（貯えておくべき氷の量が少ない）時や、形状大きさの異なる複数種類の氷を第１、第２製氷皿１１ａ，１１ｂを使って製氷する（製氷する氷の形状大きさを製氷皿毎に変える）ようにしてある場合で、全種類の氷を使わない（貯えておく必要がない）時などに、貯氷を止めたい貯氷領域１０ａ（１０ｂ）（または、貯氷容器２８（２９））に対応する（製氷を止めたい製氷皿１１ａ（１１ｂ）に対応する）第１製氷皿停止ボタン３１（または、第２製氷皿停止ボタン３２）に対してボタンを押す操作をすることにより、特定の製氷皿１１ａ（１１ｂ）に対応する貯氷領域１０ａ（１０ｂ）（または、特定の製氷皿１１ａ（１１ｂ）に対応する独立した貯氷容器２８（２９））を、他の冷凍貯蔵物の収納容器として、他の冷凍貯蔵物の収納に利用することができるという効果がある。
【０１８０】
また、単純に、形状大きさの異なる複数種類の氷を第１、第２製氷皿１１ａ，１１ｂを使って製氷する（製氷する氷の形状大きさを製氷皿１１ａ（１１ｂ）毎に変える）ようにしてある場合で、使わない（貯えておく必要がない）種類の氷の製氷を止めて、その分、使用する種類の氷の貯氷量を増やしたい場合に、製氷を止めたい氷（製氷皿）に対応する第１製氷皿停止ボタン３１（または、第２製氷皿停止ボタン３２）に対してボタンを押す操作をすることにより、使わない（貯えておく必要がない）種類の氷のための貯氷領域１０ａ（１０ｂ）（または、貯氷容器２８（２９））に、使用する種類の氷を入れて、使用する種類の氷の貯氷量を増やすことができるという効果がある。
【０１８１】
このとき、もし、貯氷容器１０を第１、第２製氷皿１１ａ，１１ｂに応じた第１、第２貯氷領域１０ａ，１０ｂに区画する仕切り（区画壁１０ｃ）が取外し可能であれば、仕切り（区画壁１０ｃ）を取外すことにより、一つの貯氷容器１０全体に、使用する種類の氷を貯氷することができる。
【０１８２】
また、第１、第２製氷皿１１ａ，１１ｂに応じて複数の独立した取外し可能な第１貯氷容器２８と第２貯氷容器２９がある場合は、満杯になった貯氷容器を空の貯氷容器と入れ替えることにより、第１貯氷容器２８と第２貯氷容器２９の両方に、使用する種類の氷を貯氷することができる。
【０１８３】
また、区画壁１０ｃが貯氷容器１０に固定されていて、貯氷容器１０から区画壁１０ｃを取り外せなくても、貯氷容器１０を冷凍室４の上段の冷凍容器８、または貯氷室２５から取り出し可能で、且つ、貯氷容器１０を前後逆に取り付けることが可能であれば、一方の貯氷領域に充分な量の氷が貯えられた時に、貯氷容器１０を冷凍室４の上段の冷凍容器８、または貯氷室２５から取り出して、貯氷容器１０の前後を逆にして、貯氷容器１０を冷凍室４の上段の冷凍容器８、または貯氷室２５に取り付けると、第１、第２貯氷領域１０ａ，１０ｂの左右が逆転し、第１、第２貯氷領域１０ａ，１０ｂの両方の貯氷領域に、使用する種類の氷を貯氷することができる。
【０１８４】
また、その他の場合でも、満杯の氷を移し替えることにより、第１、第２貯氷領域１０ａ，１０ｂの両方の貯氷領域に、使用する種類の氷を貯氷することができる。
【０１８５】
なお、第１製氷皿停止ボタン３１と第２製氷皿停止ボタン３２は、ボタンを押す操作することにより前回操作された別の製氷皿停止ボタンの操作が自動的に解除されるようにして、第１、第２製氷皿１１ａ，１１ｂのうちのいずれか一つの製氷皿を選択するものとしても構わないが、前回操作された別の製氷皿停止ボタンの操作が自動的に解除されないようにして、第１、第２製氷皿１１ａ，１１ｂの両方を選択できるようにした方が、使い勝手がよい。この時、第１製氷皿停止ボタン３１と第２製氷皿停止ボタン３２の両方のボタンを押す操作すると、第１、第２製氷皿１１ａ，１１ｂの両方の製氷動作が強制的に停止され、貯氷容器を他の冷凍貯蔵物の収納容器として、他の冷凍貯蔵物の収納に利用することができる。
【０１８６】
また、本実施の形態では、回動動作の途中の時点で、製氷を強制的に停止するための製氷氷皿停止ボタン３１（３２）を押す操作がなされた製氷皿１１ａ（１１ｂ）は、製氷皿１１ａ（１１ｂ）の複数の氷室の開口部が上になる初期位置に戻って停止するものであり、脱氷動作に入った製氷皿１１ａ（１１ｂ）に対して、製氷を強制的に停止するための製氷皿停止ボタン３１（３２）を押す操作がなされた場合は、脱氷動作を終了して初期位置まで戻って製氷動作を停止する。
【０１８７】
そのため、脱氷動作の途中で製氷皿１１ａ（１１ｂ）が停止してしまうことで製氷皿駆動手段２１ａ（２１ｂ）の駆動部分に高負荷の回転力が加わり続けることもなく、また脱氷のため製氷皿１１ａ（１１ｂ）がひねられた状態で長時間停止してしまうことで製氷皿１１ａ（１１ｂ）が変形してしまう虞もなく、自動製氷装置の品質（信頼性）を長期に亘って維持できるという効果がある。
【０１８８】
また、本実施の形態の冷蔵庫において、貯氷容器１０の代わりに、図９に示すように、複数の製氷皿（第１製氷皿１１ａと第２製氷皿１１ｂ）に応じて複数の独立した貯氷容器（第１貯氷容器２８と第２貯氷容器２９）を使用する場合は、複数の製氷皿１１ａ，１１ｂをもつ自動製氷装置（の製氷部）は、引出し式扉と共に前方に引出される冷凍容器８，９を有する冷凍室４の左右どちらか片側（左側）に寄せて配置され、複数の製氷皿１１ａ，１１ｂの下方には複数の製氷皿１１ａ，１１ｂに対応して上段の冷凍容器８内を貯氷領域と他の冷凍貯蔵物の収納領域８ａとに仕切る仕切り壁を兼ねる複数の貯氷容器２８，２９が取付け取外し可能に上段の冷凍容器８内に配設され、複数の製氷皿１１ａ，１１ｂは、複数の製氷皿１１ａ，１１ｂのうち製氷が強制的に停止されない可能性が比較的高い第１製氷皿１１ａが冷凍室４の側面に近接して位置し、複数の製氷皿１１ａ，１１ｂのうち製氷が強制的に停止される可能性が高い第２製氷皿１１ｂが冷凍容器４における他の冷凍貯蔵物の収納領域８ａに近接して位置している。
【０１８９】
上記構成において、上段の冷凍容器８における他の冷凍貯蔵物の収納領域８ａに近接して位置する第２製氷皿１１ｂの製氷動作を、第２製氷皿停止ボタン３２のボタンを押す操作により強制的に停止させると、第２製氷皿１１ｂに対応した第２貯氷容器２９を他の冷凍貯蔵物の収納に利用できるだけでなく、第２製氷皿１１ｂに対応した第２貯氷容器２９を取外して、取外した第２貯氷容器２９の分だけ他の冷凍貯蔵物の収納領域８ａを広くすることができる。したがって、自動製氷装置の使い方に合わせて、貯氷容器２８，２９の貯氷領域を有効利用できるという効果がある。
【０１９０】
また、複数の製氷皿１１ａ，１１ｂは、複数の製氷皿１１ａ，１１ｂのうち製氷が強制的に停止されない可能性が比較的高い第１製氷皿１１ａを冷凍室４の側面に近接して位置させ、複数の製氷皿１１ａ，１１ｂのうち製氷が強制的に停止される可能性が高い第２製氷皿１１ｂを上段の冷凍容器８における他の冷凍貯蔵物の収納領域８ａに近接して位置させたので、氷を多く貯えておく必要がない時や、貯えておく必要がない種類の氷を製氷する製氷皿がある時で、一部の製氷皿の製氷を停止させる場合に、他の冷凍貯蔵物の収納領域８ａに近接する第２製氷皿１１ｂを停止させることになる可能性が高く、そのため、停止させた第２製氷皿１１ｂの氷を貯氷する第２貯氷容器２９を取外した場合に、取外した第２貯氷容器２９の分だけ他の冷凍貯蔵物の収納領域８ａが広くなる可能性が高く、実用的である。
【０１９１】
（実施の形態３）
次に、本発明の実施の形態３による冷蔵庫について説明するが、実施の形態１、２と同一構成については同一符号を付してその詳細な説明は、省略する。
【０１９２】
図１７は本発明の実施の形態３による冷蔵庫の冷凍室部分を切り欠いた正面図、図１８は同実施の形態による冷蔵庫における操作部の拡大図、図１９は同実施の形態による冷蔵庫の自動製氷装置の構成を示すブロック図である。
【０１９３】
図において、３４は、冷蔵室扉６の表面に設けられた自動製氷装置の制御を外部から操作する操作部であり、切り換えスイッチ３５を備えている。切り換えスイッチ３５は、つまみ部をつかんで回すダイヤル式のスイッチであり、第１製氷皿１１ａと第２製氷皿１１ｂの両方による製氷運転と、第１製氷皿１１ａによる製氷の強制停止と、第２製氷皿１１ｂによる製氷の強制停止と、第１製氷皿１１ａと第２製氷皿１１ｂによる製氷を両方とも強制停止とを切り換える。
【０１９４】
なお、停止させる製氷皿を間違えないように、第１、第２製氷皿１１ａ，１１ｂのうちの左側に位置する第１製氷皿１１ａの製氷を強制停止させる場合は、切り換えスイッチ３５を左に、つまみの矢印が表示の位置に合うまで回し、右側に位置する第２製氷皿１１ｂの製氷を強制停止させる場合は、切り換えスイッチ３５を右に、つまみの矢印が表示の位置に合うまで回す。また、第１製氷皿１１ａと第２製氷皿１１ｂの両方で製氷する場合は、矢印が上になるように回し、第１製氷皿１１ａと第２製氷皿１１ｂによる製氷を両方とも強制停止する場合は、矢印が下になるように回す。
【０１９５】
３６は、切り換えスイッチ３５により、第１製氷皿１１ａによる製氷の強制停止が選択された場合と、第１製氷皿１１ａと第２製氷皿１１ｂによる製氷を両方とも強制停止が選択された場合に、製氷制御手段３３に対し、第１製氷皿１１ａによる製氷の強制停止を指令する信号を出力する第１製氷皿停止スイッチである。
【０１９６】
３７は、切り換えスイッチ３５により、第２製氷皿１１ｂによる製氷の強制停止が選択された場合と、第１製氷皿１１ａと第２製氷皿１１ｂによる製氷を両方とも強制停止が選択された場合に、製氷制御手段３３に対し、第２製氷皿１１ｂによる製氷の強制停止を指令する信号を出力する第２製氷皿停止スイッチである。
【０１９７】
本実施の形態は、実施の形態２の冷蔵庫における、第１製氷皿１１ａの製氷を強制停止させる第１製氷皿停止ボタン３１と第２製氷皿１１ｂの製氷を強制停止させる第２製氷皿停止ボタン３２とを備えた操作部３０を、切り換えスイッチ３５を備えた操作部３６に変え、第１製氷皿停止スイッチと第２製氷皿停止スイッチとを設けたものであり、その他の構成は、実施の形態２の冷蔵庫と同じである。
【０１９８】
また、切り換えスイッチ３５により第１製氷皿１１ａと第２製氷皿１１ｂの両方による製氷運転が選択されている場合（第１、第２製氷皿停止スイッチ３６，３７から、製氷制御手段３３に対し、第１、第２製氷皿１１ａ，１１ｂによる製氷の強制停止を指令する信号を出力していない場合）の第１、第２製氷皿１１ａ，１１ｂによる製氷動作と、第１製氷皿１１ａによる製氷の強制停止が選択されている場合（第２製氷皿停止スイッチ３７から、製氷制御手段３３に対し、第２製氷皿１１ｂによる製氷の強制停止を指令する信号を出力していない場合）の第２製氷皿１１ｂによる製氷動作と、第２製氷皿１１ｂによる製氷の強制停止が選択されている場合（第１製氷皿停止スイッチ３６から、製氷制御手段３３に対し、第１製氷皿１１ａによる製氷の強制停止を指令する信号を出力していない場合）の第１製氷皿１１ａによる製氷動作は、実施の形態１の図４のフローチャートに示された製氷動作と同じである。
【０１９９】
また、第１製氷皿１１ａと第２製氷皿１１ｂの両方による製氷運転が行われている時に、冷蔵庫の利用者が、切り換えスイッチ３５の切り換えにより、第１製氷皿１１ａによる製氷の強制停止を選択して、第１製氷皿停止スイッチ３６が、製氷制御手段３３に対し、第１製氷皿１１ａによる製氷の強制停止を指令する信号を出力した場合の動作は、実施の形態２において、同じ状況で、第１製氷皿停止ボタン３１を押したときの動作と同じである。
【０２００】
また、第１製氷皿１１ａと第２製氷皿１１ｂの両方による製氷運転が行われている時に、冷蔵庫の利用者が、切り換えスイッチ３５の切り換えにより、第２製氷皿１１ａによる製氷の強制停止を選択して、第２製氷皿停止スイッチ３７が、製氷制御手段３３に対し、第２製氷皿１１ｂによる製氷の強制停止を指令する信号を出力した場合の動作は、実施の形態２において、同じ状況で、第２製氷皿停止ボタン３２を押したときの動作と同じである。
【０２０１】
また、第１製氷皿１１ａによる製氷のみ強制的に停止している時に、冷蔵庫の利用者が、切り換えスイッチ３５の切り換えにより、第１製氷皿１１ａと第２製氷皿１１ｂの両方による製氷運転を選択した場合の動作は、実施の形態２において、同じ状況で、第１製氷皿停止ボタン３１を押したときの動作と同じである。
【０２０２】
また、第２製氷皿１１ｂによる製氷のみ強制的に停止している時に、冷蔵庫の利用者が、切り換えスイッチ３５の切り換えにより、第１製氷皿１１ａと第２製氷皿１１ｂの両方による製氷運転を選択した場合の動作は、実施の形態２において、同じ状況で、第２製氷皿停止ボタン３２を押したときの動作と同じである。
【０２０３】
また、第１製氷皿１１ａと第２製氷皿１１ｂの両方による製氷運転が行われている時に、冷蔵庫の利用者が、切り換えスイッチ３５の切り換えにより、第１製氷皿１１ａと第２製氷皿１１ｂによる製氷を両方とも強制停止を選択して、第１製氷皿停止スイッチ３６が、製氷制御手段３３に対し、第１製氷皿１１ａによる製氷の強制停止を指令する信号を出力し、第２製氷皿停止スイッチ３７が、製氷制御手段３３に対し、第２製氷皿１１ｂによる製氷の強制停止を指令する信号を出力した場合の動作は、実施の形態２において、同じ状況で、第１製氷皿停止ボタン３１と第２製氷皿停止ボタン３２を押したときの動作と同じである。
【０２０４】
また、第１製氷皿１１ａと第２製氷皿１１ｂによる製氷を両方とも強制停止されている時に、冷蔵庫の利用者が、切り換えスイッチ３５の切り換えにより、第１製氷皿１１ａと第２製氷皿１１ｂの両方による製氷運転を選択した場合の動作は、実施の形態２において、同じ状況で、第１製氷皿停止ボタン３１と第２製氷皿停止ボタン３２を押したときの動作と同じである。
【０２０５】
また、第１製氷皿１１ａと第２製氷皿１１ｂによる製氷を両方とも強制停止されている時に、冷蔵庫の利用者が、切り換えスイッチ３５の切り換えにより、第１製氷皿１１ａによる製氷の強制停止を選択した場合の動作は、実施の形態２において、同じ状況で、第２製氷皿停止ボタン３２を押したときの動作と同じである。
【０２０６】
また、第１製氷皿１１ａと第２製氷皿１１ｂによる製氷を両方とも強制停止されている時に、冷蔵庫の利用者が、切り換えスイッチ３５の切り換えにより、第２製氷皿１１ｂによる製氷の強制停止を選択した場合の動作は、実施の形態２において、同じ状況で、第１製氷皿停止ボタン３１を押したときの動作と同じである。
【０２０７】
また、第１製氷皿１１ａによる製氷のみ強制的に停止している時に、冷蔵庫の利用者が、切り換えスイッチ３５の切り換えにより、第１製氷皿１１ａと第２製氷皿１１ｂによる製氷を両方とも強制停止を選択した場合の動作は、実施の形態２において、同じ状況で、第２製氷皿停止ボタン３２を押したときの動作と同じである。
【０２０８】
また、第２製氷皿１１ｂによる製氷のみ強制的に停止している時に、冷蔵庫の利用者が、切り換えスイッチ３５の切り換えにより、第１製氷皿１１ａと第２製氷皿１１ｂによる製氷を両方とも強制停止を選択した場合の動作は、実施の形態２において、同じ状況で、第１製氷皿停止ボタン３１を押したときの動作と同じである。
【０２０９】
また、第２製氷皿１１ｂによる製氷のみ強制的に停止している時に、冷蔵庫の利用者が、切り換えスイッチ３５の切り換えにより、第１製氷皿１１ａによる製氷の強制停止を選択した場合の動作は、実施の形態２において、同じ状況で、第１製氷皿停止ボタン３１と第２製氷皿停止ボタン３２を押したときの動作と同じである。
【０２１０】
また、第１製氷皿１１ａによる製氷のみ強制的に停止している時に、冷蔵庫の利用者が、切り換えスイッチ３５の切り換えにより、第２製氷皿１１ｂによる製氷の強制停止を選択した場合の動作は、実施の形態２において、同じ状況で、第１製氷皿停止ボタン３１と第２製氷皿停止ボタン３２を押したときの動作と同じである。
【０２１１】
本実施の形態では、一つの給水ポンプ１６と流路切換弁１７を使って、第１製氷皿１１ａと第２製氷皿１１ｂに給水しているが、図２０のブロック図に示すように、第１製氷皿１１ａと第２製氷皿１１ｂのそれぞれに専用の給水ポンプ、第１給水ポンプ１６ａ、第２給水ポンプ１６ｂを設けても構わない。
【０２１２】
この場合は、流路切換弁１７が不要となり、図４のフローチャートのＳｔｅｐ１の製氷皿への定量給水の動作も、第１製氷皿１１ａと第２製氷皿１１ｂとで並行して行うことができる。
【０２１３】
また、本実施の形態では、冷凍室４の上段の冷凍容器８内の左側に貯氷容器１０を配置し、貯氷容器１０の上部に、自動製氷装置の第１、第２製氷皿１１ａ，１１ｂと、第１、第２検氷レバー１４ａ，１４ｂと、それらを駆動する駆動装置１２を設けたが、図２１に示すように、冷凍室における自動製氷と貯氷に使っていた部分を貯氷室２５として独立させ、下段の冷凍容器９の部分のみを、引き出し式の冷凍室扉２６により前面開口部が開閉される冷凍室とし、貯氷室２５の右側の貯蔵室を、引き出し式の切換室扉２７により前面開口部が開閉される広範囲の温度調節が可能な切換室としても構わない。
【０２１４】
また、本実施の形態では、複数の製氷皿（第１製氷皿１１ａと第２製氷皿１１ｂ）に応じて複数の貯氷領域（第１貯氷領域１０ａと第２貯氷領域１０ｂ）が形成された貯氷容器１０に、第１、第２製氷皿１１ａ，１１ｂで製氷された氷を貯えているが、図９、図１０に示すように、貯氷容器１０の代わりに、複数の製氷皿（第１製氷皿１１ａと第２製氷皿１１ｂ）に応じて複数の独立した貯氷容器（第１貯氷容器２８と第２貯氷容器２９）を使用しても構わない。
【０２１５】
以上のように、本実施の形態の冷蔵庫は、複数の製氷皿１１ａ，１１ｂをもつ自動製氷装置と、複数の製氷皿１１ａ，１１ｂのうちで製氷を強制的に停止させたい製氷皿を選択する切り換えスイッチ３５とを備え、切り換えスイッチ３５を操作して停止させたい製氷皿を選択すると選択された製氷皿による製氷が強制的に停止されるものであり、切り換えスイッチ３５を操作して複数の製氷皿１１ａ，１１ｂのうちの停止させたい製氷皿を選択すると、複数の製氷皿１１ａ，１１ｂのうちの選択された製氷皿による製氷が強制的に停止される。
【０２１６】
本実施の形態の冷蔵庫は、実施の形態２において第１製氷皿停止ボタン３１と第２製氷皿停止ボタン３２とで行っていた操作を、一つの切り換えスイッチ３５の操作で行えるようにしたものであり、複数の製氷皿１１ａ，１１ｂのうち利用者が製氷動作の停止を望む方の製氷皿での製氷動作を、利用者が簡単に停止できるという効果がある。
【０２１７】
例えば、第１、第２製氷皿１１ａ，１１ｂに応じて第１、第２貯氷領域１０ａ，１０ｂが形成された貯氷容器１０を使用する場合は、冷蔵庫の使用者が、貯氷容器１０における使用者が希望する貯氷領域１０ａ（１０ｂ）に、他の冷凍貯蔵物を収納したい場合に、他の冷凍貯蔵物を収納するために貯氷を止めたい貯氷領域１０ａ（１０ｂ）に対応する製氷皿による製氷の強制停止を、切り換えスイッチ３５の切り換えにより選択すると、切り換えスイッチ３５で選択された製氷皿（第１、第２製氷皿１１ａ，１１ｂのうちの一方、または両方）による製氷が強制的に停止され、第１、第２貯氷領域１０ａ，１０ｂのうちの切り換えスイッチ３５で選択された製氷皿（第１、第２製氷皿１１ａ，１１ｂのうちの一方、または両方）に対応した貯氷領域（第１、第２貯氷領域１０ａ，１０ｂのうちの一方、または両方）に他の冷凍貯蔵物を収納しても、その冷凍貯蔵物の上に氷が落ちてくることはない。
【０２１８】
また、第１、第２製氷皿１１ａ，１１ｂに応じて独立した２つの貯氷容器（第１貯氷容器２８と第２貯氷容器２９）を使用する場合は、冷蔵庫の使用者が、第１貯氷容器２８と第２貯氷容器２９のうちの使用者が希望する独立した第１貯氷容器２８（または、第２貯氷容器２９）に、他の冷凍貯蔵物を収納したい場合に、他の冷凍貯蔵物を収納するために貯氷を止めたい第１貯氷容器２８（または、第２貯氷容器２９）に対応する製氷皿による製氷の強制停止を、切り換えスイッチ３５の切り換えにより選択すると、切り換えスイッチ３５で選択された製氷皿（第１、第２製氷皿１１ａ，１１ｂのうちの一方、または両方）による製氷が強制的に停止され、第１、第２貯氷容器２８，２９のうちの切り換えスイッチ３５で選択された製氷皿（第１、第２製氷皿１１ａ，１１ｂのうちの一方、または両方）に対応した貯氷容器（第１、第２貯氷容器２８，２９のうちの一方、または両方）に他の冷凍貯蔵物を収納しても、その冷凍貯蔵物の上に氷が落ちてくることはない。
【０２１９】
したがって、同形状の氷を第１、第２製氷皿１１ａ，１１ｂで製氷する場合で、氷の使用量が少ない（貯えておくべき氷の量が少ない）時や、形状大きさの異なる複数種類の氷を第１、第２製氷皿１１ａ，１１ｂを使って製氷する（製氷する氷の形状大きさを製氷皿毎に変える）ようにしてある場合で、全種類の氷を使わない（貯えておく必要がない）時などに、切り換えスイッチ３５を操作して、貯氷を止めたい貯氷領域１０ａ（１０ｂ）（または、貯氷容器２８（２９））に対応する製氷皿（製氷を止めたい製氷皿）を選択することにより、特定の製氷皿１１ａ（１１ｂ）に対応する貯氷領域１０ａ（１０ｂ）（または、特定の製氷皿１１ａ（１１ｂ）に対応する独立した貯氷容器２８（２９））を、他の冷凍貯蔵物の収納容器として、他の冷凍貯蔵物の収納に利用することができるという効果がある。
【０２２０】
また、単純に、形状大きさの異なる複数種類の氷を第１、第２製氷皿１１ａ，１１ｂを使って製氷する（製氷する氷の形状大きさを製氷皿１１ａ（１１ｂ）毎に変える）ようにしてある場合で、使わない（貯えておく必要がない）種類の氷の製氷を止めて、その分、使用する種類の氷の貯氷量を増やしたい場合に、切り換えスイッチ３５を操作して、貯氷を止めたい貯氷領域１０ａ（１０ｂ）（または、貯氷容器２８（２９））に対応する製氷皿（製氷を止めたい製氷皿）を選択することにより、使わない（貯えておく必要がない）種類の氷のための貯氷領域１０ａ（１０ｂ）（または、貯氷容器２８（２９））に、使用する種類の氷を入れて、使用する種類の氷の貯氷量を増やすことができるという効果がある。
【０２２１】
このとき、もし、貯氷容器１０を第１、第２製氷皿１１ａ，１１ｂに応じた第１、第２貯氷領域１０ａ，１０ｂに区画する仕切り（区画壁１０ｃ）が取外し可能であれば、仕切り（区画壁１０ｃ）を取外すことにより、一つの貯氷容器１０全体に、使用する種類の氷を貯氷することができる。
【０２２２】
また、第１、第２製氷皿１１ａ，１１ｂに応じて複数の独立した取外し可能な第１貯氷容器２８と第２貯氷容器２９がある場合は、満杯になった貯氷容器を空の貯氷容器と入れ替えることにより、第１貯氷容器２８と第２貯氷容器２９の両方に、使用する種類の氷を貯氷することができる。
【０２２３】
また、区画壁１０ｃが貯氷容器１０に固定されていて、貯氷容器１０から区画壁１０ｃを取り外せなくても、貯氷容器１０を冷凍室４の上段の冷凍容器８、または貯氷室２５から取り出し可能で、且つ、貯氷容器１０を前後逆に取り付けることが可能であれば、一方の貯氷領域に充分な量の氷が貯えられた時に、貯氷容器１０を冷凍室４の上段の冷凍容器８、または貯氷室２５から取り出して、貯氷容器１０の前後を逆にして、貯氷容器１０を冷凍室４の上段の冷凍容器８、または貯氷室２５に取り付けると、第１、第２貯氷領域１０ａ，１０ｂの左右が逆転し、第１、第２貯氷領域１０ａ，１０ｂの両方の貯氷領域に、使用する種類の氷を貯氷することができる。
【０２２４】
また、その他の場合でも、満杯の氷を移し替えることにより、第１、第２貯氷領域１０ａ，１０ｂの両方の貯氷領域に、使用する種類の氷を貯氷することができる。
【０２２５】
また、本実施の形態では、回動動作の途中の時点で、製氷を強制的に停止するための切り換えスイッチ３５の切り換え操作がなされた製氷皿１１ａ（１１ｂ）は、製氷皿１１ａ（１１ｂ）の複数の氷室の開口部が上になる初期位置に戻って停止するものであり、脱氷動作に入った製氷皿１１ａ（１１ｂ）に対して、製氷を強制的に停止するための切り換えスイッチ３５の切り換え操作がなされた場合は、脱氷動作を終了して初期位置まで戻って製氷動作を停止する。
【０２２６】
そのため、脱氷動作の途中で製氷皿１１ａ（１１ｂ）が停止してしまうことで製氷皿駆動手段２１ａ（２１ｂ）の駆動部分に高負荷の回転力が加わり続けることもなく、また脱氷のため製氷皿１１ａ（１１ｂ）がひねられた状態で長時間停止してしまうことで製氷皿１１ａ（１１ｂ）が変形してしまう虞もなく、自動製氷装置の品質（信頼性）を長期に亘って維持できるという効果がある。
【０２２７】
また、本実施の形態の冷蔵庫において、貯氷容器１０の代わりに、図９に示すように、複数の製氷皿（第１製氷皿１１ａと第２製氷皿１１ｂ）に応じて複数の独立した貯氷容器（第１貯氷容器２８と第２貯氷容器２９）を使用する場合は、複数の製氷皿１１ａ，１１ｂをもつ自動製氷装置（の製氷部）は、引出し式扉と共に前方に引出される冷凍容器８，９を有する冷凍室４の左右どちらか片側（左側）に寄せて配置され、複数の製氷皿１１ａ，１１ｂの下方には複数の製氷皿１１ａ，１１ｂに対応して上段の冷凍容器８内を貯氷領域と他の冷凍貯蔵物の収納領域８ａとに仕切る仕切り壁を兼ねる複数の貯氷容器２８，２９が取付け取外し可能に上段の冷凍容器８内に配設され、複数の製氷皿１１ａ，１１ｂは、複数の製氷皿１１ａ，１１ｂのうち製氷が強制的に停止されない可能性が比較的高い第１製氷皿１１ａが冷凍室４の側面に近接して位置し、複数の製氷皿１１ａ，１１ｂのうち製氷が強制的に停止される可能性が高い第２製氷皿１１ｂが冷凍容器４における他の冷凍貯蔵物の収納領域８ａに近接して位置している。
【０２２８】
上記構成において、上段の冷凍容器８における他の冷凍貯蔵物の収納領域８ａに近接して位置する第２製氷皿１１ｂの製氷動作を、切り換えスイッチ３５の切り換え操作により強制的に停止させると、第２製氷皿１１ｂに対応した第２貯氷容器２９を他の冷凍貯蔵物の収納に利用できるだけでなく、第２製氷皿１１ｂに対応した第２貯氷容器２９を取外して、取外した第２貯氷容器２９の分だけ他の冷凍貯蔵物の収納領域８ａを広くすることができる。したがって、自動製氷装置の使い方に合わせて、貯氷容器２８，２９の貯氷領域を有効利用できるという効果がある。
【０２２９】
また、複数の製氷皿１１ａ，１１ｂは、複数の製氷皿１１ａ，１１ｂのうち製氷が強制的に停止されない可能性が比較的高い第１製氷皿１１ａを冷凍室４の側面に近接して位置させ、複数の製氷皿１１ａ，１１ｂのうち製氷が強制的に停止される可能性が高い第２製氷皿１１ｂを上段の冷凍容器８における他の冷凍貯蔵物の収納領域８ａに近接して位置させたので、氷を多く貯えておく必要がない時や、貯えておく必要がない種類の氷を製氷する製氷皿がある時で、一部の製氷皿の製氷を停止させる場合に、他の冷凍貯蔵物の収納領域８ａに近接する第２製氷皿１１ｂを停止させることになる可能性が高く、そのため、停止させた第２製氷皿１１ｂの氷を貯氷する第２貯氷容器２９を取外した場合に、取外した第２貯氷容器２９の分だけ他の冷凍貯蔵物の収納領域８ａが広くなる可能性が高く、実用的である。
【０２３０】
（実施の形態４）
次に、本発明の実施の形態４による冷蔵庫について説明するが、実施の形態１から３と同一構成については同一符号を付してその詳細な説明は、省略する。
【０２３１】
図２２は本発明の実施の形態４による冷蔵庫に使用する貯氷容器の上面図である。
【０２３２】
図２２において、３８は上面を開口した箱状の貯氷容器であり、３９は貯氷容器３８内を左右に第１貯氷領域３８ａと第２貯氷領域３８ｂとに区画する取り外し可能な板状の区画壁である。３８ｃは貯氷容器３８内の前面側の壁と奥面側の壁からそれぞれ貯氷容器３８の内側に突出するリブであり、上下方向に長く、左右方向に複数形成されている。
【０２３３】
なお、貯氷容器３８内の前面側の壁または奥面側の壁において、隣接する２つのリブ３８ｃの間隔は、区画壁３９の前後方向の端部の厚みに合わせてあり、隣接する２つのリブ３８ｃの間に区画壁３９の前後方向の端部を上方から挿入することにより、区画壁３９の前後方向の端部を隣接する２つのリブ３８ｃで保持できるように設定してある。また、貯氷容器３８内の前面側の壁のリブ３８ｃの位置と奥面側の壁のリブ３８ｃの位置は前後対称になっている。
【０２３４】
３８ｄは貯氷容器３８内の右側壁から、区画壁３９の前後方向の端部の厚み分だけ左に離して、貯氷容器３８内の前面側の壁と奥面側の壁からそれぞれ貯氷容器３８の内側に突出するリブであり、上下方向に長く、貯氷容器３８内の右側壁とリブ３８ｄの間に区画壁３９の前後方向の端部を上方から挿入することにより、区画壁３９の前後方向の端部を貯氷容器３８内の右側壁とリブ３８ｄで保持できるように設定してある。また、貯氷容器３８内の前面側の壁のリブ３８ｄの位置と奥面側の壁のリブ３８ｄの位置は前後対称になっている。
【０２３５】
本実施の形態は、実施の形態１から３における貯氷容器１０を、取り外し可能な板状の区画壁３９の取り付け位置を変えることにより、第１貯氷領域３８ａと第２貯氷領域３８ｂとの割合を変えることができる貯氷容器３８に変えたものであり、その他の構成は、実施の形態１から３と同じである。
【０２３６】
本実施の形態において、第１製氷皿１１ａにより製氷される氷の貯氷量を減らして、第２製氷皿１１ｂにより製氷される氷の貯氷量を増やしたい時などに、左側の第１貯氷領域３８ａを減らして右側の第２貯氷領域３８ｂを増やしたい場合は、区画壁３９の取付位置を左にずらす。
【０２３７】
逆に、第１製氷皿１１ａにより製氷される氷の貯氷量を増やして、第２製氷皿１１ｂにより製氷される氷の貯氷量を減らしたい時などに、左側の第１貯氷領域３８ａを増やして右側の第２貯氷領域３８ｂを減らしたい場合は、区画壁３９の取付位置を右にずらす。
【０２３８】
また、第１製氷皿１１ａと第２製氷皿１１ｂとで同じ種類の氷を製氷する時や第１製氷皿１１ａと第２製氷皿１１ｂのどちらか一方の製氷動作を強制的に停止して１種類の氷だけを製氷する時などで、貯氷領域を２つに分ける必要がない場合は、区画壁３９を取り外すか、もしくは、取り外した区画壁３９の紛失を防止するために区画壁３９を貯氷容器３８内の右側壁とリブ３８ｄの間に取り付ける。この時、区画壁３９が第２検氷レバー１４ｂの回動動作を妨害しないように、区画壁３９が第２検氷レバー１４ｂの自由端よりも充分右側に位置するものとする。
【０２３９】
なお、第１製氷皿１１ａと第２製氷皿１１ｂのどちらか一方の製氷動作を強制的に停止して、第１貯氷領域３８ａと第２貯氷領域３８ｂのどちらか一方を他の冷凍貯蔵物の収納に用いる場合で、第１貯氷領域３８ａと第２貯氷領域３８ｂの割合を変えたい時に、区画壁３９の取付位置を変えても構わない。
【０２４０】
本実施の形態では、リブ３８ｃを貯氷容器３８の左右方向の中央部近辺に設けているが、リブ３８ｃを設ける位置を、中央部近辺に限らず、もっと左右方向に拡大しても構わない。
【０２４１】
また、本実施の形態では、リブ３８ｃを等間隔で設けているが、区画壁３９を保持可能な所定間隔離れた２つのリブ３８ｃを１組と考え、それぞれのリブ３８ｃの組を他の組と任意の間隔離して設けても構わない。
【０２４２】
また、本実施の形態では、区画壁を所定の位置に保持させるため、貯氷容器３８内の前面側の壁と奥面側の壁からそれぞれ貯氷容器３８の内側に突出するリブ３８ｃを設けているが、リブ３８ｃの代わりに、区画壁３９の前後方向の端部を保持可能な上下方向の溝を、貯氷容器３８内の前面側の壁と奥面側の壁に設けても同様の効果が得られる。
【０２４３】
以上のように本実施の形態は、実施の形態１から３における貯氷容器１０の代わりに、取外し可能な区画壁３９により、複数の製氷皿１１ａ，１１ｂのそれぞれに対応した複数の貯氷領域３８ａ，３８ｂを形成する状態と、一つの貯氷領域を形成する状態とに変化する貯氷容器３８を備えたものであり、取外し可能な区画壁３９の取付け取外しにより、貯氷容器３８を複数の製氷皿１１ａ，１１ｂのそれぞれに対応した複数の貯氷領域３８ａ，３８ｂを形成する状態と、一つの貯氷領域を形成する状態とに変化させることができるので、自動製氷装置の使い方に合わせて、貯氷容器３８の貯氷領域を有効利用できるという効果がある。
【０２４４】
例えば、形状大きさの異なる複数種類の氷を複数の製氷皿１１ａ，１１ｂを使って製氷する（製氷する氷の形状大きさを製氷皿１１ａ，１１ｂ毎に変える）ようにしてある場合などで、複数の製氷皿１１ａ，１１ｂのそれぞれに対応した複数の貯氷領域３８ａ，３８ｂが必要な時は、取外し可能な区画壁３９を所定の位置（リブ３８ｃが設けられている位置）に取付けることにより、複数の製氷皿１１ａ，１１ｂのそれぞれに対応した複数の貯氷領域３８ａ，３８ｂを形成する貯氷容器３８とすることができ、１種類の氷を多く貯えておきたい場合や、複数種類の氷が混ざっても構わないからとにかく氷を多く貯えておきたい場合などで、大きい一つの貯氷領域が必要な時は、取外し可能な区画壁３９を取外すか貯氷容器３８の端に寄せてリブ３８ｄで固定することにより、一つの貯氷領域を形成する貯氷容器３８とすることができるという効果がある。
【０２４５】
また、本実施の形態では、区画壁３９を取付可能な位置（リブ３８ｃを設けた位置）を複数設けて、第１貯氷領域３８ａと第２貯氷領域３８ｂの割合を複数通りに変更できるようにしたので、複数の製氷皿１１ａ，１１ｂで製氷される氷の使い方に合わせて、複数の製氷皿１１ａ，１１ｂの貯氷量の割合を調節したり、また、複数の製氷皿１１ａ，１１ｂのどちらか一方での製氷動作を強制的に停止して第１貯氷領域３８ａと第２貯氷領域３８ｂのどちらか一方を他の冷凍貯蔵物の収納に用いる場合のその収納領域の大きさを調節したりでき、冷蔵庫の使用者にとって便利である。
【０２４６】
（実施の形態５）
次に、本発明の実施の形態５による冷蔵庫について説明するが、実施の形態１から３と同一構成については同一符号を付してその詳細な説明は、省略する。
【０２４７】
図２３は本発明の実施の形態５による冷蔵庫に使用する貯氷容器の上面図である。
【０２４８】
図２３において、４０は上面を開口した箱状の貯氷容器であり、４１は貯氷容器４０内を左右に第１貯氷領域４０ａと第２貯氷領域４０ｂとに区画する左右方向にスライド移動、取り外し可能な板状の区画壁であり、区画壁４１の前方向の端部には貯氷容器４０の前壁の上部と係合する溝を有する保持部４１ａが設けられ、区画壁４１の奥方向の端部には貯氷容器４０の奥壁の上部と係合する溝を有する保持部４１ｂが設けられている。
【０２４９】
本実施の形態は、実施の形態１から３における貯氷容器１０を、左右方向にスライド移動、取り外し可能な板状の区画壁４１の位置を変えることにより、第１貯氷領域４０ａと第２貯氷領域４０ｂとの割合を変えることができる貯氷容器４０に変えたものであり、その他の構成は、実施の形態１から３と同じである。
【０２５０】
本実施の形態において、第１製氷皿１１ａにより製氷される氷の貯氷量を減らして、第２製氷皿１１ｂにより製氷される氷の貯氷量を増やしたい時などに、左側の第１貯氷領域４０ａを減らして右側の第２貯氷領域４０ｂを増やしたい場合は、区画壁４１の位置を左にずらす。
【０２５１】
逆に、第１製氷皿１１ａにより製氷される氷の貯氷量を増やして、第２製氷皿１１ｂにより製氷される氷の貯氷量を減らしたい時などに、左側の第１貯氷領域４０ａを増やして右側の第２貯氷領域４０ｂを減らしたい場合は、区画壁４１の位置を右にずらす。
【０２５２】
また、第１製氷皿１１ａと第２製氷皿１１ｂとで同じ種類の氷を製氷する時や第１製氷皿１１ａと第２製氷皿１１ｂのどちらか一方の製氷動作を強制的に停止して１種類の氷だけを製氷する時などで、貯氷領域を２つに分ける必要がない場合は、区画壁４１を取り外すか、もしくは、取り外した区画壁４１の紛失を防止するために区画壁４１を貯氷容器４０内の右端に寄せる。この時、区画壁４１が第２検氷レバー１４ｂの回動動作を妨害しないように、区画壁４１が第２検氷レバー１４ｂの自由端よりも充分右側に位置するものとする。
【０２５３】
なお、第１製氷皿１１ａと第２製氷皿１１ｂのどちらか一方の製氷動作を強制的に停止して、第１貯氷領域４０ａと第２貯氷領域４０ｂのどちらか一方を他の冷凍貯蔵物の収納に用いる場合で、第１貯氷領域４０ａと第２貯氷領域４０ｂの割合を変えたい時に、区画壁４１の取付位置を変えても構わない。
【０２５４】
なお、区画壁４１は、冷蔵庫の使用者の意に反して勝手に移動しないように、左右方向に所定の大きさ以上の力を加えないと移動しないものとする。また、第１製氷皿１１ａから脱氷された氷が第２貯氷領域４０ｂ内に落下しないぎりぎりの位置と、第２製氷皿１１ｂから脱氷された氷が第１貯氷領域４０ａ内に落下しないぎりぎり位置とが分かるように貯氷容器４０に目印を付けておけば、使用者がその目印を基に区画壁４１を正しく移動させる限り、冷蔵庫の使用者の意に反して、第１製氷皿１１ａから脱氷された氷が第２貯氷領域４０ｂ内に落下したり、第２製氷皿１１ｂから脱氷された氷が第１貯氷領域４０ａ内に落下することを予防できる。
【０２５５】
以上のように本実施の形態は、実施の形態１から３における貯氷容器１０の代わりに、変位可能な区画壁４１により、複数の製氷皿１１ａ，１１ｂのそれぞれに対応した複数の貯氷領域４０ａ，４０ｂを形成する状態と、一つの貯氷領域を形成する状態とに変化する貯氷容器４０を備えたものであり、変位可能な区画壁４１の移動により、貯氷容器４０を複数の製氷皿１１ａ，１１ｂのそれぞれに対応した複数の貯氷領域４０ａ，４０ｂを形成する状態と、一つの貯氷領域を形成する状態とに変化させることができるので、自動製氷装置の使い方に合わせて、貯氷容器４０の貯氷領域を有効利用できるという効果がある。
【０２５６】
例えば、形状大きさの異なる複数種類の氷を複数の製氷皿１１ａ，１１ｂを使って製氷する（製氷する氷の形状大きさを製氷皿１１ａ，１１ｂ毎に変える）ようにしてある場合などで、複数の製氷皿１１ａ，１１ｂのそれぞれに対応した複数の貯氷領域４０ａ，４０ｂが必要な時は、変位可能な区画壁４１を所定の位置に位置させることにより、複数の製氷皿１１ａ，１１ｂのそれぞれに対応した複数の貯氷領域４０ａ，４０ｂを形成する貯氷容器４０とすることができ、１種類の氷を多く貯えておきたい場合や、複数種類の氷が混ざっても構わないからとにかく氷を多く貯えておきたい場合などで、大きい一つの貯氷領域が必要な時は、区画壁４１を取外すか貯氷容器４０の右端に寄せることにより、一つの貯氷領域を形成する貯氷容器４０とすることができるという効果がある。
【０２５７】
また、本実施の形態では、変位（左右方向にスライド移動）可能な区画壁４１を任意の位置に移動させて、第１貯氷領域４０ａと第２貯氷領域４０ｂの割合を複数通りに変更できるようにしたので、複数の製氷皿１１ａ，１１ｂで製氷される氷の使い方に合わせて、複数の製氷皿１１ａ，１１ｂの貯氷量の割合を調節したり、また、複数の製氷皿１１ａ，１１ｂのどちらか一方での製氷動作を強制的に停止して第１貯氷領域４０ａと第２貯氷領域４０ｂのどちらか一方を他の冷凍貯蔵物の収納に用いる場合のその収納領域の大きさを調節したりでき、冷蔵庫の使用者にとって便利である。
【０２５８】
（実施の形態６）
次に、本発明の実施の形態６による冷蔵庫について説明するが、実施の形態１から３と同一構成については同一符号を付してその詳細な説明は、省略する。
【０２５９】
図２４は本発明の実施の形態６による冷蔵庫に使用する貯氷容器の縦断面図である。
【０２６０】
図２４において、４２は上面を開口した箱状の貯氷容器であり、４３は貯氷容器４２内を左右に第１貯氷領域４２ａと第２貯氷領域４２ｂとに区画する板状の可撓性の区画壁である。
【０２６１】
区画壁４３は、下端が貯氷容器４２の固定部４２ｃに区画壁４３の下辺を回動軸４３ａとして回動自在に固定されると共に、区画壁４３が貯氷容器４２の底面に対して垂直に立った状態と貯氷容器４２の底面に対して平行に倒れた状態で貯氷容器４２内の奥側の面と前側の面から突出する突起４２ｄ，４２ｅ，４２ｆに保持される。
【０２６２】
区画壁４３が貯氷容器４２の底面に対して垂直に立った状態で区画壁４３を保持する突起４２ｄ，４２ｅのうちの左側の突起４２ｄは、区画壁４３の前後方向の端部と貯氷容器４２内の奥側の面または前側の面との間隔よりも充分大きく貯氷容器４２内に突出して、区画壁４３が左側に回動するのを防止する。
【０２６３】
また、区画壁４３が貯氷容器４２の底面に対して垂直に立った状態で区画壁４３を保持する突起４２ｄ，４２ｅのうちの右側の突起４２ｅは、区画壁４３の前後方向の端部と貯氷容器４２内の奥側の面または前側の面との間隔よりも若干大きく貯氷容器４２内に突出して、手で所定以上の大きさの力を加えて区画壁４３が突起４２ｅを越える方向に区画壁４３を回動させようとした時に、区画壁４３が突起４２ｅを越えるように構成してある。
【０２６４】
また、区画壁４３が貯氷容器４２の底面に対して平行に倒れた状態で区画壁４３を保持する突起４２ｆは、突起４２ｅと同様に、区画壁４３の前後方向の端部と貯氷容器４２内の奥側の面または前側の面との間隔よりも若干大きく貯氷容器４２内に突出して、手で所定以上の大きさの力を加えて区画壁４３が突起４２ｆを越える方向に区画壁４３を回動させようとした時に、区画壁４３が突起４２ｆを越えるように構成してある。
【０２６５】
ここで、所定以上の大きさの力というのは、区画壁４３が、冷蔵庫の使用者の意に反して勝手に回動するのを充分に防止できる程度の力である。
【０２６６】
本実施の形態は、実施の形態１から３における貯氷容器１０を、下辺を回動軸として回動自在で、貯氷容器４２の底面に対して垂直に立った状態と貯氷容器４２の底面に対して平行に倒れた状態で貯氷容器４２に保持される区画壁４３を有する貯氷容器４２に変えたものであり、その他の構成は、実施の形態１から３と同じである。
【０２６７】
本実施の形態において、第１製氷皿１１ａで製氷した氷と第２製氷皿１１ｂで製氷した氷とが混ざらないようにしたい時や、第１製氷皿１１ａと第２製氷皿１１ｂのどちらか一方の製氷動作を強制的に停止し、どちらか他方で製氷動作を行わせ、第１製氷皿１１ａと第２製氷皿１１ｂのどちらか製氷動作を停止している方に対応する貯氷領域を他の冷凍貯蔵物の収納に使用したい時で、貯氷容器４２内を、複数の製氷皿１１ａ，１１ｂに対応した複数の貯氷領域４２ａ，４２ｂに区画したい場合は、貯氷容器４２の底面に対して平行に倒れた状態の区画壁４３を手で起こして、突起４２ｄ，４２ｅにより区画壁４３を、区画壁４３が貯氷容器４２の底面に対して垂直に立った状態に保持させると、貯氷容器４２内に、複数の製氷皿１１ａ，１１ｂに対応した複数の貯氷領域４２ａ，４２ｂが形成される。
【０２６８】
また、第１製氷皿１１ａと第２製氷皿１１ｂとで同じ種類の氷を製氷する時や第１製氷皿１１ａと第２製氷皿１１ｂのどちらか一方の製氷動作を強制的に停止して１種類の氷だけを製氷する時などで、貯氷領域を２つに分ける必要がない場合は、貯氷容器４２の底面に対して垂直に立った状態の区画壁４３を手で右に倒して、貯氷容器４２の底面と突起４２ｆとにより区画壁４３を、区画壁４３が貯氷容器４２の底面に対して平行に倒れた状態に保持させると、貯氷容器４２内が一つの貯氷領域になる。
【０２６９】
以上のように本実施の形態は、実施の形態１から３における貯氷容器１０の代わりに、複数の製氷皿１１ａ，１１ｂで製氷された氷を貯氷する貯氷容器４２と、複数の製氷皿１１ａ，１１ｂに対応して貯氷容器４２内を複数の貯氷領域４２ａ，４２ｂに区画する区画壁４３とを備え、区画壁４３は、下端が貯氷容器４２の固定部４２ｃに区画壁４３の下辺を回動軸４３ａとして回動自在に固定されると共に、区画壁４３が貯氷容器４２の底面に対して垂直に立った状態と貯氷容器４２の底面に対して平行に倒れた状態で貯氷容器４２に保持されるものである。
【０２７０】
上記構成において、貯氷容器４２内の区画が必要な場合は区画壁４３を貯氷容器４２の底面に対して垂直に立たせることにより、区画壁４３として機能させて、例えば、製氷皿１１ａ，１１ｂ毎に異なる種類の氷を製氷している場合に適した、複数の製氷皿１１ａ，１１ｂに対応した複数の貯氷領域４２ａ，４２ｂを形成することができ、貯氷容器４２内の区画が不要な場合は区画壁４３を貯氷容器４２の底面に対して平行に倒して区画壁４３を貯氷容器４２の底面に重ねることにより、区画壁４３として機能せず、しかも区画壁４３が貯氷の邪魔にならないようにでき、例えば、同じ種類の氷を多量に貯氷する場合に適した、一つの大きな貯氷領域を形成することができ、自動製氷装置の使い方に合わせて、貯氷容器４２の貯氷領域を有効利用できるという効果がある。切り換えのための区画壁４３の操作が簡単で、区画壁４３が貯氷容器４２に回動可能に固定されているので、外した区画壁４３の置き場所に困ることも、区画壁４３を紛失する虞も、区画壁４３の位置がずれてしまう虞もないという効果がある。
【０２７１】
（実施の形態７）
次に、本発明の実施の形態７による冷蔵庫について説明するが、実施の形態１から３と同一構成については同一符号を付してその詳細な説明は、省略する。
【０２７２】
図２５は本発明の実施の形態７による冷蔵庫に使用する貯氷容器の第２貯氷領域を広げた状態を示す上面図、図２６は同実施の形態による冷蔵庫に使用する貯氷容器の第２貯氷領域を無くした状態を示す上面図である。
【０２７３】
図２５、図２６において、４４は冷凍室４の上段の冷凍容器８内の左端に寄せて配置される貯氷容器であり、上面を開口した箱形の貯氷容器本体４４ａと、上面と左側面とが開口した箱形で貯氷容器本体４４ａの右側に位置し左右にスライド移動可能な移動容器４４ｂとからなる。
【０２７４】
貯氷容器本体４４ａの奥側の壁と前側の壁と底の壁は、それぞれ、移動容器４４ｂの奥側の壁と前側の壁と底の壁よりも厚く、移動容器４４ｂの奥側の壁と前側の壁と底の壁を右側から壁内に挿入可能な溝４４ｃが形成されている。
【０２７５】
第１製氷皿１１ａから脱氷された氷を貯える第１貯氷領域４４ｄは、貯氷容器本体４４ａ内の空間であり、第２製氷皿１１ｂから脱氷された氷を貯える第２貯氷領域４４ｅは、移動容器４４ｂの内面と貯氷容器本体４４ａの右側面（外面）とで囲まれた空間である。
【０２７６】
本実施の形態は、実施の形態１から３における貯氷容器１０を、複数の製氷皿１１ａ，１１ｂの並ぶ左右方向の寸法を伸縮でき、第２貯氷領域４４ｅの左右方向の大きさを伸縮できる貯氷容器４４に変えたものであり、その他の構成は、実施の形態１から３と同じである。
【０２７７】
本実施の形態において、第２貯氷領域４４ｅを広げたい場合は、貯氷容器本体４４ａから移動容器４４ｂを必要な分だけ右に引き出す。第２貯氷領域４４ｅを広げる場合は、移動容器４４ｂが貯氷容器本体４４ａの溝４４ｃから完全に抜け出ないようにする。逆に、第２貯氷領域４４ｅを狭くしたい場合は、移動容器４４ｂを必要な分だけ左に（貯氷容器本体４４ａ側に）押し込む。
【０２７８】
なお、第２製氷皿１１ｂによる製氷を行うのであれば、第２検氷レバー１４ｂが第２貯氷領域４４ｅ内に入るように第２貯氷領域４４ｅの左右方向の大きさを調節する必要がある。
【０２７９】
もし、第２製氷皿１１ｂによる製氷を強制的に停止しているのであれば、第２検氷レバー１４ｂが降りてくる位置を気にせずに、第２貯氷領域４４ｅを狭くすることができ、第２貯氷領域４４ｅが必要なければ、図２６に示すように、移動容器４４ｂを貯氷容器本体４４ａ側に最後まで押し込んで、第２貯氷領域４４ｅを無くしてしまい、その分上段の冷凍容器８内のその他の冷凍貯蔵物の収納領域８ａ（上段の冷凍容器８内の貯氷容器４４の右側にできる領域）を広げることができる。
【０２８０】
以上のように本実施の形態は、実施の形態１から３における貯氷容器１０の代わりに、複数の製氷皿１１ａ，１１ｂで製氷された氷を貯氷でき、複数の製氷皿１１ａ，１１ｂの並ぶ方向（冷蔵庫の左右方向）の寸法を伸縮できるように構成された貯氷容器４４を備えたものであり、必要に応じて貯氷容器４４全体または伸縮する側の製氷皿１１ｂに対応する第２貯氷領域４４ｅの貯氷容量を増減できるという効果がある。
【０２８１】
また、貯蔵容器４４が冷凍室４の上段の冷凍容器８の片側（左端）に寄せて配置され、冷凍室４の上段の冷凍容器８の残りの空間８ａが冷凍食品などの他の冷凍貯蔵物の収納に使われる構造になっている場合は、貯氷容器４４の伸縮により冷凍貯蔵物の収納空間（収納領域）８ａを増減でき、冷凍貯蔵物の収納空間（収納領域）８ａを拡げたいときは貯氷容器４４（伸縮する側の第２製氷皿１１ｂに対応する第２貯氷領域４４ｅ）を小さく縮めることにより冷凍貯蔵物の収納空間（収納領域）８ａを拡げ、冷凍貯蔵物の収納空間（収納領域）８ａは小さくても構わないから貯氷容器４４全体の貯氷量または伸縮する側の第２製氷皿１１ｂに対応する第２貯氷領域４４ｅを増やしたいときは貯氷容器４４（移動容器４４ｂ）を右側に大きく伸ばすことにより冷凍貯蔵物の収納空間（収納領域）８ａを小さくして貯氷容器４４の貯氷量を増やすことができるという効果がある。
【０２８２】
なお、貯蔵容器４４の伸縮する側の第２製氷皿１１ｂは、他の第１製氷皿１１ａと同じ種類の氷を製氷する製氷皿とするか、他の第１製氷皿１１ａと種類の異なる利用者や季節等によって使用量が変動しやすい特殊用途の氷にしておけば、実用的である。
【０２８３】
また、貯蔵容器４４の伸縮する側の第２製氷皿１１ｂを、操作により製氷を強制的に停止するようにしておけば、貯氷容器４４を小さく縮めた場合に、第２製氷皿１１ｂから脱氷された氷が貯氷容器４４の外に落下することを防止できる。
【０２８４】
また、本実施の形態は、貯氷容器４４に複数の製氷皿１１ａ，１１ｂに対応して複数の貯氷領域４４ｄ，４４ｅが形成され、複数の貯氷領域４４ｄ，４４ｅのうち一方の端（右端）の貯氷領域４４ｅを無くすことができるように構成されているものであり、必要に応じて貯氷容器４４の一方の端（右端）の貯氷領域４４ｅを無くすことができるという効果がある。
【０２８５】
また、貯蔵容器４４が冷凍室４の上段の冷凍容器８の片側（左端）に寄せて配置され、冷凍室４の上段の冷凍容器８の残りの空間８ａが冷凍食品などの他の冷凍貯蔵物の収納に使われる構造になっている場合で、冷凍貯蔵物の収納空間（収納領域）８ａを大きく拡げたいときは、貯氷容器４４を小さく縮めて貯氷容器４４の一方の端（右端）の第２貯氷領域４４ｅを無くすことにより冷凍貯蔵物の収納空間（収納領域）８ａを大きく拡げることができるという効果がある。
【０２８６】
また、本実施の形態は、複数の製氷皿１１ａ，１１ｂをもつ自動製氷装置（の製氷部）が、引出し式扉と共に前方に引出される冷凍容器８，９を有する冷凍室４の左右どちらか片側（左側）に寄せて配置され、複数の製氷皿１１ａ，１１ｂの下方には上段の冷凍容器８内を貯氷領域４４ｄ，４４ｅと他の冷凍貯蔵物の収納領域８ａとに仕切る仕切り壁を兼ねる貯氷容器４４が上段の冷凍容器８内に配設され、複数の製氷皿１１ａ，１１ｂは、製氷が強制的に停止されない製氷皿１１ａもしくは複数の製氷皿１１ａ，１１ｂのうち製氷が強制的に停止されない可能性が比較的高い製氷皿１１ａが冷凍室４の左側面に近接して位置し、複数の製氷皿１１ａ，１１ｂのうち製氷が強制的に停止される可能性が最も高い製氷皿１１ｂが上段の冷凍容器８における他の冷凍貯蔵物の収納領域８ａに近接して位置し、貯氷容器４４における仕切壁として機能する側壁（移動容器４４ｂの右側壁）が冷凍室４の左右方向に移動可能に構成されているものである。
【０２８７】
上記構成において、上段の冷凍容器８における他の冷凍貯蔵物の収納領域８ａに近接して位置する第２製氷皿１１ｂによる氷を通常より多く貯えたい場合は、貯氷容器４４における仕切壁として機能する側壁（移動容器４４ｂの右側壁）を貯氷容器４４が大きくなる方向（右方向）に移動させることにより、上段の冷凍容器８の他の冷凍貯蔵物の収納領域８ａを全て貯氷領域にしてしまう場合を上限として、その第２製氷皿１１ｂによる氷を通常より多く貯えることができる。
【０２８８】
また、上段の冷凍容器８における他の冷凍貯蔵物の収納領域８ａに近接して位置する第２製氷皿１１ｂによる氷の貯氷量を通常より少なくしたい場合は、貯氷容器４４における仕切壁として機能する側壁（移動容器４４ｂの右側壁）を貯氷容器４４が小さくなる方向（左方向）に移動させることにより、その第２製氷皿１１ｂによる氷の貯氷量を通常より少なくでき、貯氷容器４４における仕切壁として機能する側壁（移動容器４４ｂの右側壁）を移動した分だけ他の冷凍貯蔵物の収納領域８ａを広くすることができる。したがって、自動製氷装置の使い方に合わせて、貯氷容器４４の貯氷領域を有効利用できるという効果がある。
【０２８９】
この時、上段の冷凍容器８における他の冷凍貯蔵物の収納領域８ａに近接して位置する第２製氷皿１１ｂによる氷の製氷を、操作により停止させた場合は、停止させた第２製氷皿１１ｂの隣の停止させていない第１製氷皿１１ａから脱氷された氷が貯氷容器４４の外に落ちないように、貯氷容器４４における仕切壁として機能する側壁（移動容器４４ｂの右側壁）の位置を調節する必要があり、上段の冷凍容器８における他の冷凍貯蔵物の収納領域８ａに近接して位置する第２製氷皿１１ｂによる氷の製氷を続ける場合は、その第２製氷皿１１ｂから脱氷された氷が貯氷容器４４の外に落ちないように、貯氷容器４４における仕切壁として機能する側壁（移動容器４４ｂの右側壁）の位置を調節する必要がある。
【０２９０】
また、複数の製氷皿１１ａ，１１ｂは、製氷が強制的に停止されない第１製氷皿１１ａもしくは複数の製氷皿１１ａ，１１ｂのうち製氷が強制的に停止されない可能性が比較的高い第１製氷皿１１ａを冷凍室４の左側面に近接して位置させ、複数の製氷皿１１ａ，１１ｂのうち製氷が強制的に停止される可能性が最も高い第２製氷皿１１ｂを上段の冷凍容器８における他の冷凍貯蔵物の収納領域８ａに近接して位置させたので、氷を多く貯えておく必要がない時や、貯えておく必要がない種類の氷を製氷する第２製氷皿１１ｂがある時で、一部の第２製氷皿１１ｂの製氷を停止させる場合に、他の冷凍貯蔵物の収納領域８ａに近接する第２製氷皿１１ｂを停止させることになる可能性が高く、そのため、停止させた第２製氷皿１１ｂの氷を貯氷する第２貯氷領域４４ｅを小さくして、その分他の冷凍貯蔵物の収納領域８ａを広くできる可能性が高く、実用的である。
【０２９１】
さらに、本実施の形態は、貯氷容器４４に複数の製氷皿１１ａ，１１ｂに対応して複数の貯氷領域４４ｄ，４４ｅが形成され、複数の貯氷領域４４ｄ，４４ｅのうち他の冷凍貯蔵物の収納領域８ａに近接する第２貯氷領域４４ｅを無くすことができるように構成されているものであり、必要に応じて、複数の貯氷領域４４ｄ，４４ｅのうち他の冷凍貯蔵物の収納領域８ａに近接する第２貯氷領域４４ｅを無くし、その分だけ冷凍貯蔵物の収納空間８ａを大きく拡げることができるという効果がある。
【０２９２】
（実施の形態８）
次に、本発明の実施の形態８による冷蔵庫について説明するが、実施の形態１から３と同一構成については同一符号を付してその詳細な説明は、省略する。
【０２９３】
図２７は本発明の実施の形態８による冷蔵庫の貯氷容器を取り外した状態の冷凍室部分を切り欠いた正面図、図２８は同実施の形態による冷蔵庫における貯氷容器とその周辺の部品を示す上面図、図２９は同実施の形態による冷蔵庫の自動製氷装置の構成を示すブロック図である。
【０２９４】
図において、６は冷蔵庫扉である。本実施の形態の冷蔵庫扉６には、実施の形態１から３における冷蔵庫扉６に設けられていた操作部がない。
【０２９５】
４５は上面を開口した箱状の貯氷容器であり、４６は貯氷容器４５内を左右に第１貯氷領域４５ａと第２貯氷領域４５ｂとに区画する取り外し可能な板状の区画壁である。なお、区画壁４６の前側端部４６ａは、貯氷容器４５の前側の壁を上に乗り越えて貯氷容器４５の前面よりも前方に突出している。
【０２９６】
４５ｃは貯氷容器４５内の前面側の壁と奥面側の壁からそれぞれ貯氷容器４５の内側に突出するリブであり、上下方向に長く、左右方向に複数形成されている。このリブ４５ｃは区画壁４６を保持可能な所定間隔離れた２つのリブ４５ｃを１組として、貯氷容器４５内の前面側の壁と奥面側の壁に、それぞれ３組ずつ設けられている。
【０２９７】
３組のうちの１組は、区画壁４６を第１製氷皿１１ａと第２製氷皿１１ｂとの間の下（第１製氷皿１１ａで製氷した氷と第２製氷皿１１ｂで製氷した氷とが混ざらないように第１貯氷領域４５ａと第２貯氷領域４５ｂとに別々に貯氷できる位置）で保持するものであり、他の２組は、それぞれ第１製氷皿１１ａの下、第２製氷皿１１ｂの下で保持するものである。
【０２９８】
なお、貯氷容器４５内の前面側の壁または奥面側の壁において、各組の隣接する２つのリブ４５ｃの間隔は、前側端部４６ａを除いた板状の区画壁４６の厚みに合わせてあり、各組の隣接する２つのリブ４５ｃの間に区画壁４６を上方から挿入することにより、区画壁４６を１組の隣接する２つのリブ４５ｃで保持できるように設定してある。また、貯氷容器４５内の前面側の壁のリブ４５ｃの位置と奥面側の壁のリブ４５ｃの位置は前後対称になっている。
【０２９９】
４５ｄは貯氷容器４５内の右側壁から、前側端部４６ａを除いた板状の区画壁４６の厚み分だけ左に離して、貯氷容器４５内の前面側の壁と奥面側の壁からそれぞれ貯氷容器４５の内側に突出するリブであり、上下方向に長く、貯氷容器４５内の右側壁とリブ４５ｄの間に区画壁４６を上方から挿入することにより、区画壁４６を貯氷容器４５内の右側壁とリブ４５ｄで保持できるように設定してある。また、貯氷容器４５内の前面側の壁のリブ４５ｄの位置と奥面側の壁のリブ４５ｄの位置は前後対称になっている。
【０３００】
４７は、区画壁４６を３組のうちの右側の組の２つのリブ４５ｃの間に挿入させて区画壁４６を第１製氷皿１１ａの下に取り付けた場合に、区画壁４６の前側端部４６ａによりボタン４７ａが押されて、製氷制御手段３３に対し、第１製氷皿１１ａによる製氷の強制停止を指令する信号を出力する第１製氷皿停止スイッチである。
【０３０１】
４８は、区画壁４６を３組のうちの左側の組の２つのリブ４５ｃの間に挿入させて区画壁４６を第２製氷皿１１ｂの下に取り付けた場合に、区画壁４６の前側端部４６ａによりボタン４８ａが押されて、製氷制御手段３３に対し、第２製氷皿１１ｂによる製氷の強制停止を指令する信号を出力する第２製氷皿停止スイッチである。
【０３０２】
なお、第１製氷皿停止スイッチ４７と第２製氷皿停止スイッチ４８とは冷凍室扉の背面側に設けられる。
【０３０３】
本実施の形態は、実施の形態２における貯氷容器１０を、取り外し可能な板状の区画壁４６の取り付け位置を変えることにより、第１貯氷領域４５ａと第２貯氷領域４５ｂとの割合を変えることができる貯氷容器４５に変え、実施の形態２における操作部３０と第１製氷皿停止ボタン３１と第２製氷皿停止ボタン３２との代わりに、第１製氷皿停止スイッチ４７と第２製氷皿停止スイッチ４８とを冷凍室扉の背面側に設けたものであり、その他の構成は、実施の形態２と同じである。
【０３０４】
また、第１、第２製氷皿１１ａ，１１ｂによる通常の製氷動作は、実施の形態１の図４のフローチャートに示された製氷動作と同じである。
【０３０５】
また、区画壁４６の前側端部４６ａにより第１製氷皿停止スイッチ４７のボタン４７ａが押された時の第１製氷皿１１ａについての動作は、実施の形態２において第１製氷皿１１ａによる製氷を行っている場合に第１製氷皿停止ボタン３１のボタンが押された時の第１製氷皿１１ａについての動作と同じである。
【０３０６】
また、区画壁４６の前側端部４６ａにより第２製氷皿停止スイッチ４８のボタン４８ａが押された時の第２製氷皿１１ｂについての動作は、実施の形態２において第２製氷皿１１ｂによる製氷を行っている場合に第２製氷皿停止ボタン３２のボタンが押された時の第２製氷皿１１ｂについての動作と同じである。
【０３０７】
また、区画壁４６の前側端部４６ａが第１製氷皿停止スイッチ４７のボタン４７ａを押す位置から、前側端部４６ａがボタン４７ａを押さない位置に、区画壁４６の取付位置が変更された場合、または前側端部４６ａがボタン４７ａを押す位置にあった区画壁４６が取り外された場合の第１製氷皿１１ａについての動作は、実施の形態２において第１製氷皿１１ａによる製氷動作が強制的に停止されている場合に第１製氷皿停止ボタン３１のボタンが押された時の第１製氷皿１１ａについての動作と同じである。
【０３０８】
また、区画壁４６の前側端部４６ａが第２製氷皿停止スイッチ４８のボタン４８ａを押す位置から、前側端部４６ａがボタン４８ａを押さない位置に、区画壁４６の取付位置が変更された場合、または前側端部４６ａがボタン４８ａを押す位置にあった区画壁４６が取り外された場合の第２製氷皿１１ｂについての動作は、実施の形態２において第２製氷皿１１ｂによる製氷動作が強制的に停止されている場合に第２製氷皿停止ボタン３２のボタンが押された時の第２製氷皿１１ｂについての動作と同じである。
【０３０９】
なお、本実施の形態の製氷制御手段３３は、冷凍室扉（独立した貯氷室がある場合は貯氷室扉）が開いたことを検知すると、冷凍室扉（独立した貯氷室がある場合は貯氷室扉）が閉じるまで、第１、第２製氷皿駆動手段２１ａ，２１ｂによる第１、第２製氷皿１１ａ，１１ｂの回動動作を停止させ、冷凍室扉（独立した貯氷室がある場合は貯氷室扉）が開いている時の第１、第２製氷皿１１ａ，１１ｂからの脱氷を防止するものとする。
【０３１０】
したがって、冷凍室扉（独立した貯氷室がある場合は貯氷室扉）が開いている間に、区画壁４６の前側端部４６ａにより製氷皿停止スイッチ４７（４８）のボタン４７ａ（４８ａ）が押された（製氷動作から製氷強制停止に切り換えられた）方の製氷皿１１ａ（１１ｂ）については、冷凍室扉（独立した貯氷室がある場合は貯氷室扉）が開いている間は、扉が開いているときの製氷制御手段３３の制御により製氷皿１１ａ（１１ｂ）の回動動作が停止しており、その後、扉が閉められた時に、製氷皿停止スイッチ４７（４８）からの信号に基づいて製氷制御手段３３が製氷皿１１ａ（１１ｂ）による製氷動作を強制的に停止する。
【０３１１】
また、冷凍室扉（独立した貯氷室がある場合は貯氷室扉）が開いている間に、区画壁４６の前側端部４６ａにより製氷皿停止スイッチ４７（４８）のボタン４７ａ（４８ａ）が押されなくなった（製氷強制停止から製氷動作に切り換えられた）方の製氷皿１１ａ（１１ｂ）については、冷凍室扉（独立した貯氷室がある場合は貯氷室扉）が開いている間は、扉が開いているときの製氷制御手段３３の制御により製氷皿１１ａ（１１ｂ）の回動動作が停止しており、その後、扉が閉められた時に、製氷皿停止スイッチ４７（４８）に基づいて製氷制御手段３３が製氷皿１１ａ（１１ｂ）による製氷動作を始める。
【０３１２】
本実施の形態において、第１製氷皿１１ａで製氷した氷と第２製氷皿１１ｂで製氷した氷とが混ざらないように第１貯氷領域４５ａと第２貯氷領域４５ｂとに別々に貯氷する場合は、区画壁４６を第１製氷皿１１ａと第２製氷皿１１ｂとの間の下の位置になるように、３組のリブ４５ｃのうちの中央の組の間に挿入させる。
【０３１３】
この場合は、区画壁４６の前側端部４６ａは、第１製氷皿停止スイッチ４７と第２製氷皿停止スイッチ４８の両方のボタン４７ａ，４８ａから離れているので、第１製氷皿停止スイッチ４７と第２製氷皿停止スイッチ４８は、両方とも動作せず、第１製氷皿１１ａと第２製氷皿１１ｂとで製氷動作が行われ、第１製氷皿１１ａから脱氷された氷は全て区画壁４６の左側の第１貯氷領域４５ａ内に落下し、第１貯氷領域４５ａ内に貯えられる。また、第２製氷皿１１ｂから脱氷された氷は全て区画壁４６の右側の第２貯氷領域４５ｂ内に落下し、第２貯氷領域４５ｂ内に貯えられる。
【０３１４】
また、第１製氷皿１１ａと第２製氷皿１１ｂとで同じ種類の氷を製氷する時や、第１製氷皿１１ａで製氷した氷と第２製氷皿１１ｂで製氷した氷とが混ざっても構わないから多くの氷を貯えたい時などで、貯氷領域を２つに分ける必要がない場合は、区画壁４６を取り外すか、もしくは、取り外した区画壁４６の紛失を防止するために区画壁４６を貯氷容器４５内の右側壁とリブ４５ｄの間に取り付ける。この時、区画壁４６が第２検氷レバー１４ｂの回動動作を妨害しないように、区画壁４６が第２検氷レバー１４ｂの自由端よりも充分右側に位置するものとする。
【０３１５】
この場合は、区画壁４６の前側端部４６ａは、第１製氷皿停止スイッチ４７と第２製氷皿停止スイッチ４８の両方のボタン４７ａ，４８ａから離れているので、第１製氷皿停止スイッチ４７と第２製氷皿停止スイッチ４８は、両方とも動作せず、第１製氷皿１１ａと第２製氷皿１１ｂとで製氷動作が行われ、第１製氷皿１１ａから脱氷された氷と第２製氷皿１１ｂから脱氷された氷は、全て貯氷容器４５内に形成される一つの貯氷領域内に落下し、貯えられる。
【０３１６】
また、第１製氷皿１１ａによる製氷は必要であるが、第２製氷皿１１ｂによる製氷は不要である場合は、区画壁４６を第２製氷皿１１ｂの下の位置になるように、３組のリブ４５ｃのうちの右側の組の間に挿入させる。
【０３１７】
この場合は、区画壁４６の前側端部４６ａが、第２製氷皿停止スイッチ４８のボタン４８ａを押すので、第２製氷皿停止スイッチ４８が、製氷制御手段３３に対し、第２製氷皿１１ｂによる製氷の強制停止を指令する信号を出力し、製氷制御手段３３により第２製氷皿１１ｂによる製氷動作は停止する。一方、区画壁４６の前側端部４６ａは、第１製氷皿停止スイッチ４７のボタン４７ａから離れているので、第１製氷皿停止スイッチ４７は動作せず、第１製氷皿１１ａで製氷動作が行われ、第１製氷皿１１ａから脱氷された氷は全て区画壁４６の左側の通常より広めの第１貯氷領域４５ａ内に落下し、第１貯氷領域４５ａ内に貯えられる。なお、この時、区画壁４６上に落下してくる氷はない。
【０３１８】
また、第２製氷皿１１ｂによる製氷は必要であるが、第１製氷皿１１ａによる製氷は不要である場合は、区画壁４６を第１製氷皿１１ｂの下の位置になるように、３組のリブ４５ｃのうちの左側の組の間に挿入させる。
【０３１９】
この場合は、区画壁４６の前側端部４６ａが、第１製氷皿停止スイッチ４７のボタン４７ａを押すので、第１製氷皿停止スイッチ４７が、製氷制御手段３３に対し、第１製氷皿１１ａによる製氷の強制停止を指令する信号を出力し、製氷制御手段３３により第１製氷皿１１ａによる製氷動作は停止する。一方、区画壁４６の前側端部４６ａは、第２製氷皿停止スイッチ４８のボタン４８ａから離れているので、第２製氷皿停止スイッチ４８は動作せず、第２製氷皿１１ｂで製氷動作が行われ、第２製氷皿１１ｂから脱氷された氷は全て区画壁４６の右側の通常より広めの第２貯氷領域４５ｂ内に落下し、第２貯氷領域４５ｂ内に貯えられる。なお、この時、区画壁４６上に落下してくる氷はない。
【０３２０】
本実施の形態では、３組のリブ４５ｃを設けているが、区画壁４６の前側端部４６ａが、第１、第２製氷皿停止スイッチ４７，４８のいずれのボタン４７ａ，４８ａも押さない位置に区画壁４６を保持する組のリブ４５ｃと、区画壁４６の前側端部４６ａが、第１、第２製氷皿停止スイッチ４７，４８のいずれかのボタン４７ａ，４８ａを押す位置に区画壁４６を保持する組のリブ４５ｃのどちらも、増やしても構わない。
【０３２１】
また、本実施の形態では、区画壁４６を所定の位置に保持させるため、貯氷容器４５内の前面側の壁と奥面側の壁からそれぞれ貯氷容器４５の内側に突出するリブ４５ｃを設けているが、リブ４５ｃの代わりに、区画壁４５の前後方向の端部を保持可能な上下方向の溝を、貯氷容器４５内の前面側の壁と奥面側の壁に設けても同様の効果が得られる。
【０３２２】
また、区画壁４６の前側端部４６ａが貯氷容器４５の前側の壁を上に乗り越える構造としては、貯氷容器４５の前側の壁を低くして壁の上を乗り越え易くする構造や、必要な箇所のみ貯氷容器４５の前側の壁の上部を必要な分だけ切り欠く構造がある。
【０３２３】
本実施の形態では、一つの給水ポンプ１６と流路切換弁１７を使って、第１製氷皿１１ａと第２製氷皿１１ｂに給水しているが、図３０のブロック図に示すように、第１製氷皿１１ａと第２製氷皿１１ｂのそれぞれに専用の給水ポンプ、第１給水ポンプ１６ａ、第２給水ポンプ１６ｂを設けても構わない。
【０３２４】
この場合は、流路切換弁１７が不要となり、図４のフローチャートのＳｔｅｐ１の製氷皿への定量給水の動作も、第１製氷皿１１ａと第２製氷皿１１ｂとで並行して行うことができる。
【０３２５】
また、本実施の形態では、冷凍室４の上段の冷凍容器８内の左側に貯氷容器４５を配置し、貯氷容器４５の上部に、自動製氷装置の第１、第２製氷皿１１ａ，１１ｂと、第１、第２検氷レバー１４ａ，１４ｂと、それらを駆動する駆動装置１２を設けたが、図３１に示すように、冷凍室における自動製氷と貯氷に使っていた部分を貯氷室２５として独立させ、下段の冷凍容器９の部分のみを、引き出し式の冷凍室扉２６により前面開口部が開閉される冷凍室とし、貯氷室２５の右側の貯蔵室を、引き出し式の切換室扉２７により前面開口部が開閉される広範囲の温度調節が可能な切換室としても構わない。
【０３２６】
以上のように本実施の形態は、複数の製氷皿１１ａ，１１ｂで製氷された氷を貯氷する貯氷容器４５と、貯氷容器４５内の所定の複数の取付位置（３組のリブ４５ｃのある位置）に取外し可能に取付けられ複数の製氷皿１１ａ，１１ｂに対応して貯氷容器４５内を複数の貯氷領域４５ａ，４５ｂに区画する区画壁４６と、製氷皿１１ａ，１１ｂの真下になる取付位置（左側または右側の組のリブ４５ｃのある位置）に区画壁４６を取付けたときに真下に区画壁４６が取付けられた製氷皿１１ａ（１１ｂ）による製氷を強制的に停止させる製氷停止手段（前側端部４６ａ、第１、第２製氷皿停止スイッチ４７，４８、製氷制御手段３３）とを備えたものであり、区画壁４６を取付けることができる複数の取付位置を適切に設定しておき、必要に応じて、取外し可能な区画壁４６を取付け取外し付替えを行うことにより、貯氷領域４５ａ，４５ｂの数の増減（最小は１から最大は複数の製氷皿１１ａ，１１ｂと同数までの増減）、各貯氷領域４５ａ，４５ｂの大きさ（複数の製氷皿１１ａ，１１ｂが並ぶ左右方向の幅）の調節ができるので、自動製氷装置の使い方に合わせて、貯氷容器４５の貯氷領域４５ａ，４５ｂを有効利用できるという効果がある。
【０３２７】
なお、取外した区画壁４６を、貯氷容器４５における邪魔にならない貯氷容器４５の端に固定できるようにリブ４５ｄを設けたので、取外した区画壁４６の紛失を防止できる。
【０３２８】
また、製氷皿１１ａ，１１ｂの真下に区画壁４６を取付けた場合は、その区画壁４６の真上に位置する製氷皿１１ａ（１１ｂ）による製氷が停止するので、区画壁４６の上に製氷皿１１ａ，１１ｂから脱氷された氷が落下することがなく、落下する氷により区画壁４６が破損する虞がないという効果がある。
【０３２９】
また、複数の製氷皿１１ａ，１１ｂうちの特定の製氷皿１１ａ（１１ｂ）による製氷を停止させると共に、その特定の製氷皿１１ａ（１１ｂ）に隣接する製氷皿１１ｂ（１１ａ）の貯氷領域４５ｂ（４５ａ）を拡大したい場合は、製氷を停止させたい製氷皿１１ａ（１１ｂ）の貯氷領域４５ａ（４５ｂ）とそれに隣接し領域を拡大したい貯氷領域４５ｂ（４５ａ）とを区画する区画壁４６を、停止させたい製氷皿１１ａ（１１ｂ）の真下に付け替えるという簡単な作業だけで、特定の製氷皿１１ａ（１１ｂ）による製氷を停止させ、その特定の製氷皿１１ａ（１１ｂ）に隣接する製氷皿１１ｂ（１１ａ）の貯氷領域４５ｂ（４５ａ）を拡大することができるという効果がある。
【０３３０】
（実施の形態９）
次に、本発明の実施の形態９による冷蔵庫について説明するが、実施の形態１から３または実施の形態５と同一構成については同一符号を付してその詳細な説明は、省略する。
【０３３１】
図３２は本発明の実施の形態９による冷蔵庫における貯氷容器とその周辺の部品を示す上面図、図３３は同実施の形態による冷蔵庫の自動製氷装置の構成を示すブロック図である。
【０３３２】
図において、４９は、貯氷容器４０内を第１貯氷領域４０ａと第２貯氷領域４０ｂとに区画する区画壁４１が、第１製氷皿１１ａの下方または第１検氷レバー１４ａの下方にスライド移動された場合に、区画壁４１の前側の保持部４１ａによりボタン４９ａが押されて、製氷制御手段３３に対し、第１製氷皿１１ａによる製氷の強制停止を指令する信号を出力する第１製氷皿停止スイッチである。
【０３３３】
また、５０は、貯氷容器４０内を第１貯氷領域４０ａと第２貯氷領域４０ｂとに区画する区画壁４１が、第２製氷皿１１ｂの下方または第２検氷レバー１４ｂの下方にスライド移動された場合に、区画壁４１の前側の保持部４１ａによりボタン５０ａが押されて、製氷制御手段３３に対し、第２製氷皿１１ｂによる製氷の強制停止を指令する信号を出力する第２製氷皿停止スイッチである。
【０３３４】
なお、第１製氷皿停止スイッチ４９と第２製氷皿停止スイッチ５０とは冷凍室扉の背面側に設けられる。
【０３３５】
本実施の形態の冷蔵庫扉６には、実施の形態１から３における冷蔵庫扉６に設けられていた操作部がない。
【０３３６】
また、本実施の形態の貯氷容器４０と、貯氷容器４０内を第１貯氷領域４０ａと第２貯氷領域４０ｂとに区画するスライド移動可能な区画壁４１は、実施の形態５で使用したものと同じである。
【０３３７】
また、区画壁４１を、第１製氷皿１１ａの下方または第１検氷レバー１４ａの下方にスライド移動させたことにより第１製氷皿停止スイッチ４９のボタン４９ａが押されたときの動作は、実施の形態８において、第１製氷皿１１ａの真下になる取付位置（左側の組のリブ４５ｃのある位置）に区画壁４６を取付けたことにより第１製氷皿停止スイッチ４７のボタン４７ａが押されたときの動作と同じである。
【０３３８】
同様に、区画壁４１を、第２製氷皿１１ｂの下方または第２検氷レバー１４ｂの下方にスライド移動させたことにより第２製氷皿停止スイッチ５０のボタン５０ａが押されたときの動作は、実施の形態８において、第２製氷皿１１ｂの真下になる取付位置（右側の組のリブ４５ｃのある位置）に区画壁４６を取付けたことにより第２製氷皿停止スイッチ４８のボタン４８ａが押されたときの動作と同じである。
【０３３９】
本実施の形態は、実施の形態８における区画壁４６を有する貯氷容器４５を、実施の形態５で使用した区画壁４１を有する貯氷容器４０に変え、貯氷容器の変更に合わせて、実施の形態８における第１製氷皿停止スイッチ４７を、スイッチ機能は変えずに、第１製氷皿１１ａの下方または第１検氷レバー１４ａの下方に区画壁４１が位置している時にボタンが押された状態になるように仕様変更した第１製氷皿停止スイッチ４９に変え、実施の形態８における第２製氷皿停止スイッチ４８を、スイッチ機能は変えずに、第２製氷皿１１ｂの下方または第２検氷レバー１４ｂの下方に区画壁４１が位置している時にボタンが押された状態になるように仕様変更した第２製氷皿停止スイッチ５０に変えたものであり、その他の構成は実施の形態８と同じである。
【０３４０】
なお、本実施の形態の製氷制御手段３３は、冷凍室扉（独立した貯氷室がある場合は貯氷室扉）が開いたことを検知すると、冷凍室扉（独立した貯氷室がある場合は貯氷室扉）が閉じるまで、第１、第２製氷皿駆動手段２１ａ，２１ｂによる第１、第２製氷皿１１ａ，１１ｂの回動動作を停止させ、冷凍室扉（独立した貯氷室がある場合は貯氷室扉）が開いている時の第１、第２製氷皿１１ａ，１１ｂからの脱氷を防止するものとする。
【０３４１】
したがって、冷凍室扉（独立した貯氷室がある場合は貯氷室扉）が開いている間に、区画壁４１の保持部４１ａにより製氷皿停止スイッチ４９（５０）のボタン４９ａ（５０ａ）が押された（製氷動作から製氷強制停止に切り換えられた）方の製氷皿１１ａ（１１ｂ）については、冷凍室扉（独立した貯氷室がある場合は貯氷室扉）が開いている間は、扉が開いているときの製氷制御手段３３の制御により製氷皿１１ａ（１１ｂ）の回動動作が停止しており、その後、扉が閉められた時に、製氷皿停止スイッチ４９（５０）からの信号に基づいて製氷制御手段３３が製氷皿１１ａ（１１ｂ）による製氷動作を強制的に停止する。
【０３４２】
また、冷凍室扉（独立した貯氷室がある場合は貯氷室扉）が開いている間に、区画壁４１の保持部４１ａにより製氷皿停止スイッチ４９（５０）のボタン４９ａ（５０ａ）が押されなくなった（製氷強制停止から製氷動作に切り換えられた）方の製氷皿１１ａ（１１ｂ）については、冷凍室扉（独立した貯氷室がある場合は貯氷室扉）が開いている間は、扉が開いているときの製氷制御手段３３の制御により製氷皿１１ａ（１１ｂ）の回動動作が停止しており、その後、扉が閉められた時に、製氷皿停止スイッチ４９（５０）に基づいて製氷制御手段３３が製氷皿１１ａ（１１ｂ）による製氷動作を始める。
【０３４３】
本実施の形態において、第１製氷皿１１ａと第２製氷皿１１ｂの両方で製氷動作を行わせながら、左側の第１貯氷領域４０ａを減らして右側の第２貯氷領域４０ｂを増やしたい場合は、区画壁４１の前側の保持部４１ａが第１製氷皿停止スイッチ４９のボタン４９ａも第２製氷皿停止スイッチ５０のボタン５０ａも押さない範囲内で、区画壁４１の位置を適度に左にずらせば良い。
【０３４４】
逆に、第１製氷皿１１ａと第２製氷皿１１ｂの両方で製氷動作を行わせながら、左側の第１貯氷領域４０ａを増やして右側の第２貯氷領域４０ｂを減らしたい場合は、区画壁４１の前側の保持部４１ａが第１製氷皿停止スイッチ４９のボタン４９ａも第２製氷皿停止スイッチ５０のボタン５０ａも押さない範囲内で、区画壁４１の位置を適度に右にずらせば良い。
【０３４５】
また、第１製氷皿１１ａの製氷動作を停止させ第２製氷皿１１ｂでのみ製氷動作を行わせながら、左側の第１貯氷領域４０ａを減らして右側の第２貯氷領域４０ｂを増やしたい場合は、区画壁４１の前側の保持部４１ａが第１製氷皿停止スイッチ４９のボタン４９ａを押す範囲内で、区画壁４１の位置を適度に左にずらせば良い。
【０３４６】
逆に、第２製氷皿１１ｂの製氷動作を停止させ第１製氷皿１１ａでのみ製氷動作を行わせながら、左側の第１貯氷領域４０ａを増やして右側の第２貯氷領域４０ｂを減らしたい場合は、区画壁４１の前側の保持部４１ａが第２製氷皿停止スイッチ５０のボタン５０ａを押す範囲内で、区画壁４１の位置を適度に右にずらせば良い。
【０３４７】
また、第１製氷皿１１ａと第２製氷皿１１ｂの両方で製氷動作を行わせ、それぞれの氷を同じ貯氷領域に貯えたい場合は、区画壁４１を取り外す。
【０３４８】
もし、区画壁４１を貯氷容器４０の左端（右端）まで移動させた場合に、区画壁４１の前側の保持部４１ａが第１製氷皿停止スイッチ４９のボタン４９ａ（第２製氷皿停止スイッチ５０のボタン５０ａ）を押さないように構成してあれば、区画壁４１を貯氷容器４０の左端（右端）まで移動させることにより、第１製氷皿１１ａと第２製氷皿１１ｂの両方で製氷動作を行わせ、それぞれの氷を同じ貯氷領域に貯えることができる。この場合は、区画壁４１を取り外さないので、区画壁４１を紛失してしまう虞がない。
【０３４９】
本実施の形態では、一つの給水ポンプ１６と流路切換弁１７を使って、第１製氷皿１１ａと第２製氷皿１１ｂに給水しているが、図３４のブロック図に示すように、第１製氷皿１１ａと第２製氷皿１１ｂのそれぞれに専用の給水ポンプ、第１給水ポンプ１６ａ、第２給水ポンプ１６ｂを設けても構わない。
【０３５０】
この場合は、流路切換弁１７が不要となり、図４のフローチャートのＳｔｅｐ１の製氷皿への定量給水の動作も、第１製氷皿１１ａと第２製氷皿１１ｂとで並行して行うことができる。
【０３５１】
なお、本実施の形態において、自動製氷装置の第１、第２製氷皿１１ａ，１１ｂと、第１、第２検氷レバー１４ａ，１４ｂと、それらを駆動する駆動装置１２と、貯氷容器４０は、図２７に示すように、冷凍室４の上段の冷凍容器８内の左側に貯氷容器４０を配置し、貯氷容器４０の上部に、自動製氷装置の第１、第２製氷皿１１ａ，１１ｂと、第１、第２検氷レバー１４ａ，１４ｂと、それらを駆動する駆動装置１２を設けることを想定したが、図３１に示すように、冷凍室における自動製氷と貯氷に使っていた部分を貯氷室２５として独立させ、下段の冷凍容器９の部分のみを、引き出し式の冷凍室扉２６により前面開口部が開閉される冷凍室とし、貯氷室２５の右側の貯蔵室を、引き出し式の切換室扉２７により前面開口部が開閉される広範囲の温度調節が可能な切換室としても構わない。
【０３５２】
以上のように本実施の形態は、複数の製氷皿１１ａ，１１ｂで製氷された氷を貯氷する貯氷容器４０と、貯氷容器４０内に複数の製氷皿１１ａ，１１ｂの並ぶ左右方向にスライド移動可能に設けられ貯氷容器４０内を複数の貯氷領域４０ａ，４０ｂに区画する区画壁４１と、製氷皿１１ａ，１１ｂの真下になる位置に区画壁４１を位置させたときに真下に区画壁４１が位置している製氷皿１１ａ（１１ｂ）による製氷を強制的に停止させる製氷停止手段（保持部４１ａ、第１、第２製氷皿停止スイッチ４７，４８、製氷制御手段３３）とを備えたものであり、不要な数の区画壁４１を他の区画壁４１や貯氷容器４０の側壁に重ねることにより、貯氷領域４０ａ，４０ｂの数の増減（最小は１から最大は複数の製氷皿１１ａ，１１ｂと同数までの増減）でき、また、区画壁４１をスライド移動させることにより、各貯氷領域４０ａ，４０ｂの大きさ（複数の製氷皿１１ａ，１１ｂが並ぶ左右方向の幅）の調節ができるので、自動製氷装置の使い方に合わせて、貯氷容器４０の貯氷領域を有効利用できるという効果がある。
【０３５３】
また、製氷皿１１ａ，１１ｂの真下に区画壁４１を配置させた場合は、その区画壁４１の真上に位置する製氷皿１１ａ（１１ｂ）による製氷が停止するので、区画壁４１の上に製氷皿１１ａ（１１ｂ）から脱氷された氷が落下することがなく、落下する氷により区画壁４１が破損する虞がないという効果がある。
【０３５４】
また、複数の製氷皿１１ａ，１１ｂのうちの特定の製氷皿１１ａ（１１ｂ）による製氷を停止させると共に、その特定の製氷皿１１ａ（１１ｂ）に隣接する製氷皿１１ｂ（１１ａ）の貯氷領域４０ｂ（４０ａ）を拡大したい場合は、製氷を停止させたい製氷皿１１ａ（１１ｂ）の貯氷領域４０ａ（４０ｂ）とそれに隣接し領域を拡大したい貯氷領域４０ｂ（４０ａ）とを区画する区画壁４１を、停止させたい製氷皿１１ａ（１１ｂ）の真下にスライド移動させるという簡単な作業だけで、特定の製氷皿１１ａ（１１ｂ）による製氷を停止させ、その特定の製氷皿１１ａ（１１ｂ）に隣接する製氷皿１１ｂ（１１ａ）の貯氷領域４０ｂ（４０ａ）を拡大することができるという効果がある。
【０３５５】
（実施の形態１０）
次に、本発明の実施の形態１０による冷蔵庫について説明するが、実施の形態１から３と同一構成については同一符号を付してその詳細な説明は、省略する。
【０３５６】
図３５は本発明の実施の形態１０による冷蔵庫における貯氷容器とその周辺の部品を示す上面図、図３６は同実施の形態による冷蔵庫の自動製氷装置の構成を示すブロック図である。
【０３５７】
図において、５１は、取付け取外し可能に配設され第１製氷皿１１ａから脱氷された氷を貯える第１貯氷容器であり、前面上部に突起５１ａを有する。５２は、取付け取外し可能に配設され第２製氷皿１１ｂから脱氷された氷を貯える第２貯氷容器であり、前面上部に突起５２ａを有する。
【０３５８】
５３は、冷凍室扉の背面側に設けられ第１貯氷容器５１の配設状態を感知する第１貯氷容器感知手段としての第１貯氷容器感知スイッチであり、第１貯氷容器５１が取り外された時に、ボタン５３ａを押していた第１貯氷容器５１の突起５１ａがボタン５３ａから離れ、ボタン５３ａが突出して、製氷制御手段３３に対し、第１製氷皿１１ａによる製氷の強制停止を指令する信号を出力する。
【０３５９】
５４は、冷凍室扉の背面側に設けられ第２貯氷容器５２の配設状態を感知する第２貯氷容器感知手段としての第２貯氷容器感知スイッチであり、第２貯氷容器５２が取り外された時に、ボタン５４ａを押していた第２貯氷容器５２の突起５２ａがボタン５４ａから離れ、ボタン５４ａが突出して、製氷制御手段３３に対し、第２製氷皿１１ｂによる製氷の強制停止を指令する信号を出力する。
【０３６０】
本実施の形態の冷蔵庫扉６には、実施の形態１から３における冷蔵庫扉６に設けられていた操作部がない。
【０３６１】
本実施の形態は、実施の形態８における区画壁４６を有する貯氷容器４５を、複数の製氷皿１１ａ，１１ｂのそれぞれに対応して取付け取外し可能に配設される複数の貯氷容器５１，５２に変え、また、実施の形態８における、区画壁４６の前側端部４６ａによりボタン４７ａが押された時に、製氷制御手段３３に対し、第１製氷皿１１ａによる製氷の強制停止を指令する信号を出力する第１製氷皿停止スイッチ４７を、ボタン５３ａを押していた第１貯氷容器５１の突起５１ａがボタン５３ａから離れた時に、製氷制御手段３３に対し、第１製氷皿１１ａによる製氷の強制停止を指令する信号を出力する第１貯氷容器感知スイッチ５３に変え、区画壁４６の前側端部４６ａによりボタン４８ａが押された時に、製氷制御手段３３に対し、第２製氷皿１１ｂによる製氷の強制停止を指令する信号を出力する第２製氷皿停止スイッチ４８を、ボタン５４ａを押していた第２貯氷容器５２の突起５２ａがボタン５４ａから離れた時に、製氷制御手段３３に対し、第２製氷皿１１ｂによる製氷の強制停止を指令する信号を出力する第２貯氷容器感知スイッチ５４に変えたものであり、その他の構成は、実施の形態８と同じである。
【０３６２】
また、第１、第２製氷皿１１ａ，１１ｂによる通常の製氷動作は、実施の形態１の図４のフローチャートに示された製氷動作と同じである。
【０３６３】
また、第１貯氷容器５１が取り外されて、第１貯氷容器感知スイッチ５３のボタン５３ａを押していた第１貯氷容器５１の突起５１ａがボタン５３ａから離れた時の第１製氷皿１１ａについての動作は、実施の形態２において第１製氷皿１１ａによる製氷を行っている場合に、第１製氷皿停止ボタン３１のボタンが押された時の第１製氷皿１１ａについての動作と同じである。
【０３６４】
また、第２貯氷容器５２が取り外されて、第２貯氷容器感知スイッチ５４のボタン５４ａを押していた第２貯氷容器５２の突起５２ａがボタン５４ａから離れた時の第２製氷皿１１ｂについての動作は、実施の形態２において第２製氷皿１１ｂによる製氷を行っている場合に、第２製氷皿停止ボタン３２のボタンが押された時の第２製氷皿１１ｂについての動作と同じである。
【０３６５】
また、取り外されていた第１貯氷容器５１を所定の位置（第１製氷皿１１ａの下方）に取り付けて、第１貯氷容器５１の突起５１ａが第１貯氷容器感知スイッチ５３のボタン５３ａを押した時の第１製氷皿１１ａについての動作は、実施の形態２において第１製氷皿１１ａによる製氷動作が強制的に停止されている場合に、第１製氷皿停止ボタン３１のボタンが押された時の第１製氷皿１１ａについての動作と同じである。
【０３６６】
また、取り外されていた第２貯氷容器５２を所定の位置（第２製氷皿１１ｂの下方）に取り付けて、第２貯氷容器５２の突起５２ａが第２貯氷容器感知スイッチ５４のボタン５４ａを押した時の第２製氷皿１１ｂについての動作は、実施の形態２において第２製氷皿１１ｂによる製氷動作が強制的に停止されている場合に、第２製氷皿停止ボタン３２のボタンが押された時の第２製氷皿１１ｂについての動作と同じである。
【０３６７】
なお、第１、第２貯氷容器５１，５２を前後逆に取り付けることが可能な場合で、第１貯氷容器５１または第２貯氷容器５２を前後逆に取り付けた場合は、前後逆に取り付けた第１貯氷容器５１または第２貯氷容器５２の上方にある第１製氷皿１１ａまたは第２製氷皿１１ｂの製氷動作が強制的に停止されているので、前後逆に取り付けた第１貯氷容器５１または第２貯氷容器５２に、第１製氷皿１１ａまたは第２製氷皿１１ｂから脱氷された氷が落下してこないので、前後逆に取り付けた第１貯氷容器５１または第２貯氷容器５２を他の冷凍貯蔵物の収納に使用することができる。
【０３６８】
なお、本実施の形態の製氷制御手段３３は、冷凍室扉（独立した貯氷室がある場合は貯氷室扉）が開いたことを検知すると、冷凍室扉（独立した貯氷室がある場合は貯氷室扉）が閉じるまで、第１、第２製氷皿駆動手段２１ａ，２１ｂによる第１、第２製氷皿１１ａ，１１ｂの回動動作を停止させ、冷凍室扉（独立した貯氷室がある場合は貯氷室扉）が開いている時の第１、第２製氷皿１１ａ，１１ｂからの脱氷を防止するものとする。
【０３６９】
したがって、冷凍室扉（独立した貯氷室がある場合は貯氷室扉）が開いている間に、貯氷容器５１（５２）が取り外された（製氷動作から製氷強制停止に切り換えられた）方の製氷皿１１ａ（１１ｂ）については、冷凍室扉（独立した貯氷室がある場合は貯氷室扉）が開いている間は、扉が開いているときの製氷制御手段３３の制御により製氷皿１１ａ（１１ｂ）の回動動作が停止しており、その後、扉が閉められた時に、貯氷容器感知スイッチ５３（５４）からの信号に基づいて製氷制御手段３３が製氷皿１１ａ（１１ｂ）による製氷動作を強制的に停止する。
【０３７０】
また、冷凍室扉（独立した貯氷室がある場合は貯氷室扉）が開いている間に、貯氷容器５１（５２）が所定位置に正しく取り付けられた（製氷強制停止から製氷動作に切り換えられた）方の製氷皿１１ａ（１１ｂ）については、冷凍室扉（独立した貯氷室がある場合は貯氷室扉）が開いている間は、扉が開いているときの製氷制御手段３３の制御により製氷皿１１ａ（１１ｂ）の回動動作が停止しており、その後、扉が閉められた時に、貯氷容器感知スイッチ５３（５４）に基づいて製氷制御手段３３が製氷皿１１ａ（１１ｂ）による製氷動作を始める。
【０３７１】
本実施の形態の冷蔵庫は、複数の製氷皿１１ａ，１１ｂをもつ自動製氷装置（の製氷部）が、引出し式扉と共に前方に引出される冷凍容器８，９を有する冷凍室４の左右どちらか片側（左側）に寄せて配置され、複数の製氷皿１１ａ，１１ｂの下方には複数の製氷皿１１ａ，１１ｂに対応して上段の冷凍容器８内を貯氷領域と他の冷凍貯蔵物の収納領域８ａとに仕切る仕切り壁を兼ねる複数の貯氷容器５１，５２が取付け取外し可能に上段の冷凍容器８内に配設され、複数の製氷皿１１ａ，１１ｂは、製氷が強制的に停止される可能性が低い第１の製氷皿１１ａが冷凍室４の左側面に近接して位置し、複数の製氷皿１１ａ，１１ｂのうち製氷が強制的に停止される可能性が高い第２製氷皿１１ｂが上段の冷凍容器８における他の冷凍貯蔵物の収納領域８ａに近接して位置している。
【０３７２】
上記構成において、第２製氷皿１１ｂに対応した第２貯氷容器５２を取外して、第２製氷皿１１ｂによる製氷を強制的に停止させ、取外した第２貯氷容器５２の分だけ他の冷凍貯蔵物の収納領域８ａを広くすることができる。したがって、自動製氷装置の使い方に合わせて、貯氷容器５１，５２の貯氷領域を有効利用できるという効果がある。
【０３７３】
また、複数の製氷皿１１ａ，１１ｂは、製氷が強制的に停止される可能性が低い第１製氷皿１１ａを冷凍室４の左側面に近接して位置させ、複数の製氷皿１１ａ，１１ｂのうち製氷が強制的に停止される可能性が高い第２製氷皿１１ｂを上段の冷凍容器８における他の冷凍貯蔵物の収納領域８ａに近接して位置させたので、氷を多く貯えておく必要がない時や、貯えておく必要がない種類の氷を製氷する製氷皿がある時で、一方の製氷皿の製氷を停止させる場合に、他の冷凍貯蔵物の収納領域８ａに近接する第２製氷皿１１ｂを停止させることになる可能性が高く、そのため、停止させる第２製氷皿１１ｂの氷を貯氷する第２貯氷容器５２ｂを取外した場合に、取外した第２貯氷容器２９の分だけ他の冷凍貯蔵物の収納領域８ａが広くなる可能性が高く、実用的である。
【０３７４】
本実施の形態では、一つの給水ポンプ１６と流路切換弁１７を使って、第１製氷皿１１ａと第２製氷皿１１ｂに給水しているが、図３７のブロック図に示すように、第１製氷皿１１ａと第２製氷皿１１ｂのそれぞれに専用の給水ポンプ、第１給水ポンプ１６ａ、第２給水ポンプ１６ｂを設けても構わない。
【０３７５】
この場合は、流路切換弁１７が不要となり、図４のフローチャートのＳｔｅｐ１の製氷皿への定量給水の動作も、第１製氷皿１１ａと第２製氷皿１１ｂとで並行して行うことができる。
【０３７６】
なお、本実施の形態において、自動製氷装置の第１、第２製氷皿１１ａ，１１ｂと、第１、第２検氷レバー１４ａ，１４ｂと、それらを駆動する駆動装置１２と、貯氷容器５１，５２は、図２７に示すように、冷凍室４の上段の冷凍容器８内の左側に貯氷容器５１，５２を順に配置し、貯氷容器５１，５２の上部に、自動製氷装置の第１、第２製氷皿１１ａ，１１ｂと、第１、第２検氷レバー１４ａ，１４ｂと、それらを駆動する駆動装置１２を設けることを想定したが、図３１に示すように、冷凍室における自動製氷と貯氷に使っていた部分を貯氷室２５として独立させ、下段の冷凍容器９の部分のみを、引き出し式の冷凍室扉２６により前面開口部が開閉される冷凍室とし、貯氷室２５の右側の貯蔵室を、引き出し式の切換室扉２７により前面開口部が開閉される広範囲の温度調節が可能な切換室としても構わない。
【０３７７】
以上のように本実施の形態は、複数の製氷皿１１ａ，１１ｂをもつ自動製氷装置と、複数の製氷皿１１ａ，１１ｂのそれぞれに対応して取付け取外し可能に配設される複数の貯氷容器５１，５２と、各貯氷容器５１，５２の配設状態を感知する貯氷容器感知手段５３，５４とを備え、複数の貯氷容器５１，５２の内のいずれかの貯氷容器５１（５２）が取外された場合に、貯氷容器感知手段５３（５４）が働いて、複数の製氷皿１１ａ，１１ｂの内の対応する貯氷容器５１（５２）がなくなった製氷皿１１ａ（１１ｂ）による製氷が強制的に停止されるものである。
【０３７８】
上記構成において、貯氷容器５１（５２）を取外すと、貯氷容器５１（５２）が取外されたことを貯氷容器感知手段５３（５４）で感知して、取外された貯氷容器５１（５２）に対応する製氷皿１１ａ（１１ｂ）の製氷動作が停止する。したがって、複数の製氷皿１１ａ（１１ｂ）のうち利用者が製氷動作の停止を望む方の製氷皿１１ａ（１１ｂ）での製氷動作を、利用者が簡単に停止できるという効果がある。
【０３７９】
また、取外された貯氷容器５１（５２）は、冷蔵庫の外で使ったり、冷蔵庫の他の貯蔵物の容器として利用できる。また、貯氷容器５１（５２）を取外すことにより空いたスペースには貯氷容器感知手段５３（５４）によって誤感知されない貯蔵物収納容器を使って氷以外の冷凍食品を収納する（貯氷容器５１，５２が別の収納容器８内に配置される構造であれば、空いたスペース８ａに直接、冷凍食品を収納する）ことができ、その冷凍食品などの冷凍貯蔵物の上に製氷皿１１ａ（１１ｂ）から氷が落下してくることはない。したがって、自動製氷装置の使い方に合わせて、貯氷容器５１，５２の貯氷領域を有効利用できるという効果がある。
【０３８０】
また、取外していた貯氷容器５１（５２）を元の位置に戻すと、貯氷容器５１（５２）が取付けられたことを貯氷容器感知手段５３（５４）で感知して、貯氷容器５１（５２）が戻された貯氷容器５１（５２）に対応する製氷皿１１ａ（１１ｂ）が製氷動作を再開する。したがって、停止していた製氷皿１１ａ（１１ｂ）による製氷が必要になった時には、利用者が、貯氷容器５１（５２）を元の位置に戻すという簡単な作業で、停止していた製氷皿１１ａ（１１ｂ）による製氷動作を再開させることができるという効果がある。
【０３８１】
なお、実施の形態１から１０において、製氷皿が２つの場合について説明したが、３つ以上の製氷皿を有する自動製氷装置を備えた冷蔵庫にも、適用が可能である。
【０３８２】
【発明の効果】
以上説明したように、本発明の請求項１に記載の冷蔵庫の発明は、複数の製氷皿をもつ自動製氷装置と、所定の操作をすることにより前記複数の製氷皿のうちの特定の製氷皿による製氷を強制的に停止させる操作部とを備えたことにより、複数の製氷皿のうち特定の製氷皿での製氷動作を、氷をあまり必要としない冬場等に、利用者が必要に応じて簡単に停止でき、停止した側の貯氷領域を他の冷凍貯蔵物の収納容器として、他の冷凍貯蔵物の収納に利用することができるという効果がある。
【０３８３】
また、本発明の請求項２に記載の冷蔵庫の発明は、請求項１に記載の発明における操作部を複数に増やして、製氷を強制的に停止できる製氷皿を、請求項１に記載の発明の１つから操作部の数と同数の複数に増やせるようにしたものであり、複数の製氷皿のうち利用者が製氷動作の停止を望む方の製氷皿での製氷動作を、利用者が簡単に停止できるという効果がある。例えば、複数の製氷皿の形状が異なる場合、必要とする製氷皿の方だけを製氷し、必要のない製氷皿は停止できるので利用頻度に応じて使い分けができ更に便宜性が図れる。
【０３８４】
また、本発明の請求項３に記載の冷蔵庫の発明は、請求項２に記載の発明において複数の操作部で行っていた操作を、一つの切り換えスイッチの操作で行えるようにしたものであり、複数の製氷皿のうち利用者が製氷動作の停止を望む方の製氷皿での製氷動作を、利用者が一つの切り換えスイッチの操作で簡単に停止できるという効果がある。
【０３８５】
本発明の請求項４に記載の冷蔵庫の発明は、請求項１から３のいずれか一項記載の発明において、回動動作の途中の時点で、製氷を強制的に停止するための操作がなされた製氷皿は、前記製氷皿の開口部が上になる初期位置に戻って停止するものであり、脱氷動作の途中で製氷皿が停止してしまうことで駆動部分に高負荷の回転力が加わり続けることもなく、また脱氷のため製氷皿がひねられた状態で長時間停止してしまうことで製氷皿が変形してしまう虞もなく、自動製氷装置の品質（信頼性）を長期に亘って維持できるという効果がある。
【０３８６】
また、本発明の請求項５に記載の冷蔵庫の発明は、請求項１から４のいずれか一項記載の発明に加えて、取外し可能な区画壁もしくは変位可能な区画壁により、複数の製氷皿のそれぞれに対応した複数の貯氷領域を形成する状態と、一つの貯氷領域を形成する状態とに変化する貯氷容器を備えたものであり、貯氷容器を複数の製氷皿のそれぞれに対応した複数の貯氷領域を形成する状態と、一つの貯氷領域を形成する状態とに変化させることができるので、自動製氷装置の使い方に合わせて、貯氷容器の貯氷領域を有効利用できるという効果がある。
【０３８７】
また、本発明の請求項６に記載の冷蔵庫の発明は、複数の製氷皿で製氷された氷を貯氷する貯氷容器と、前記貯氷容器内の所定の複数の取付位置に取外し可能に取付けられ複数の製氷皿に対応して前記貯氷容器内を複数の貯氷領域に区画する区画壁と、前記製氷皿の真下になる取付位置に前記区画壁を取付けたときに真下に前記区画壁が取付けられた製氷皿による製氷を強制的に停止させる製氷停止手段とを備えたものであり、貯氷領域の数の増減、各貯氷領域の大きさ（複数の製氷皿が並ぶ方向の幅）の調節ができるので、自動製氷装置の使い方に合わせて、貯氷容器の貯氷領域を有効利用でき、また、落下する氷により区画壁が破損する虞がないという効果がある。また、停止させたい製氷皿の真下に付け替えるという簡単な作業だけで、特定の製氷皿による製氷を停止させ、その特定の製氷皿に隣接する製氷皿の貯氷領域を拡大することができるという効果がある。
【０３８８】
また、本発明の請求項７に記載の冷蔵庫の発明は、複数の製氷皿で製氷された氷を貯氷する貯氷容器と、前記貯氷容器内に複数の製氷皿の並ぶ方向にスライド移動可能に設けられ前記貯氷容器内を複数の貯氷領域に区画する区画壁と、前記製氷皿の真下になる位置に前記区画壁を位置させたときに真下に前記区画壁が位置している製氷皿による製氷を強制的に停止させる製氷停止手段とを備えたものであり、不要な数の区画壁を他の区画壁や貯氷容器の側壁に重ねることにより、貯氷領域の数の増減でき、また、区画壁をスライド移動させることにより、各貯氷領域の大きさ（複数の製氷皿が並ぶ方向の幅）の調節ができるので、自動製氷装置の使い方に合わせて、貯氷容器の貯氷領域を有効利用でき、また、落下する氷により区画壁が破損する虞がないという効果がある。また、停止させたい製氷皿の真下にスライド移動させるという簡単な作業だけで、特定の製氷皿による製氷を停止させ、その特定の製氷皿に隣接する製氷皿の貯氷領域を拡大することができるという効果がある。
【０３８９】
また、本発明の請求項８に記載の冷蔵庫の発明は、請求項１から４のいずれか一項記載の発明に加えて、複数の製氷皿で製氷された氷を貯氷する貯氷容器と、複数の製氷皿に対応して前記貯氷容器内を複数の貯氷領域に区画する区画壁とを備え、前記区画壁は、下端が前記貯氷容器の固定部に前記区画壁の下辺を回動軸として回動自在に固定されると共に、前記区画壁が前記貯氷容器の底面に対して垂直に立った状態と前記貯氷容器の底面に対して平行に倒れた状態で前記貯氷容器に保持されるので、複数の製氷皿に対応した複数の貯氷領域と一つの大きな貯氷領域とを形成することができ、自動製氷装置の使い方に合わせて、貯氷容器の貯氷領域を有効利用できるという効果がある。また、切り換えのための区画壁の操作が簡単で、区画壁が貯氷容器に回動可能に固定されているので、外した区画壁の置き場所に困ることも、区画壁を紛失する虞も、区画壁の位置がずれてしまう虞もないという効果がある。
【０３９０】
また、本発明の請求項９に記載の冷蔵庫の発明は、複数の製氷皿をもつ自動製氷装置と、前記複数の製氷皿のそれぞれに対応して取付け取外し可能に配設される複数の貯氷容器と、各貯氷容器の配設状態を感知する貯氷容器感知手段とを備え、前記複数の貯氷容器の内のいずれかの貯氷容器が取外された場合に、前記貯氷容器感知手段が働いて、前記複数の製氷皿の内の対応する貯氷容器がなくなった製氷皿による製氷が強制的に停止されるので、複数の製氷皿のうち利用者が製氷動作の停止を望む方の製氷皿での製氷動作を、貯氷容器の取外し作業で、利用者が簡単に停止でき、利用者が貯氷容器を元の位置に戻すという簡単な作業で、停止していた製氷皿による製氷動作を再開させることができるという効果がある。また、自動製氷装置の使い方に合わせて、貯氷容器の貯氷領域を有効利用できるという効果がある。
【０３９１】
また、本発明の請求項１０に記載の冷蔵庫の発明は、請求項１から４のいずれか一項記載の発明に加えて、複数の製氷皿で製氷された氷を貯氷する貯氷容器を備え、前記貯氷容器は前記複数の製氷皿の並ぶ方向の寸法を伸縮できるように構成されているものであり、必要に応じて貯氷容器全体または伸縮する側の製氷皿に対応する貯氷領域の貯氷容量を増減できるという効果がある。
【０３９２】
また、本発明の請求項１１に記載の冷蔵庫の発明は、請求項１０記載の発明において、貯氷容器に複数の製氷皿に対応して複数の貯氷領域が形成され、複数の貯氷領域のうち一方の端の貯氷領域を無くすことができるように構成されているものであり、必要に応じて貯氷容器の一方の端の貯氷領域を無くすことができるという効果がある。
【０３９３】
また、本発明の請求項１２に記載の冷蔵庫の発明は、請求項１から４のいずれか一項記載の発明において、複数の製氷皿をもつ自動製氷装置は、引出し式扉と共に前方に引出される冷凍容器を有する冷凍室の左右どちらか片側に寄せて配置され、前記複数の製氷皿の下方には前記複数の製氷皿に対応して前記冷凍容器内を貯氷領域と他の冷凍貯蔵物の収納領域とに仕切る仕切り壁を兼ねる複数の貯氷容器が取付け取外し可能に前記冷凍容器内に配設され、前記複数の製氷皿は、製氷が強制的に停止されない製氷皿もしくは前記複数の製氷皿のうち製氷が強制的に停止されない可能性が比較的高い製氷皿が前記冷凍室の側面に近接して位置し、前記複数の製氷皿のうち製氷が強制的に停止される可能性が最も高い製氷皿が前記冷凍容器における他の冷凍貯蔵物の収納領域に近接して位置するので、他の冷凍貯蔵物の収納領域に近接する側の製氷皿を停止させ、その貯氷容器を取外すことにより、他の冷凍貯蔵物の収納領域を広くすることができ、自動製氷装置の使い方に合わせて、貯氷容器の貯氷領域を有効利用できるという効果がある。
【０３９４】
また、本発明の請求項１３に記載の冷蔵庫の発明は、請求項１から４のいずれか一項記載の発明において、複数の製氷皿をもつ自動製氷装置は、引出し式扉と共に前方に引出される冷凍容器を有する冷凍室の左右どちらか片側に寄せて配置され、前記複数の製氷皿の下方には前記冷凍容器内を貯氷領域と他の冷凍貯蔵物の収納領域とに仕切る仕切壁を兼ねる貯氷容器が前記冷凍容器内に配設され、前記複数の製氷皿は、製氷が強制的に停止されない製氷皿もしくは前記複数の製氷皿のうち製氷が強制的に停止されない可能性が比較的高い製氷皿が前記冷凍室の側面に近接して位置し、前記複数の製氷皿のうち製氷が強制的に停止される可能性が最も高い製氷皿が前記冷凍容器における他の冷凍貯蔵物の収納領域に近接して位置し、前記貯氷容器における前記仕切壁として機能する側壁が前記冷凍室の左右方向に移動可能に構成されているので、貯氷容器における仕切壁として機能する側壁の移動により、貯氷領域と他の冷凍貯蔵物の収納領域との割合を調節でき、自動製氷装置の使い方に合わせて、貯氷容器の貯氷領域を有効利用できるという効果がある。
【０３９５】
また、本発明の請求項１４に記載の冷蔵庫の発明は、請求項１３記載の発明において、貯氷容器に複数の製氷皿に対応して複数の貯氷領域が形成され、複数の貯氷領域のうち他の冷凍貯蔵物の収納領域に近接する貯氷領域を無くすことができるように構成されているので、必要に応じて、複数の貯氷領域のうち他の冷凍貯蔵物の収納領域に近接する貯氷領域を無くし、その分だけ冷凍貯蔵物の収納空間を拡げることができるという効果がある。
【図面の簡単な説明】
【図１】本発明の実施の形態１による冷蔵庫の自動製氷装置の構成を示すブロック図
【図２】同実施の形態による冷蔵庫の冷凍室部分を切り欠いた正面図
【図３】同実施の形態による冷蔵庫の自動製氷装置の構成を示す概略図
【図４】同実施の形態による冷蔵庫の自動製氷装置の通常の製氷動作を示すフローチャート
【図５】同実施の形態による冷蔵庫において第２製氷皿を停止させる操作をしたときの動作を示すフローチャート
【図６】同実施の形態による冷蔵庫において第２製氷皿の停止を解除する操作をしたときの動作を示すフローチャート
【図７】同実施の形態の変形例１による冷蔵庫の自動製氷装置の構成を示すブロック図
【図８】同実施の形態の変形例２による冷蔵庫の貯氷室部分を切り欠いた正面図
【図９】同実施の形態の変形例３による冷蔵庫の冷凍室内の自動製氷装置の構成を示す概略図
【図１０】同実施の形態の変形例４による冷蔵庫の貯氷室内の自動製氷装置の構成を示す概略図
【図１１】本発明の実施の形態２による冷蔵庫の冷凍室部分を切り欠いた正面図
【図１２】同実施の形態による冷蔵庫の自動製氷装置の構成を示すブロック図
【図１３】同実施の形態による冷蔵庫において第１製氷皿を停止させる操作をしたときの動作を示すフローチャート
【図１４】同実施の形態による冷蔵庫において第１製氷皿の停止を解除する操作をしたときの動作を示すフローチャート
【図１５】同実施の形態の変形例１による冷蔵庫の自動製氷装置の構成を示すブロック図
【図１６】同実施の形態の変形例２による冷蔵庫の貯氷室部分を切り欠いた正面図
【図１７】本発明の実施の形態３による冷蔵庫の冷凍室部分を切り欠いた正面図
【図１８】同実施の形態による冷蔵庫における操作部の拡大図
【図１９】同実施の形態による冷蔵庫の自動製氷装置の構成を示すブロック図
【図２０】同実施の形態の変形例１による冷蔵庫の自動製氷装置の構成を示すブロック図
【図２１】同実施の形態の変形例２による冷蔵庫の貯氷室部分を切り欠いた正面図
【図２２】本発明の実施の形態４による冷蔵庫に使用する貯氷容器の上面図
【図２３】本発明の実施の形態５による冷蔵庫に使用する貯氷容器の上面図
【図２４】本発明の実施の形態６による冷蔵庫に使用する貯氷容器の縦断面図
【図２５】本発明の実施の形態７による冷蔵庫に使用する貯氷容器の第２貯氷領域を広げた状態を示す上面図
【図２６】同実施の形態による冷蔵庫に使用する貯氷容器の第２貯氷領域を無くした状態を示す上面図
【図２７】本発明の実施の形態８による冷蔵庫の貯氷容器を取り外した状態の冷凍室部分を切り欠いた正面図
【図２８】同実施の形態による冷蔵庫における貯氷容器とその周辺の部品を示す上面図
【図２９】同実施の形態による冷蔵庫の自動製氷装置の構成を示すブロック図
【図３０】同実施の形態の変形例１による冷蔵庫の自動製氷装置の構成を示すブロック図
【図３１】同実施の形態の変形例２による冷蔵庫の貯氷室部分を切り欠いた正面図
【図３２】本発明の実施の形態９による冷蔵庫における貯氷容器とその周辺の部品を示す上面図
【図３３】同実施の形態による冷蔵庫の自動製氷装置の構成を示すブロック図
【図３４】同実施の形態の変形例１による冷蔵庫の自動製氷装置の構成を示すブロック図
【図３５】本発明の実施の形態１０による冷蔵庫における貯氷容器とその周辺の部品を示す上面図
【図３６】同実施の形態による冷蔵庫の自動製氷装置の構成を示すブロック図
【図３７】同実施の形態の変形例１による冷蔵庫の自動製氷装置の構成を示すブロック図
【図３８】従来の自動製氷装置の要部斜視図
【図３９】従来の自動製氷装置の駆動部の要部正面図
【符号の説明】
１      冷蔵庫
４      冷凍室
８      冷凍容器
８ａ    冷凍貯蔵物の収納領域
１０    貯氷容器
１０ａ  第１貯氷領域
１０ｂ  第２貯氷領域
１１ａ  第１製氷皿
１１ｂ  第２製氷皿
１２    駆動装置
１９    操作部
２０    第２製氷皿停止ボタン
２１ａ  第１製氷皿駆動手段
２１ｂ  第２製氷皿駆動手段
２４    製氷制御手段
２８    第１貯氷容器
２９    第２貯氷容器
３０    操作部
３１    第１製氷皿停止ボタン
３２    第２製氷皿停止ボタン
３３    製氷制御手段
３４    操作部
３５    切り換えスイッチ
３６    第１製氷皿停止スイッチ
３７    第２製氷皿停止スイッチ
３８    貯氷容器
３８ａ  第１貯氷領域
３８ｂ  第２貯氷領域
３９    区画壁
４０    貯氷容器
４０ａ  第１貯氷領域
４０ｂ  第２貯氷領域
４１    区画壁
４２    貯氷容器
４２ａ  第１貯氷領域
４２ｂ  第２貯氷領域
４２ｃ  固定部
４３    区画壁
４３ａ  回転軸
４４    貯氷容器
４４ａ  第１貯氷領域
４４ｂ  第２貯氷領域
４５    貯氷容器
４５ａ  第１貯氷領域
４５ｂ  第２貯氷領域
４６    区画壁
４６ａ  前側端部
４７    第１製氷皿停止スイッチ
４８    第２製氷皿停止スイッチ
４９    第１製氷皿停止スイッチ
５０    第２製氷皿停止スイッチ
５１    第１貯氷容器
５１ａ  突起
５２    第２貯氷容器
５２ａ  突起
５３    第１貯氷容器感知スイッチ
５４    第２貯氷容器感知スイッチ
【図１】
0004214701.tif 000002
【図２】
0004214701.tif 000003
【図３】
0004214701.tif 000004
【図４】
0004214701.tif 000005
【図５】
0004214701.tif 000006
【図６】
0004214701.tif 000007
【図７】
0004214701.tif 000008
【図８】
0004214701.tif 000009
【図９】
0004214701.tif 000010
【図１０】
0004214701.tif 000011
【図１１】
0004214701.tif 000012
【図１２】
0004214701.tif 000013
【図１３】
0004214701.tif 000014
【図１４】
0004214701.tif 000015
【図１５】
0004214701.tif 000016
【図１６】
0004214701.tif 000017
【図１７】
0004214701.tif 000018
【図１８】
0004214701.tif 000019
【図１９】
0004214701.tif 000020
【図２０】
0004214701.tif 000021
【図２１】
0004214701.tif 000022
【図２２】
0004214701.tif 000023
【図２３】
0004214701.tif 000024
【図２４】
0004214701.tif 000025
【図２５】
0004214701.tif 000026
【図２６】
0004214701.tif 000027
【図２７】
0004214701.tif 000028
【図２８】
0004214701.tif 000029
【図２９】
0004214701.tif 000030
【図３０】
0004214701.tif 000031
【図３１】
0004214701.tif 000032
【図３２】
0004214701.tif 000033
【図３３】
0004214701.tif 000034
【図３４】
0004214701.tif 000035
【図３５】
0004214701.tif 000036
【図３６】
0004214701.tif 000037
【図３７】
0004214701.tif 000038
【図３８】
0004214701.tif 000039
【図３９】
0004214701.tif 000040